(57)【要約】本発明は、電気電子機器のボタン効率増大方法に関するもので、より詳細には、コンピューターのキーボード、電話機類のキーボード、電子計算機のキーボードなどのボタン作業を行うときの不便さを改善し、利便性と効率を増大するためのものである。本発明は、ボタンを押して作業を行う電気電子機器の一部または全部のボタンの使用方法において、同一時点でオン状態である２つ以上のボタンの組み合わせ、組み合わせ順序、押し方などの組み合わせ状況によって予め指定された作業を行えるようにする方法（作業と関連した組み合わせまたは組み合わせ状況の指定は、製造者または非製造者が定めることができる）によって、組み合わせ誘導ボタンでない機能ボタン及び文字ボタンも組み合わせ誘導ボタン化し、限定された個数のボタンでより多くの作業、便利な作業、スピーディな作業ができる。最近、携帯電話にＭＰ３、カメラ、録音機及びラジオなどの機能を１つの機器に一体化する傾向であるため、本発明のような方法に対する要求が段々高まっている。その他に、電子計算機、電話機類またはコンピューターのキーボードのボタン配列変更、コンピューターのキーボードのトグルキーの使用方法を改善し、上述した効果を達成することを特徴とする。【特許請求の範囲】
【請求項１】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表６】
2010517159.tif 000061
【請求項２】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表７】
2010517159.tif 000062
【請求項３】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表８】
2010517159.tif 000063
【請求項４】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表９】
2010517159.tif 000064
【請求項５】
ボタンを押して作業を行う電気電子機器の一部または全部のボタン使用効率を増大させる方法において、
同一時点でオン（ＯＮ）状態である２つ以上のボタンの組み合わせ、組み合わせ順序、または押し方を含む組み合わせ状況によって予め指定された作業を行い、
前記組み合わせまたは組み合わせ状況は、前記ボタンが組み合わせによらず単独でオン（ＯＮ）になるときに、文字、数字及び記号を含む文字を書く文字ボタンが組み合わせ誘導ボタンとして使用される場合であることを特徴とする電気電子機器のボタン効率増大方法。
【請求項６】
ボタンを押して作業を行う電気電子機器の一部または全部のボタン使用効率を増大させる方法において、
同一時点でオン（ＯＮ）状態である２つ以上のボタンの組み合わせ、組み合わせ順序、または押し方を含む組み合わせ状況によって予め指定された作業を行い、
いずれかの組み合わせ誘導ボタンが、同じ指定作業をもたらす他の組み合わせ誘導ボタンと互いに取り替えられて組み合わせられる場合にも、同じ指定作業をもたらすように同じ指定作業をもたらす組み合わせ誘導ボタンを２つ以上指定することを特徴とする電気電子機器のボタン効率増大方法。
【請求項７】
前記組み合わせ誘導ボタンによって誘導される作業は、その他のボタンとの空間的な位置関係によって変わらなく、その他のボタンとの空間的な位置関係とは無関係に常に同じに指定されることを特徴とする、請求項６に記載の電気電子機器のボタン効率増大方法。
【請求項８】
同一の文字入力モードで、１つのボタンに割り当てられた文字が２つ以上である文字ボタンが存在する場合、
いずれかのボタンがオンになっている状態で、後で他の文字ボタンがオンになると、後で入力された他の文字ボタンに割り当てられた文字のうち任意に定められた順序の文字が書かれるように、先にオンになったボタンを前記組み合わせ誘導ボタンとして使用することを特徴とする、請求項６または７に記載の電気電子機器のボタン効率増大方法。
【請求項９】
同一の文字入力モードで、１つのボタンに割り当てられた文字が２つ以上である文字ボタンが存在する場合、
いずれかの文字ボタンがオンになった状態で、後で他の文字ボタンがオンになると、先にオンになった文字ボタンに割り当てられた文字のうち任意に定められた順序の文字が書かれるように、後でオンになった他のボタンを前記組み合わせ誘導ボタンとして使用することを特徴とする、請求項６または７に記載の電気電子機器のボタン効率増大方法。
【請求項１０】
同一の文字入力モードで１つのボタンに割り当てられた文字が２つ以上である文字ボタンが存在し、ボタンを押して作業を行う電気電子機器のボタン使用効率を増大させる方法において、
文字モードでいずれかの文字ボタンがオン（ＯＮ）になっている状態で他の文字ボタンがオン（ＯＮ）になると、
請求項８と同じ方法で、先にオン（ＯＮ）になった文字ボタンが、後でオン（ＯＮ）になった文字ボタンに割り当てられた２番目の文字を書けるようにしたり、請求項９と同じ方法で、後でオン（ＯＮ）になった文字ボタンが、先にオン（ＯＮ）になった文字ボタンに割り当てられた２番目の文字を書けるようにする組み合わせ誘導ボタンとして作用する、任意の第１ボタン及び第２ボタンを指定し、
前記第１ボタン及び第２ボタンを除いたボタンのうち、先にオン（ＯＮ）になった文字ボタンが、後でオン（ＯＮ）になった文字ボタンに割り当てられた３番目の文字を書けるようにしたり、後でオン（ＯＮ）になった文字ボタンが、先にオン（ＯＮ）になった文字ボタンに割り当てられた３番目の文字を書けるようにする組み合わせ誘導ボタンとして作用する、任意の第３ボタン及び第４ボタンを指定することを特徴とする電気電子機器のボタン効率増大方法。
【請求項１１】
前記第１ボタン乃至第４ボタンは、下記の表のように割り当てられる場合の数を含むことを特徴とする、請求項１０に記載の電気電子機器のボタン効率増大方法。
●関連した代表文字の割り当て表
【表１０】
2010517159.tif 000065
【請求項１２】
前記第１ボタン乃至第４ボタンを除いたボタンのうち、先にオン（ＯＮ）になった文字ボタンが、後でオン（ＯＮ）になった文字ボタンに割り当てられた４番目の文字を書けるようにしたり、後でオン（ＯＮ）になった文字ボタンが、先にオン（ＯＮ）になった文字ボタンに割り当てられた４番目の文字を書けるようにする組み合わせ誘導ボタンとして作用する、任意の第５ボタン及び第６ボタンを指定することを特徴とする、請求項１０に記載の電気電子機器のボタン効率増大方法。
【請求項１３】
前記第１ボタン乃至第６ボタンは、下記の表のように割り当てられる場合の数を含むことを特徴とする、請求項１２に記載の電気電子機器のボタン効率増大方法。
●関連した代表文字の割り当て表
【表１１】
2010517159.tif 000066
【請求項１４】
同一の文字入力モードで１つのボタンに割り当てられた文字が２つ以上である文字ボタンが存在し、ボタンを押して作業を行う電気電子機器のボタン使用効率を増大させる方法において、
文字モードでいずれかの文字ボタンがオン（ＯＮ）になっている状態で他の文字ボタンがオン（ＯＮ）になると、
請求項８と同じ方法で、先にオン（ＯＮ）になった文字ボタンが、後でオン（ＯＮ）になった文字ボタンに割り当てられた１番目の文字を書けるようにしたり、請求項９と同じ方法で、後でオン（ＯＮ）になった文字ボタンが、先にオン（ＯＮ）になった文字ボタンに割り当てられた１番目の文字を書けるようにする組み合わせ誘導ボタンとして作用する、任意の第１ボタン及び第２ボタンを指定し、
前記第１ボタン及び第２ボタンを除いたボタンのうち、先にオン（ＯＮ）になった文字ボタンが、後でオン（ＯＮ）になった文字ボタンに割り当てられた２番目の文字を書けるようにしたり、後でオン（ＯＮ）になった文字ボタンが、先にオン（ＯＮ）になった文字ボタンに割り当てられた２番目の文字を書けるようにする組み合わせ誘導ボタンとして作用する、任意の第３ボタン及び第４ボタンを指定し、
前記第１ボタン乃至第４ボタンを除いたボタンのうち、先にオン（ＯＮ）になった文字ボタンが、後でオン（ＯＮ）になった文字ボタンに割り当てられた３番目の文字を書けるようにしたり、後でオン（ＯＮ）になった文字ボタンが、先にオン（ＯＮ）になった文字ボタンに割り当てられた３番目の文字を書けるようにする組み合わせ誘導ボタンとして作用する、任意の第５ボタン及び第６ボタンを指定することを特徴とする電気電子機器のボタン効率増大方法。
【請求項１５】
前記第１ボタン乃至第６ボタンは、請求項１３の表のように割り当てられる場合の数を含むことを特徴とする、請求項１４に記載の電気電子機器のボタン効率増大方法。
【請求項１６】
同一の文字入力モードで１つのボタンに割り当てられた文字が２つ以上である文字ボタンが存在し、ボタンを押して作業を行う電気電子機器のボタン使用効率を増大させる方法において、
文字モードでいずれかの文字ボタンがオン（ＯＮ）になっている状態で他の文字ボタンがオン（ＯＮ）になると、
請求項８と同じ方法で、先にオン（ＯＮ）になった文字ボタンが、後でオン（ＯＮ）になった文字ボタンに割り当てられた１番目の文字を書けるようにしたり、請求項９と同じ方法で、後でオン（ＯＮ）になった文字ボタンが、先にオン（ＯＮ）になった文字ボタンに割り当てられた１番目の文字を書けるようにする組み合わせ誘導ボタンとして作用する、任意の第１ボタン及び第２ボタンを指定し、
前記第１ボタン及び第２ボタンを除いたボタンのうち、先にオン（ＯＮ）になった文字ボタンが、後でオン（ＯＮ）になった文字ボタンに割り当てられた２番目の文字を書けるようにしたり、後でオン（ＯＮ）になった文字ボタンが、先にオン（ＯＮ）になった文字ボタンに割り当てられた２番目の文字を書けるようにする組み合わせ誘導ボタンとして作用する、任意の第３ボタン及び第４ボタンを指定し、
前記第１ボタン乃至第４ボタンを除いたボタンのうち、先にオン（ＯＮ）になった文字ボタンが、後でオン（ＯＮ）になった文字ボタンに割り当てられた３番目の文字を書けるようにしたり、後でオン（ＯＮ）になった文字ボタンが、先にオン（ＯＮ）になった文字ボタンに割り当てられた３番目の文字を書けるようにする組み合わせ誘導ボタンとして作用する、任意の第５ボタン及び第６ボタンを指定し、
前記第１ボタン乃至第６ボタンを除いたボタンのうち、先にオン（ＯＮ）になった文字ボタンが、後でオン（ＯＮ）になった文字ボタンに割り当てられた４番目の文字を書けるようにしたり、後でオン（ＯＮ）になった文字ボタンが、先にオン（ＯＮ）になった文字ボタンに割り当てられた４番目の文字を書けるようにする組み合わせ誘導ボタンとして作用する、任意の第７ボタン及び第８ボタンを指定することを特徴とする電気電子機器のボタン効率増大方法。
【請求項１７】
前記第１ボタン乃至第８ボタンは、下記の表のように割り当てられる場合の数を含むことを特徴とする、請求項１６に記載の電気電子機器のボタン効率増大方法。
●関連した代表文字の割り当て表
【表１２】
2010517159.tif 000067
【請求項１８】
前記第１ボタン乃至第８ボタンを除いたボタンのうち、先にオン（ＯＮ）になった文字ボタンが、後でオン（ＯＮ）になった文字ボタンに割り当てられた５番目の文字を書けるようにしたり、後でオン（ＯＮ）になった文字ボタンが、先にオン（ＯＮ）になった文字ボタンに割り当てられた５番目の文字を書けるようにする組み合わせ誘導ボタンとして作用する、任意の第９ボタン及び第１０ボタンを指定し、
前記第１ボタン乃至第１０ボタンを除いたボタンのうち、先にオン（ＯＮ）になった文字ボタンが、後でオン（ＯＮ）になった文字ボタンに割り当てられた６番目の文字を書けるようにしたり、後でオン（ＯＮ）になった文字ボタンが、先にオン（ＯＮ）になった文字ボタンに割り当てられた６番目の文字を書けるようにする組み合わせ誘導ボタンとして作用する、任意の第１１ボタン及び第１２ボタンを指定することを特徴とする、請求項１６に記載の電気電子機器のボタン効率増大方法。
【請求項１９】
同一の文字入力モードで１つのボタンに割り当てられた文字が２つ以上である文字ボタンが存在し、ボタンを押して作業を行う電気電子機器のボタン使用効率を増大させる方法において、
それぞれの文字ボタンに割り当てられた１番目の文字を書けるようにする先行または後行組み合わせ誘導ボタンとしてボタン１を指定したり、
それぞれの文字ボタンに割り当てられた２番目の文字を書けるようにする先行または後行組み合わせ誘導ボタンとしてボタン２を指定したり、
それぞれの文字ボタンに割り当てられた３番目の文字を書けるようにする先行または後行組み合わせ誘導ボタンとしてボタン３を指定したり、
それぞれの文字ボタンに割り当てられた４番目の文字を書けるようにする先行または後行組み合わせ誘導ボタンとしてボタン４を指定したり、
それぞれの文字ボタンに割り当てられた５番目の文字を書けるようにする先行または後行組み合わせ誘導ボタンとしてボタン５を指定したり、
それぞれの文字ボタンに割り当てられた６番目の文字を書けるようにする先行または後行組み合わせ誘導ボタンとしてボタン６を指定したり、
それぞれの文字ボタンに割り当てられた７番目の文字を書けるようにする先行または後行組み合わせ誘導ボタンとしてボタン７を指定したり、
それぞれの文字ボタンに割り当てられた８番目の文字を書けるようにする先行または後行組み合わせ誘導ボタンとしてボタン８を指定したり、
それぞれの文字ボタンに割り当てられた９番目の文字を書けるようにする先行または後行組み合わせ誘導ボタンとしてボタン９を指定したり、
それぞれの文字ボタンに割り当てられた１０番目の文字を書けるようにする先行または後行組み合わせ誘導ボタンとしてボタン０を指定することのうちいずれか1つを含むことを特徴とする電気電子機器のボタン効率増大方法。
【請求項２０】
同一の文字入力モードで１つのボタンに割り当てられた文字が２つ以上である文字ボタンが存在し、ボタンを押して作業を行う電気電子機器のボタン使用効率を増大させる方法において、
文字モードでいずれかの文字ボタンがオン（ＯＮ）になっている状態で他の文字ボタンがオン（ＯＮ）になると、
請求項８と同じ方法で、先にオン（ＯＮ）になった文字ボタンが、後でオン（ＯＮ）になった文字ボタンに割り当てられ指定された順番の文字を書けるようにしたり、請求項９と同じ方法で、後でオン（ＯＮ）になった文字ボタンが、先にオン（ＯＮ）になった文字ボタンに割り当てられ指定された順番の文字を書けるようにする組み合わせ誘導ボタンを指定し、
同じ指定順番の文字が書かれるようにする組み合わせ誘導ボタンを２つ以上指定することを特徴とする電気電子機器のボタン効率増大方法。
【請求項２１】
前記組み合わせ誘導ボタンによって誘導される作業は、他のボタンとの空間的な位置関係によって変わるのではなく、他のボタンとの空間的な位置関係とは無関係に常に同一に指定されることを特徴とする、請求項２０に記載の電気電子機器のボタン効率増大方法。
【請求項２２】
‘Ｔ９など’を含むＤＢを用いた文字データ検索方式で、
文字の入力時、それぞれ０個以上の確定文字、候補文字または未知文字の組み合わせで検索語が入力され、関連した各候補単語がディスプレイされ、使用者は、ディスプレイされた各候補単語から所望の単語を選択することを特徴とする電気電子機器のボタン効率増大方法。
【請求項２３】
‘Ｔ９など’を含むＤＢを用いた文字データ検索方式で、
文字入力時に検索語が入力され、関連した各候補単語がディスプレイされ、使用者がディスプレイされた各候補単語から所望の単語を選択するにおいて、
検索語のスペリング数が、探そうとする単語の全てのスペリング数と同じ数であるか、それより不足しているかを機器に知らせる信号システムを有し、機器が適切な候補単語をディスプレイさせ、所望の単語を選択させることを特徴とする電気電子機器のボタン効率増大方法。
【請求項２４】
‘Ｔ９など’を含むＤＢを用いた文字データ検索方式で、
それぞれ０個以上の確定文字、候補文字または未知文字の組み合わせで検索語が入力され、関連した各候補単語がディスプレイされ、使用者がディスプレイされた各候補単語のうち所望の単語を選択するにおいて、
前記確定文字は組み合わせボタンで入力し、前記候補文字の入力は短打でオン・オフして入力し、前記未知文字は、任意に選択された文字を含む別途の信号を指定して入力することを特徴とする電気電子機器のボタン効率増大方法。
【請求項２５】
同一の文字入力モードで１つのボタンに割り当てられた文字が２つ以上である文字ボタンが存在し、ボタンを押して作業を行う電気電子機器のボタン使用効率を増大させる方法において、
‘Ｔ９など’を含むＤＢを用いた文字データ検索方式で、
検索語入力時に、文字モードでいずれかの文字ボタンがオン（ＯＮ）になっている状態で他の文字ボタンがオン（ＯＮ）になると、
請求項８と同じ方法で、先にオン（ＯＮ）になった文字ボタンが、後でオン（ＯＮ）になった文字ボタンに割り当てられた１番目の文字を書けるようにしたり、請求項９と同じ方法で、後でオン（ＯＮ）になった文字ボタンが、先にオン（ＯＮ）になった文字ボタンに割り当てられた１番目の文字を書けるようにする組み合わせ誘導ボタンとして作用する、任意の第１ボタン及び第２ボタンを指定し、
前記第１ボタン及び第２ボタンを除いたボタンのうち、先にオン（ＯＮ）になった文字ボタンが、後でオン（ＯＮ）になった文字ボタンに割り当てられた２番目の文字を書けるようにしたり、後でオン（ＯＮ）になった文字ボタンが、先にオン（ＯＮ）になった文字ボタンに割り当てられた２番目の文字を書けるようにする組み合わせ誘導ボタンとして作用する、任意の第３ボタン及び第４ボタンを指定し、
前記第１ボタン乃至第４ボタンを除いたボタンのうち、先にオン（ＯＮ）になった文字ボタンが、後でオン（ＯＮ）になった文字ボタンに割り当てられた３番目の文字を書けるようにしたり、後でオン（ＯＮ）になった文字ボタンが、先にオン（ＯＮ）になった文字ボタンに割り当てられた３番目の文字を書けるようにする組み合わせ誘導ボタンとして作用する、任意の第５ボタン及び第６ボタンを指定することを特徴とする電気電子機器のボタン効率増大方法。
【請求項２６】
前記第１ボタン乃至第６ボタンは、請求項１３の表のように割り当てられる場合の数を含むことを特徴とする、請求項２５に記載の電気電子機器のボタン効率増大方法。
【請求項２７】
前記第１ボタン乃至第６ボタンを除いたボタンのうち、先にオン（ＯＮ）になった文字ボタンが、後でオン（ＯＮ）になった文字ボタンに割り当てられた４番目の文字を書けるようにしたり、後でオン（ＯＮ）になった文字ボタンが、先にオン（ＯＮ）になった文字ボタンに割り当てられた４番目の文字を書けるようにする組み合わせ誘導ボタンとして作用する、任意の第７ボタン及び第８ボタンを指定することを特徴とする、請求項２５に記載の電気電子機器のボタン効率増大方法。
【請求項２８】
前記第１ボタン乃至第８ボタンは、請求項１７の表のように割り当てられる場合の数を含むことを特徴とする、請求項２７に記載の電気電子機器のボタン効率増大方法。
【請求項２９】
前記第１ボタン乃至第８ボタンを除いたボタンのうち、先にオン（ＯＮ）になった文字ボタンが、後でオン（ＯＮ）になった文字ボタンに割り当てられた５番目の文字を書けるようにしたり、後でオン（ＯＮ）になった文字ボタンが、先にオン（ＯＮ）になった文字ボタンに割り当てられた５番目の文字を書けるようにする組み合わせ誘導ボタンとして作用する、任意の第９ボタン及び第１０ボタンを指定し、
前記第１ボタン乃至第１０ボタンを除いたボタンのうち、先にオン（ＯＮ）になった文字ボタンが、後でオン（ＯＮ）になった文字ボタンに割り当てられた６番目の文字を書けるようにしたり、後でオン（ＯＮ）になった文字ボタンが、先にオン（ＯＮ）になった文字ボタンに割り当てられた６番目の文字を書けるようにする組み合わせ誘導ボタンとして作用する、任意の第１１ボタン及び第１２ボタンを指定することを特徴とする、請求項２７に記載の電気電子機器のボタン効率増大方法。
【請求項３０】
‘Ｔ９など’を含むＤＢを用いた文字データ検索方式で、
検索語入力時に、請求項１４、請求項１５、請求項１６、請求項１７、請求項１８、請求項１９、請求項２０または請求項２１のうちいずれか1つの項の方法を用いることを特徴とする電気電子機器のボタン効率増大方法。
【請求項３１】
確定文字の入力は、文字入力方式モードの変更なしに具現されることを特徴とする、請求項２２、請求項２３、請求項２４、請求項２５、請求項２６、請求項２７、請求項２８、請求項２９または請求項３０のうちいずれか1つの項に記載の電気電子機器のボタン効率増大方法。
【請求項３２】
（原文に記載なし）
【請求項３３】
（原文に記載なし）
【請求項３４】
（原文に記載なし）
【請求項３５】
（原文に記載なし）
【請求項３６】
（原文に記載なし）
【請求項３７】
コンピューターのキーボードまたは一部の携帯通信機器のキーパッドを含むキーボードで、
Ｓｈｉｆｔ、ＣｔｒｌまたはＡｌｔボタンを含む従来の組み合わせ誘導専用ボタンを除いたいずれかのボタンがオンになった後、オフになる前まで、その他のボタンがオンになると、
２つのボタンのうち１つが、Ｓｈｉｆｔ、ＣｔｒｌまたはＡｌｔボタンを含む従来の組み合わせ誘導専用ボタンに取り替えられるようにすることを特徴とする電気電子機器のボタン効率増大方法。
【請求項３８】
ボタンを押して作業を行う電気電子機器の一部または全部のボタン使用効率を増大させる方法において、
同一時点でオン（ＯＮ）状態である２つ以上のボタンの組み合わせ、組み合わせ順序、または押し方を含む組み合わせ状況によって予め指定された作業を行い、
片手でも動作可能になるように、ボリューム調節ボタンやインターネット連結ボタンを含む文字入力モードでは、オンにしても何らの応答もないボタンを先行または後行組み合わせ誘導ボタンとして指定する場合、組み合わせ誘導ボタンと組み合わせ対象になるボタンが同一時点でオンになる状態がなくても、各ボタン間の組み合わせと見なし、組み合わせボタン作業としての予め指定された作業が行われることを特徴とする電気電子機器のボタン効率増大方法。
【請求項３９】
（原文に記載なし）
【請求項４０】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表１３】
2010517159.tif 000068
【請求項４１】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表１４】
2010517159.tif 000069
【請求項４２】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表１５】
2010517159.tif 000070
【請求項４３】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表１６】
2010517159.tif 000071
【請求項４４】
（原文に記載なし）
【請求項４５】
（原文に記載なし）
【請求項４６】
（原文に記載なし）
【請求項４７】
（原文に記載なし）
【請求項４８】
ボタンを押して作業を行う電気電子機器のボタン使用効率を増大させる方法において、
ボタンの空間的な配列形態及び順序は、下記の表と異なるとしても、また、大文字及び小文字が用いられるか否かとは関係なしに、数字、＊、＃とアルファベットを下記の表のようにマッチングすることを特徴とする電気電子機器のボタン効率増大方法。
【表１７】
2010517159.tif 000072
【請求項４９】
‘Ｗｙｘ’の順序で割り当てられたものを‘ｙＷｘ’に、
‘ｓｒＰ’の順序で割り当てられたものを‘ｒｓＰ’に、
‘ｓｒＰｑ’の順序で割り当てられたものを‘ｒｓＰｑ’に、または
‘Ｗｙｘｚ’の順序で割り当てられたものを‘ｙＷｘｚ’に順序を変えて割り当てたことを特徴とする、請求項１、請求項２、請求項３、請求項４、請求項４０、請求項４１、請求項４２、請求項４３または請求項４８のうちいずれか1つの項に記載の電気電子機器のボタン効率増大方法。
【請求項５０】
それぞれの文字ボタンのうちいずれか1つのボタンに割り当てられたアルファベットは、アルファベット標準配列順に割り当てられたことを特徴とする、請求項１、請求項２、請求項３、請求項４、請求項４０、請求項４１、請求項４２、請求項４３、請求項４８または請求項４９のうち何れか1つの項に記載の電気電子機器のボタン効率増大方法。
【請求項５１】
それぞれの文字ボタンのうちいずれか１つのボタンに割り当てられた文字をボタンに表記するとき、その文字体系の全文字の標準配列順において、最初の文字または最後の文字を大文字で表記したり、色相を異ならせることを含む分かりやすく表示する方法によって、各ボタンに割り当てられた文字が何から何までであるかを容易に把握できるようにすることを特徴とする電気電子機器のボタン効率増大方法。
【請求項５２】
同一の文字入力モードで１つのボタンに割り当てられた文字が２つ以上である文字ボタンが存在し、ボタンを押して作業を行う電気電子機器のボタン使用効率を増大させる方法において、
文字が割り当てられたボタンの特定順番の文字が書かれるようにする組み合わせ誘導ボタンとして、文字が割り当てられていないボタンを指定する場合、組み合わせ誘導ボタンが文字ボタンより先行または後行することによって書かれる文字の順番を異ならせることを特徴とする電気電子機器のボタン効率増大方法。
【請求項５３】
請求項２２、請求項２３、請求項２４、請求項２５、請求項２６、請求項２７、請求項２８、請求項２９、請求項３０または請求項３１のうちいずれか1つの項の方法を、
単語が２つ以上存在するデータを検索し、所望の単語を選択することまで拡張することを特徴とする電気電子機器のボタン効率増大方法。
【請求項５４】
請求項２２、請求項２３、請求項２４、請求項２５、請求項２６、請求項２７、請求項２８、請求項２９、請求項３０、請求項３１または請求項５３のうちいずれか1つの項の方法を、
中国文字、日本文字及びハングルを含む１つの文字が一音節以上の音を有する文字、その文字の組み合わせによる単語または句を入力するときに適用する場合、ＤＢにある文字、単語または句を構成する各文字の表音文字へのピン音化が自動的に行われるようにし、それを記憶させた後、各ピン音化されたアルファベットの一部分または全部を検索語として入力し、固有文字からなる候補固有文字、単語または句が検索されるようにし、所望のものを選択できるようにしたり、
アルファベットからなる文字、単語または句の任意の位置を１つ以上の休止符のような区切り文字で区分し、ＤＢを構築した場合、そのＤＢを検索して単語または句を入力する方法を用いて、データの一部または全部のアルファベットを検索語として入力し、候補データが検索されるようにし、所望のものが選択できるようにすることを特徴とする電気電子機器のボタン効率増大方法。
【請求項５５】
それぞれの固有文字単位を区切り文字で区分し、アルファベット検索語を入力することを特徴とする、請求項５４に記載の電気電子機器のボタン効率増大方法。
【請求項５６】
任意の１つの固有文字単位のピン音化によるアルファベットのうち、１つのアルファベットを選択して検索語を構成する場合、区切り文字なしに検索語を構成することを特徴とする、請求項５４に記載の電気電子機器のボタン効率増大方法。
【請求項５７】
（原文に記載なし）
【請求項５８】
検索語にある任意の区切り文字単位のアルファベットスペリング数が、
ＤＢにある、探そうとする単語を構成する固有文字単位のピン音化によるアルファベットスペリング数と同じ数であるか、それより不足した数であるかを機器に知らせる信号システムを有し、適切な候補単語がディスプレイされるようにし、所望の単語を選択させることを特徴とする、請求項５４、請求項５５または請求項５６のうちいずれか1つの項に記載の電気電子機器のボタン効率増大方法。
【請求項５９】
ＤＢにある１つ以上の音節を有する固有文字からなる単語または句を検索するとき、検索語として、その種類の文字をピン音化するのに使用するアルファベットを入力しても、検索が可能になるように、固有文字を機器内で自動的にピン音化することを特徴とする、請求項５４に記載の電気電子機器のボタン効率増大方法。
【請求項６０】
‘Ｔ９など’を含むＤＢを用いた文字データ検索方式において、
１つの区切り文字で区分された所望の単語または句の任意の部分を、１つ以上の連続した未知文字に取り替えて検索語を入力し、所望の単語または句が含まれた各候補データをディスプレイし、所望の単語または句を選択することを特徴とする電気電子機器のボタン効率増大方法。
【請求項６１】
１番目の文字が書かれる機能を任意に指定できる第１作業機能に変えて、
２番目の文字が書かれる機能を任意に指定できる第２作業機能に変えて、
３番目の文字が書かれる機能を任意に指定できる第３作業機能に変えて、
４番目の文字が書かれる機能を任意に指定できる第４作業機能に変えて、
５番目の文字が書かれる機能を任意に指定できる第５作業機能に変えて、
６番目の文字が書かれる機能を指定できる第６作業機能に変えるように、状況によって、その機能を指定できるようにすることを特徴とする、請求項１０、請求項１２、請求項１４、請求項１６、請求項１８、請求項２５、請求項２７、請求項２９または請求項３０のうちいずれか1つの項に記載の電気電子機器のボタン効率増大方法。
【請求項６２】
文字ボタンに割り当てられた何番目の文字という文句での何は、状況によって変動されるもので、文字ボタンに割り当てられた文字の印刷順序であるか、マルチタップ方式で入力したとき、文字に対するボタン押す回数であるか、連続的な順でない無作為な数であることを特徴とする、請求項１０、請求項１２、請求項１４、請求項１６、請求項１８、請求項２５、請求項２７、請求項２９または請求項３０のうちいずれか1つの項に記載の電気電子機器のボタン効率増大方法。
【請求項６３】
英文を入力するとき、多様な種類の組み合わせ誘導ボタンを指定し、モードの変更なしに大文字または小文字を入力することを特徴とする、請求項５、請求項８、請求項９、請求項６、請求項７、請求項１０、請求項１１、請求項１２、請求項１３、請求項１４、請求項１５、請求項１６、請求項１７、請求項１８、請求項１９、請求項２０、請求項２１、請求項２５、請求項２７、請求項２９または請求項３０のうちいずれか1つの項に記載の電気電子機器のボタン効率増大方法。
【請求項６４】
文字入力方式モードの変更なしに、マルチタップ入力方式を含む他の入力方式と並行して文字を入力することを特徴とする、請求項５、請求項８、請求項９、 請求項６、請求項７、請求項１０、請求項１１、請求項１２、請求項１３、請求項１４、請求項１５、請求項１６、請求項１７、請求項１８、請求項１９、請求項２０または請求項２１のうちいずれか1つの項に記載の電気電子機器のボタン効率増大方法。
【請求項６５】
先にオンになったボタンがオフになった時刻と、後でオンになったボタンがオンになった時刻との間隔が所定の時間以内である場合にも、組み合わせとして認定することを特徴とする、請求項５、請求項６、請求項７、請求項８、請求項９、請求項１０、請求項１１、請求項１２、請求項１３、請求項１４、請求項１５、請求項１６、請求項１７、請求項１８、請求項１９、請求項２０、請求項２１、請求項２５、請求項２６、請求項２７、請求項２８、請求項２９、請求項３０または請求項３１のうちいずれか1つの項に記載の電気電子機器のボタン効率増大方法。
【請求項６６】
ボタンを押して作業を行う電気電子機器の一部または全部のボタン使用効率を増大させる方法において、
計算機の各ボタン部及びディスプレイ部の配置は、ディスプレイ部を上側に配置し、数字ボタン−四則演算記号ボタン部を中間に配置し、その他のボタン部を下側に配置することを特徴とする電気電子機器のボタン効率増大方法。
【請求項６７】
ボタンを押して作業を行う電気電子機器の一部または全部のボタン使用効率を増大させる方法において、
電話機類のディスプレイ部及び各ボタン部の配置は、ディスプレイ部を上側に配置し、文字ボタン部を中間に配置し、機能ボタン部を下側に配置することを特徴とする電気電子機器のボタン効率増大方法。
【請求項６８】
ボタンを押して作業を行う電気電子機器の一部または全部のボタン使用効率を増大させる方法において、
キーボードの組み合わせ誘導ボタンの位置割り当ては、左側の組み合わせ誘導ボタンまたは右側の組み合わせ誘導ボタンのうち、いずれか1つの組み合わせ誘導ボタンをキーボードの上側に配置することを特徴とする電気電子機器のボタン効率増大方法。
【請求項６９】
ボタンを押して作業を行う電気電子機器の一部または全部のボタン使用効率を増大させる方法において、
キーボードに備わった1つのトグルキーに対応する各モードの変更作業は、モード別に異なるキーを割り当て、各モードの変更信号を与えるようにしたことを特徴とする電気電子機器のボタン効率増大方法。
【請求項７０】
ボタンを押して作業を行う電気電子機器の一部または全部のボタン使用効率を増大させる方法において、
キーボードに備わった1つのトグルキーに対応する各モードの変更作業は、トグルキーをそのまま置いた状態でモード別に短打、ダブルクリック、トリプルクリック及び長打を含む異なる押し方を割り当て、各モードの変更信号を与えるようにしたことを特徴とする電気電子機器のボタン効率増大方法。
【請求項７１】
ボタンを押して作業を行う電気電子機器の一部または全部のボタン使用効率を増大させる方法において、
キーボードに備わった1つのトグルキーに対応する各モードの変更作業は、動作をセンシングして認識する装置が認識できるようにモード別に異なる身体動作を割り当て、各モードの変更信号を与えるようにしたことを特徴とする電気電子機器のボタン効率増大方法。
【請求項７２】
ボタンを押して作業を行う電気電子機器の一部または全部のボタン使用効率を増大させる方法において、
キーボードに備わった1つのトグルキーに対応する各モードの変更作業は、音声認識装置が認識できるようにモード別に異なる音声命令を割り当て、各モードの変更信号を与えるようにしたことを特徴とする電気電子機器のボタン効率増大方法。
【請求項７３】
ボタンを押して作業を行う電気電子機器の一部または全部のボタン使用効率を増大させる方法において、
キーボードに備わった1つのトグルキーに対応する各モードの変更作業は、トグルキーとその他のキーとの組み合わせによりモード変更信号を割り当てることを特徴とする電気電子機器のボタン効率増大方法。
【請求項７４】
同一の文字入力モードで１つのボタンに割り当てられた文字が２つ以上である文字ボタンが存在する電気電子機器で、各ボタン別に文字グループを割り当て、各ボタンの文字グループを構成する各要素文字を割り当てる順序を定めるにおいて、
その文字体系の全文字を標準配列順に並べた後、個数の変化があり得る任意の個数に分けて各文字グループを生成し、
生成された各文字グループの各ボタンへの割り当ては、割り当てる者が任意に行い、
任意の１つのボタンへの、任意の１つの文字グループを構成する各要素文字の割り当て順序は、使用頻度順にすることを特徴とする電気電子機器のボタン効率増大方法。
【請求項７５】
‘Ｔ９など’を含むＤＢを用いた文字データ検索方式で、
漢字を含む１つの文字が１音節以上の音を有する固有文字で構成された単語または句を入力する場合、ＤＢにある単語または句を構成する各固有文字が表音文字にピン音化されるアルファベットと同じ種類のアルファベットで構成された検索語を入力し、固有文字からなる候補単語または句がディスプレイされるようにし、所望の単語または句を選択できるようにすることを特徴とする電気電子機器のボタン効率増大方法。
【請求項７６】
それぞれの固有文字単位を区切り文字で区分し、アルファベット検索語を入力することを特徴とする、請求項７５に記載の電気電子機器のボタン効率増大方法。
【請求項７７】
任意の１つの固有文字単位のピン音化をなすアルファベットのうち１つずつのアルファベットのみを選定した後、検索語を構成する場合、区切り文字なしに検索語を構成することを特徴とする、請求項７５に記載の電気電子機器のボタン効率増大方法。
【請求項７８】
検索語にある任意の区切り文字単位のアルファベットスペリング数が、
ＤＢにある探そうとする単語または句を構成する固有文字単位のピン音化によるアルファベットスペリング数と同じ数であるか、それとも不足した数であるかを機器に知らせる信号システムを有し、適切な候補単語がディスプレイされるようにし、所望の単語を選択できるようにすることを特徴とする、請求項７５、請求項７６または請求項７７のうちいずれか1つの項に記載の電気電子機器のボタン効率増大方法。
【請求項７９】
同一の文字入力モードで１つのボタンに割り当てられた文字が２つ以上である文字ボタンが存在する機器で、
検索語のアルファベットに確定文字または未知文字が含まれることを特徴とする、請求項７５、請求項７６、請求項７７または請求項７８のうちいずれか1つの項に記載の電気電子機器のボタン効率増大方法。
【請求項８０】
ボタンを押して作業を行う電気電子機器の一部または全部のボタン使用効率を増大させる方法において、
同一時点でオン（ＯＮ）状態である２つ以上のボタンの組み合わせ、組み合わせ順序、または押し方を含む組み合わせ状況によって予め指定された作業を行い、
対象となる組み合わせまたは組み合わせ状況は、コンピューターのＥｓｃボタン、Ｈｏｍｅボタン、Ｄｅｌｅｔｅボタン、携帯電話の機能ボタン、デジタルカメラの機能ボタン、リモコンの機能ボタンのように、従来には組み合わせ誘導機能がなく、固有の作業を行う機能ボタンが組み合わせ誘導ボタンとして使用される場合であることを特徴とする電気電子機器のボタン効率増大方法。
【請求項８１】
図１２に示すように文字ボタン部及び他のボタン部を有するキーボードにおいて、
文字ボタン部（Ａ）にある各文字ボタンのうち、いずれか1つの文字ボタンであっても方向ボタン部（Ｂ）または補助数字ボタン部（Ｃ）を含むその他の空間に移動し、右手と左手の作業負荷の差を減少させ、使用上の利便性を増進させることを特徴とする電気電子機器のボタン効率増大方法。
【請求項８２】
コンピューターのキーボードでボタンに２つ以上の文字が割り当てられているとき、ダブルクリックで２番目の文字が書かれるようにすることを特徴とする電気電子機器のボタン効率増大方法。
【請求項８３】
‘Ｔ９など’を含むＤＢを用いた文字データ検索方式で、
同一の文字入力モードで１つのボタンに割り当てられた文字が２つ以上である文字ボタンが存在する携帯用通信機器において、
確定文字が含まれるように検索語を構成することを特徴とする電気電子機器のボタン効率増大方法。
【請求項８４】
‘Ｔ９など’を含むＤＢを用いた文字データ検索方式で、
同一の文字入力モードで１つのボタンに割り当てられた文字が２つ以上である文字ボタンが存在する携帯用通信機器において、
未知文字が含まれるように検索語を構成することを特徴とする電気電子機器のボタン効率増大方法。
【請求項８５】
同一の文字入力モードで１つのボタンに割り当てられた文字が２つ以上である文字ボタンが存在する携帯用通信機器において、
検索語のアルファベットに確定文字が含まれることを特徴とする、請求項７５、請求項７６、請求項７７、請求項７８または請求項７９のうちいずれか1つの項に記載の電気電子機器のボタン効率増大方法。
【請求項８６】
同一の文字入力モードで１つのボタンに割り当てられた文字が２つ以上である文字ボタンが存在する携帯用通信機器において、
検索語のアルファベットに未知文字が含まれることを特徴とする、請求項７５、請求項７６、請求項７７、請求項７８または請求項７９のうちいずれか1つの項に記載の電気電子機器のボタン効率増大方法。
【請求項８７】
文字入力モードを変更せずに、‘Ｔ９など’の文字入力モードをそのまま維持した状態で、確定文字を組み合わせボタン方式で入力することを特徴とする、請求項７９、請求項８３または請求項８５のうちいずれか1つの項に記載の電気電子機器のボタン効率増大方法。
【請求項８８】
同一の文字入力モードで１つのボタンに割り当てられた文字が２つ以上である文字ボタンが存在し、ボタンを押して作業を行う電気電子機器のボタン使用効率を増大させる方法において、
組み合わせ対象ボタンに割り当てられた各文字のうち、組み合わせ誘導ボタンに割り当てられた数字の順序に該当する文字が書かれるようにすることを特徴とする電気電子機器のボタン効率増大方法。
【請求項８９】
検索語のスペリング数が、探そうとするデータのスペリング数と一致するという区切り文字を含む信号を用いて、検索語のスペリング数と一致する数のスペリングを有するデータのみを検索するようにすることを特徴とする、請求項２３に記載の電気電子機器のボタン効率増大方法。
【請求項９０】
検索語にある任意の区切り文字単位のアルファベットスペリング数が、
ＤＢにある、探そうとする単語または句を構成する固有文字単位のピン音化によるアルファベットスペリング数と一致するという区切り文字を含む信号を使用して、検索語の区切り文字単位のスペリング数と一致する数のスペリングを有するデータのみを検索するようにすることを特徴とする、請求項７８に記載の電気電子機器のボタン効率増大方法。
【請求項９１】
検索語にある任意の区切り文字単位のアルファベットスペリング数が、
ＤＢにある、探そうとする単語または句を構成する固有文字単位のピン音化によるアルファベットスペリング数より少ない区切り文字を含む信号を用いて、検索語の区切り文字単位のスペリング数より多い数のスペリングを有するデータのみを検索するようにすることを特徴とする、請求項７８に記載の電気電子機器のボタン効率増大方法。
【請求項９２】
図１２に示すように、文字ボタン部、方向ボタン部及び補助数字ボタン部を有するキーボードにおいて、文字ボタン部、方向ボタン部または補助数字ボタン部の位置を互いに変えることを特徴とする電気電子機器のボタン効率増大方法。
【請求項９３】
キーボードは、コンピューターのキーボードに限定することを特徴とする、請求項６８、請求項６９、請求項７０、請求項７１、請求項７２または請求項７３のうちいずれか１つの項に記載の電気電子機器のボタン効率増大方法。
【請求項９４】
請求項２２、請求項２３または請求項２４のうち、いずれか１つの項の方法を、同一の文字入力モードで１つのボタンに割り当てられた文字が２つ以上である文字ボタンが存在する携帯用通信機器に限定することを特徴とする電気電子機器のボタン効率増大方法。
【請求項９５】
請求項７３におけるトグルキーは、携帯電話、ＰＤＡ及び有線電話機を含む通信機器のハングル、英文、特殊文字、数字及び漢字を含む文字モード変換ボタンであることを特徴とする電気電子機器のボタン効率増大方法。
【発明の詳細な説明】
【技術分野】
【０００１】
本発明は、電気電子機器のボタン効率増大方法に関するもので、より詳細には、コンピューターのキーボード、電話気類のキーボード、電子計算機のキーボードなどのボタン操作を行うときの不具合を改善し、利便性と操作効率を増大するためのものである。
【背景技術】
【０００２】
本発明の記述として、背景技術は発明を実施するための形態の欄で一緒に言及した。
【発明の概要】
【発明が解決しようとする課題】
【０００３】
本発明の目的は、作業の種類よりもボタン数が少ないときの機器のボタン操作効率の増大方法に関するものである。特に片手でも操作ができるように、既存の方式である各ボタンの押し方式（短押し、長押し、ダブルクリック、トリプルクリック等の押す回数など）をそのまま維持しながら、本発明の方法によっても作業が行われるようにした。要するに、本発明の目的は、既存の製品にボタンなどのハードウェア的な部品を追加することなく、既存のボタン操作方法をそのまま使用しながら別途の方法を提供し、既存の作業を容易に行えるとともに、新しい作業も行えるようにすることで、ボタンの多機能化を増大し、作業時間を減少させ、利便性を向上させることにある。
【課題を解決するための手段】
【０００４】
上記のような目的を達成するための本発明は、キーボード上のボタンを押すことによって使用される装置のボタンの一部或いは全部の作用を強化する方法に関する。これにより、ユーザーは限られた数のボタンを用いてより多くの作業をより便利によりスピーディに行うことができる。このことは機能ボタンや文字ボタンのような非組合せ誘導ボタンを組合せ誘導ボタンに切り替えることによって行われる。こうして事前に指定された作用が、ボタンの組合せやその組合せの順番や同時にオン状態にある２つ以上のボタンの打ち方のような状況に応じて達成されることができる（作用に係わる組合せやその組合せ態様の指定は、製造者又は非製造者の何れかによって決定可能である）。
【０００５】
また、あるボタンが、別のボタンと組み合わされる場合に特殊な作用（例えば、別のボタンに付与された第２の文字のタイピングを可能とする作用）をもたらす組み合わせ誘導ボタンに指定されても、それでもやはりその特殊な作用と同じ作用を引き起こすその他のボタンが上述の別のボタンと組み合わされる場合にも同じ作用が行われることができる。すなわち、同じ作用をもたらす２つ以上の組み合わせ誘導ボタンを確保する方法や１つ以上を確保する方法は製造者又は非製造者によって指定される。また、あるボタンが組み合わせ誘導ボタンとして用いられるときに引き起こされる作用は、その他のボタンとの空間的な位置関係によっては変わらない。その他のボタンとの空間的な位置関係とは無関係に常に同じ指定ができるようにすることによって、あるボタンと別のボタンが共に文字ボタンであって文字入力モードの状態にある場合に、文字入力の利便性とスピードを向上することができる。
【発明の効果】
【０００６】
上記のような本発明によると、ディスプレイ部及び各ボタン部を有する機器においては、各ボタン部のうち、使用頻度の高いボタン部であるほどディスプレイ部の近くに位置するように配置し、作業の利便性を向上させることができる。
【０００７】
すなわち、計算機の場合には、ディスプレイ部と数字ボタン−四則演算記号ボタン部との距離を近くし、目の焦点の移動範囲を少なくすることで、疲れを少なく感じるようにし、利便性を向上させ、タイピングミスの確率を減少させ、ディスプレイ部による検算及び確認も容易に行えるようにし、作業時間も短縮することができる。
【０００８】
また、電話機類の場合には、電話機類のディスプレイ部と文字ボタン部との距離を近くすることで、下記のような効果を得ることができる。
【０００９】
第一に、目の焦点の移動範囲を少なくすることで、疲れを少なく感じるようにし、利便性を向上させ、タイピングミスの確率を減少させ、ディスプレイ部による確認も容易に行えるようにし、作業時間も短縮することができる。
【００１０】
第二に、機器を安定的につかみ、親指を不便でない曲げ角度の範囲で曲げることで、文字ボタンを自然に押すことができる。
【００１１】
また、コンピューターのキーボードの場合には、組み合わせ誘導ボタンをキーボードの１行または２行など、すなわち、キーボードの上側に配置し、組み合わせ誘導ボタンを親指以外の指（特に小指）で押し、他のキーを親指で押すことなどによって、片手で組み合わせ誘導ボタン作業を容易に行えるようになり、トグルキーの場合には、トグルキーに割り当てられたモード別に他の信号のモード変更信号を割り当て、自分の意思通りに確実にモード変更を行えるようになる。
【００１２】
したがって、現在のモードが自分が望むモードと一致するにもかかわらず、勘違いして所望のモードに変更しようとするとき、所望のモードへの変更信号を与えても誤作業が発生しない。また、現在のモードに対する判断が不確実であると考えられると、まず、自分が望むモードへの変更信号を与えた後、作業を進めればよいので、ランプなどのモード確認装置が事実上必要でなくなり、キーボードを覚えている人は、作業の途中にモード確認のための動作を行う必要がなくなる。
【００１３】
また、電話機類を含む電子機器のボタン使用においては、特に、本発明の文字入力方式において、後述する利点のうちいくつかを挙げると下記の通りである。
【００１４】
１．最も大きい利点として、本発明の方法を独自に使用しながらも、他の文字入力方式モード（マルチタップ、‘Ｔ９など'、様々なハングル入力方式（サムスンの天地人、ＬＧ電子のＥＺなど）、その他の外国語入力方式）で文字入力モードの変更なしに本発明の方法を他の文字入力方式と同時に使用することができる。また、その過程で、他の文字入力方式の効率を極大化するとともに、他の文字入力方式に対して排他的でなく、共存・和合する特性がある。そのため、本発明の方法を用いることに混乱をもたらす要素はない。
【００１５】
特に、‘Ｔ９など'の最大の短所として、検索語の入力時に候補単語が多く提示され、単語を選び出すことが難しいこと、データベース（以下、ＤＢと称する）にない単語は文字入力方式モードを変更してから入力すべきであるという不便さを画期的に解消する。すなわち、‘Ｔ９など'の文字入力モードで文字入力モードの変更なしに検索語に確定文字、未知文字または候補文字を２打以内で入力することができるので、検索語のうち１つのスペリングのみを確定文字として入力するとしても、候補単語数を一気に減らせることができ、未知文字を使用して検索語の入力時間を最小化することができ、ＤＢにない単語も、‘Ｔ９など'の文字入力モードでモードの変更なしに全てのスペリングを確定文字として直ぐに入力することができる。
【００１６】
そのため、漢字などの表意文字も容易に入力することができる。
【００１７】
マルチタップ方式モードにおいても、マルチタップ方式をそのまま使いながら本方法を適用して、全ての文字を２打以内で入力することができ、同一のボタンに割り当てられた文字を連続的に入力するとき、その前の文字を確定するという意味で右側矢印ボタンを押したり、約２秒待つ行為をなくすことができる。
【００１８】
２．０〜９までの１０個のボタンに９文字ずつ、総９０文字を割り当てるとしても、短打で最初の文字を直ぐに入力することができ、残りの文字は、ダブルクリックや短打からなる２打の組み合わせで容易に入力することができる（長く押す必要がない）。
【００１９】
任意の音素を入力するとき、２打の場合に比べ３打以上または長く押すことによって、大きく不便さを感じる点を解消することができる。
【００２０】
そのため、ハングル入力時に４０個のハングル音素を全て割り当て、２打以内に全ての音素を入力することもできる。従来、ハングルにおいては、一般的に、簡単な音素を組み合わせて３〜５打の多くの打数で複雑な音素を作りながら文字を入力しているが、このような入力方式の固定観念を打ち破ることができる。しかしながら、既存のハングル入力方式で３〜５打で生成可能な音素のみを追加的に完成型で割り当て、既存の方法をそのまま使用すること、即ち本発明の方法と同時に使用することもできる。
【００２１】
もちろん、これは、より多い文字数を有する日本語（５０個）、ヒンディー語（４６個）、タイ語（７６個）においても可能である。
【００２２】
このような理由で、助詞の変化が多くて‘Ｔ９など’の文字入力方式を適用することが難しいハングルや日本語なども、マルチタップモードで本方法を適用することで、充分に容易に入力することができる。
【００２３】
頻繁に使用する約２０〜３０個の特殊文字は、ボタンを一般文字の直ぐ隣に割り当てておき、一般文字モードからモードの変更なしに直ぐに２打以内で入力することができる。
【００２４】
これは、携帯電話などの小型キーパッドでの文字入力方式のうち、最も速い速度を有すると予想される。
【００２５】
３．指の移動範囲または指どうしの干渉を最小化することができる。
【００２６】
４．クワーティキーボードに適用しても良いが、クワーティキーボードでない、小型キーパッドを有する中低価型機器にも適用可能である。これにより、クワーティキーボードの文字入力速度にほぼ匹敵させることができる。
【００２７】
５．その他にも多様な利点があるが、後述する。
【図面の簡単な説明】
【００２８】
【図１】既存の携帯電話の概略的なボタンの割り当て図である。
【図２】本発明による第１ボタン乃至第４ボタンになり得る数多くの組み合わせのうちのいくつかの組み合わせ表である。
【図３】本発明による第１ボタン乃至第４ボタンになり得る数多くの組み合わせのうちのいくつかの組み合わせ表である。
【図４】本発明による第１ボタン乃至第６ボタンになり得る数多くの組み合わせのうちのいくつかの組み合わせ表である。
【図５】本発明による第１ボタン乃至第６ボタンになり得る数多くの組み合わせのうちのいくつかの組み合わせ表である。
【図６】本発明による第１ボタン乃至第８ボタンになり得る数多くの組み合わせのうちのいくつかの組み合わせ表である。
【図７】本発明による第１ボタン乃至第８ボタンになり得る数多くの組み合わせのうちのいくつかの組み合わせ表である。
【図８】従来の計算機のディスプレイ部及び各ボタン部の配置図である。
【図９】本発明の方法を用いた計算機の概略的なディスプレイ部及び各ボタン部の配置図である。
【図１０】従来の携帯電話の概略的なディスプレイ部及び各ボタン部の配置図である。
【図１１】本発明の方法を用いた携帯電話の概略的なディスプレイ部及び各ボタン部の配置図である。
【図１２】従来の一般的なキーボードを示した状態図である。
【図１３】本発明を用いた最適な例の1つである文字ボタン部を右側に移した配置図である。
【発明を実施するための形態】
【００２９】
以下、本発明の電気電子機器のボタン効率増大方法に対して詳細に説明する。
【００３０】
本出願は、コンピューターのキーボード、電話機類のキーボード、電子計算機のキーボードなどのボタン作業を行うときの不具合を改善し、利便性と効率を増大するために、次のような４つの分野の改善案を整理したものである。
【００３１】
第一に、計算機と電話機類の使用頻度が高いボタンをディスプレイ部の近くに配置する。
【００３２】
第二に、コンピューターのキーボードの組み合わせ誘導ボタンを上側に配置する。
【００３３】
第三に、コンピューターのトグルキーの使用方法を改善する。
【００３４】
第四に、その他の電子機器ボタンの組み合わせによって新しい作業を創出する（特に、文字入力方法に重点を置く）。
【００３５】
以下の説明で、上述した４つの分野の改善案を順次的にＡＡＡ部、ＢＢＢ部、ＣＣＣ部、ＤＤＤ部として表現する。
【００３６】
理解を助けるために、背景技術と本発明の構成及び効果も従来技術と比較しながら記述する。
【００３７】
上述した１番目の改善案（以下、‘ＡＡＡ部'という）の用語を下記のように定義する。
【００３８】
まず、計算機の例を挙げてみる。
【００３９】
１．ディスプレイ部：通常の液晶画面がディスプレイ部に属する。
【００４０】
２．数字ボタン部：０〜９の数字が割り当てられた各ボタンが位置した区域。
【００４１】
３．四則演算記号ボタン部：足し算、引き算、掛け算、割り算、ＥＮＴＥＲ（＝イコール）ボタンが位置した区域。
【００４２】
４．数字ボタン−四則演算記号ボタン部：数字ボタン部と四則演算記号ボタン部とを統合して称する用語。
【００４３】
５．その他のボタン部：数字ボタンと四則演算ボタンを除いた機能ボタン及び関数ボタンなどが位置した区域。
【００４４】
６．ボタン部：数字ボタン−四則演算記号ボタン部またはその他のボタン部のように、特性が類似したもの同士に分類したボタン群が位置した区域。
【００４５】
７．各ボタン部：ディスプレイ部を除いた、すなわち、各ボタンが位置した全ての区域。
【００４６】
また、電話機類の例を挙げてみる。
【００４７】
１．ディスプレイ部：通常の液晶画面がディスプレイ部に属する。
【００４８】
２．文字：文字、数字及び記号などを統合して称する用語。
【００４９】
３．機能：文字表示作業を除いた作業を行う能力。
【００５０】
５．文字ボタン部：文字を書くための各ボタンが位置した区域（０〜９、＊、＃が代表文字として割り当てられた、通常の１２個のボタンが位置した区域）。
【００５１】
６．機能ボタン部：文字を書く作業以外の作業を行うための各ボタンが位置した区域。
【００５２】
７．ボタン部：文字ボタン部または機能ボタン部のように、特性が類似したもの同士に分類したボタン群が位置した区域。
【００５３】
８．各ボタン部：ディスプレイ部を除いた、すなわち、各ボタンが位置した全ての区域。
【００５４】
９．電話機類：家庭用電話機、携帯電話及びＰＤＡなどを統合して称する用語。
【００５５】
上述した２番目の改善案（以下、‘ＢＢＢ部'という）の用語は、下記のように定義する。
【００５６】
１．組み合わせ誘導ボタン：シフト（ｓｈｉｆｔ）、コントロール（ｃｔｒｌ）、オルト（ａｌｔ）キーなどのように、単独では如何なる機能も行うことができなくて、自身と他のキーとの組み合わせによって何らかの機能を発揮するキーである。主に、自身が押された状態で他のキーを押すと、何らかの機能を行うようになる。例えば、コントロールキーが押された状態でＰボタンを押すと、印刷メニューがポップアップされる。このように、プログラムの数多いメニューは、ほとんど組み合わせ誘導ボタンを必要とする短縮キーによって使用可能になっている。通常、キーボードの右側と左側にシフト、コントロール、オルトキーが１セットずつある。
【００５７】
２．左側の組み合わせ誘導ボタン：キーボードの左側に位置して割り当てられた組み合わせ誘導ボタン。
【００５８】
３．右側の組み合わせ誘導ボタン：キーボードの右側に位置して割り当てられた組み合わせ誘導ボタン。
【００５９】
４．組み合わせ誘導ボタンの作業：組み合わせ誘導ボタンを通して何らかの命令をしたいとき、組み合わせ誘導ボタンと他のキーを押す作業。
【００６０】
５．親指以外：親指を除いた小指、薬指、中指、人差し指を統合して称する用語。
【００６１】
上述した３番目の改善案（以下、‘ＣＣＣ部'という）の用語は、下記のように定義する。
【００６２】
１．文字：文字、数字、記号及びスペースなどを統合して称する用語。
【００６３】
２．トグルキー：1つのキーが２つ以上のモード転換などの機能を行うキー。
【００６４】
例）韓英キー（ハングル、英文転換キー）などの文字モード転換キー。
【００６５】
ＣＡＰＳ  ＬＯＣＫキー：英文大文字モードと英文小文字モードの転換キー。
【００６６】
ＮＵＭ  ＬＯＣＫキー：キーボードの右側コーナーにある３行３列の別途の数字パッドでキーを押すときの数字モードと方向モードの転換キー。
【００６７】
ＳＣＲＯＬＬ  ＬＯＣＫキー：スクロール機能の設定、解除の転換キー。
【００６８】
ＩＮＳＥＲＴキー：文字入力時の挿入、修正の転換キー。
【００６９】
３．押し方式：キーの押し方。
【００７０】
例）短打：短く一回押す
ダブルクリック：短く二回連続的に速く押す。
【００７１】
トリプルクリック：短く三回連続的に速く押す。
【００７２】
長打：長く（約１秒以上）押し状態を維持しながら押す。
【００７３】
４．ＡキーとＢキーの同時押し：Ａキーを押した状態でＢキーを押す、押し方。
【００７４】
５．オン（ＯＮ）：接点が維持されている状態。
【００７５】
６．オフ（ＯＦＦ）：接点が分離されている状態。
【００７６】
７．組み合わせ状況：キーの単独作用または他のキーとの組み合わせ状況、または、組み合わせるときにオンになった順序、押し方などの状況。
【００７７】
８．組み合わせ誘導ボタン：コントロールキー、オルトキー、シフトキーなどのように他のキーとの組み合わせをもたらすボタン。
【００７８】
９．モード確認装置：現在のモードが如何なるモードであるかを表示するランプなどの装置。
【００７９】
上述した４番目の改善案（以下、‘ＤＤＤ部'という）の用語は、下記のように定義する。
【００８０】
１．オン（ＯＮ）：接点が維持されている状態。
【００８１】
２．オフ（ＯＦＦ）：接点が分離されている状態。
【００８２】
３．文字：文字、数字及び記号などを統合して称する用語。
【００８３】
４．機能：作業を進める能力（状況によって、文字表示作業を除いた作業を行う能力を称することもある）。
【００８４】
５．文字ボタン：オンにして文字を書くためのボタンまたは０〜９、＊、＃からなる１２個のボタン。
【００８５】
６．機能ボタン：オンにして文字を書く作業以外の作業を行うためのボタン。
【００８６】
７．組み合わせ誘導ボタン：自身がオンになった後、オフになる前まで（またはオフになった後）、他のボタンがオンになる組み合わせによって何らかの作業を行ったり、他のボタンがオンになった後、オフになる前まで（またはオフになった後）、自身がオンになる組み合わせによって何らかの作業を行うためのボタン。
【００８７】
すなわち、組み合わせ誘導ボタンを先にまたは後で使用することは、製造者または製造者でない者が任意に決定する。
【００８８】
そして、当然に自身のみがオンになって（またはオフになった後）何らかの作業を行うボタン、すなわち、従来方式では組み合わせ誘導ボタンでないが、本発明の方法によって組み合わせ誘導ボタン化されたものを称する場合もある。
【００８９】
このような状況以外にも、１９番で言及する組み合わせ状況をもたらす機能を有する各ボタンを統合して称する用語である。
【００９０】
８．組み合わせ誘導のみを専ら行うボタン（シフトボタン類）：シフトボタン、コントロールボタン、オルトボタンなどの組み合わせ誘導ボタンとして、単独では作業が不可能なボタン。
【００９１】
９．ボタン＋数字（例えば、ボタン３は、３が割り当てられたボタンまたは３が割り当てられたボタンを押すことを意味する）。
【００９２】
１０．押し方式：短押し、長押し、ダブルクリック、トリプルクリック等の押す回数などをいう。
【００９３】
１１．組み合わせ状況：ボタンの単独作用、または他のボタンとの組み合わせ状況、または組み合わせられたときのオンになった順序、押し方などの状況。
【００９４】
１２．作業：機器で変化がある全ての状況をいう。例えば、カーソルが動くこと、文字が書かれることも作業に属する。
【００９５】
１３．予め特定の作業が指定された各ボタンの組み合わせ：既存に行われていた作業の短縮キーであるか、新しい作業を行う組み合わせである。
【００９６】
１４．既存のボタン使用方法：使用者が所望の作業を行うのに必要な既存製品の各ボタンの位置、各ボタンに割り当てられた文字、ボタン組み合わせなどをいい、本発明と関連があるボタンのオンまたはオフ調節は考慮しない方法。
【００９７】
１５．Ｔ９など：単語ＤＢを活用してスペリングが確定されていない状態で入力しても、オンになった各ボタンに割り当てられた各スペリングの組み合わせによって、形成可能な１つ以上の単語を使用者に提示し、使用者がそのうち所望の単語を選択する、従来の方式を総称する用語である。
【００９８】
より詳細に説明すると、例えば、文字入力方式のうち、１つのボタンに多数の文字が割り当てられているにもかかわらず、１回だけ押す方式などでスペリングを確定していない候補文字状態でスペリングを入力し、入力された各スペリングによって形成可能な１つ以上の単語を機器が使用者に提示すると、使用者は、自分が望むスペリングを有する単語を選択する方式の文字入力方式である。サムスンでは‘Ｔ９モード’と称し、モトローラでは‘ｉＴＡＰモード’と称し、ノキアでは‘ＰＲＥＤＩＣＴＩＶＥ  ＴＥＸＴ  ＩＮＰＵＴモード’と称するなど、携帯電話の製造社ごとに方式と名称が多少異なる。例えば、‘Ｔ９方式’の場合、‘４６６３’の各数字ボタンを押すと、‘４’には‘ＧＨＩ’が割り当てられており、‘６’には‘ＭＮＯ’が割り当てられており、‘３’には‘ＤＥＦ’が割り当てられているので、これらの組み合わせを辞典データベースで機器が検索し、使用頻度順に‘ＧＯＮＥ’、‘ＨＯＭＥ’、‘ＨＯＯＤ’、‘ＨＯＯＦ’、‘ＨＯＮＥ’、‘ＧＯＯＦ’を機器が提示すると、使用者が所望の単語にカーソルをおいて、所望の単語を選択する形式である。
【００９９】
１６．確定文字：‘Ｔ９など’の文字入力方式を改善するために本発明で使用する方法として、‘Ｔ９など’の文字入力モードでもスペリングが確定されて入力された文字。
【０１００】
１７．候補文字：従来の‘Ｔ９など’の入力方式の場合と同様に、いずれかの文字ボタンをオンにしたとき、そのボタンに割り当てられたいくつかの文字。例えば、ボタン４をオンにすると、‘Ｇ’、‘Ｈ’、‘Ｉ’が候補文字になる。
【０１０１】
１８．未知文字：‘Ｔ９など’の文字入力方式を改善するために本発明で使用する方法として、全ての文字ボタンに割り当てられた全ての文字が候補になり得る文字で、コンピューターで検索するときには主に‘＊’または‘？’を使用する。１つの未知文字が２文字以上の連続した文字に取り替えられるように規定することもできる。
【０１０２】
１９．組み合わせ：今まで、組み合わせは、２つのボタンが同時にオンになる時点が存在するときのみをいうものと見なされたが、組み合わせボタンを多く使用すると、未だに熟達していない場合、すなわち、２つのボタンを順次的にオンにしながら同時にオフにすることの連続が難しい場合に備えて、先にオンになったボタンがオフになった時刻と、後でオンになったボタンがオンになった時刻が所定の時間間隔以内であるときに組み合わせと認識することもできる。このとき、２つのボタンをオン・オフにして２つの文字を入力したい場合、すなわち、２つのボタンの全てを文字ボタンとして作用させるためには、先にオンになったボタンがオフになった時刻と、後でオンになったボタンがオンになった時刻を所定の時間間隔以上で操作すべきである。
【０１０３】
そして、ボリューム調節ボタンやインターネット連結ボタンを含む文字入力モードでは、オンにしても何らの応答がないボタンを組み合わせ誘導ボタンとして指定する場合、組み合わせ誘導ボタンと組み合わせ対象になるボタンが同一時点でオンになる状態がなく、先にオンになったボタンがオフになった時刻と、後でオンになったボタンがオンになった時刻との時間間隔の制限がない場合にも各ボタン間の組み合わせと見なすことができる。
【０１０４】
２０．アルファベット：英語のアルファベット、それと類似したヨーロッパ圏の文字またはハングルなどを含む全ての表音文字の音素を称するが、全ての文字を称することもある。
【０１０５】
２１．ボタン：有形のボタンのみならず、タッチパッド、レーザーパッドなどの無形のボタンを統合して称する。
【０１０６】
２２．文字：記号や数字でないアルファベット、ハングル、日本文字または漢字などを統合して称するが、日常生活で使われる記号や数字を含む全ての文字を称することもある。
【０１０７】
以下、上記のＡＡＡ部に対して具体的に説明する。
【０１０８】
ディスプレイ部及び各ボタン部を有する機器において、ディスプレイ部及び各ボタン部のうち、使用頻度が高い各ボタン部の間に使用頻度が低いボタン部が挟まれており、機器のボタンを押してディスプレイ部を確認する過程を反復するとき、目の焦点の移動範囲が広くて不便であり、疲れによってタイピングミスも生じやすくなり、ディスプレイ部による確認も難しくなり、作業時間も長くかかる。
【０１０９】
以下、計算機を例に挙げて説明する。
【０１１０】
本発明の方法を説明するため、従来の計算機における外形部を大きく三つの構成要素に区分すると、ディスプレイ部、数字ボタン−四則演算記号ボタン部及びその他のボタン部に分けられる。計算機の使用において、数字ボタン−四則演算記号ボタン部の使用頻度がその他のボタン部に比べ遥かに高い。そのため、数字ボタン−四則演算記号ボタン部と、入力された内容を表示するディスプレイ部に視線が集中する。ところが、従来の計算機における各構成要素の配置を見ると、ディスプレイ部が上側に位置し、その他のボタン部が中間に位置し、数字ボタン−四則演算記号ボタン部が下側に位置しているので、目の移動範囲が上側から下側、すなわち、広い範囲に亘る場合が多い。そのため、疲労を感じやすくなり、不便さのためにタイピングミスが生じやすくなり、またディスプレイ部による検算・確認が難しくなり、作業時間も長くなる。
【０１１１】
また、電話機類を例に挙げて説明する。
【０１１２】
従来の電話機類において本発明の方法を説明するため、外形部の構成要素を大きく三つに区分すると、ディスプレイ部、文字ボタン部及び機能ボタン部になる。
【０１１３】
第一に、電話機類の使用において、文字ボタン部の使用頻度が機能ボタン部の使用頻度に比べ遥かに高い。そのため、文字ボタン部と、入力された内容を表示するディスプレイ部に視線が集中する。ところが、従来の電話機類における各構成要素の配置を見ると、ディスプレイ部が上側に位置し、機能ボタン部が中間に位置し、文字ボタン部が下側に位置しているので、目の移動範囲が上側から下側、すなわち、広い範囲に亘る場合が多い。そのため、疲労を感じやすくなり、不便さによってタイピングミスが生じやすくなり、またディスプレイ部による確認が難しくなり、作業時間も長くなる。
【０１１４】
第二に、電話機類の機器をつかむ行為と文字ボタンを押す行為を片手で同時に行う場合、文字ボタン部が下側に位置するので親指で文字ボタン部を押すと、電話機類の下側部分に対するつかみが不安定になる。また、電話機類の中間をつかむと、親指を下側へ過分に曲げるようになる。下側部分をつかむことは、機器の一部のみをつかむことを意味し、つかみ状態の維持に対する安定感が低下し、機器を落としやすいし、実際に落とす事例も多い。さらに、機器の中間をつかんで文字ボタン部を押すときには、親指を過度に曲げる場合が多く、依然としてつかみ状態の維持に対する安定感も低下し、文字ボタン部のうち下側のボタンを押すとき、より一層不便を感じる。結局、‘＊’、‘＃’、‘０’が割り当てられたボタンを押すときに最も不便となる。
【０１１５】
以下、上述したＡＡＡ部の問題点を解決するための方法を説明する。
【０１１６】
ディスプレイ部及び各ボタン部を有する機器において、各ボタン部のうち使用頻度の高いボタンをディスプレイ部の近くに配置する方法である。
【０１１７】
Ａ．計算機の例
【０１１８】
従来の問題点を解決するために、ディスプレイ部と使用頻度の高い数字ボタン−四則演算記号ボタン部との距離を短くする。すなわち、問題解決方法の一例としてディスプレイ部を上側に配置し、数字ボタン−四則演算記号ボタン部を中間に配置し、その他のボタン部を下側に配置する。
【０１１９】
Ｂ．電話機類の例
【０１２０】
従来の問題点を解決するために、ディスプレイ部と使用頻度の高い文字ボタン部との距離を短くし、従って文字ボタン部を機器の下側に配置する従来の方法は採らない。すなわち、問題解決策の一例としてディスプレイ部を上側に配置し、文字ボタン部を中間に配置し、機能ボタン部を下側に配置する。
【０１２１】
以下、上記のＢＢＢ部に対して具体的に説明する。
【０１２２】
コンピューターのキーボードを使用する場合、組み合わせ誘導ボタンで作業を行うときには２つ以上のキーを押すべきである。両手で1つずつキーを押すと問題がないが、片手でマウスを持つ場合のように片手を使用できない場合、または片手のみを使用したいときには、組み合わせ誘導ボタンがキーボードの下側に位置するから不便である。その理由は、組み合わせ誘導ボタンの位置が人体工学的に割り当てられてないからである。
【０１２３】
キーボードのキーを押すために指をキーボードの上で広げると、親指以外の指は自分の胸から遠く位置するようになる。図１２を参照すると、親指以外の指先は１行側に近くなり、親指は６行側に近くなる。
【０１２４】
そのため、６行にあるスペースキーを親指で押すのは便利である。すなわち、親指の指先が６行側にあるので、６行にあるスペースキーを押すことが便利である。
【０１２５】
しかしながら、従来のキーボードにおいては、組み合わせ誘導ボタンが５行（シフトキー）や６行（コントロールキーまたはオルトキー）にあるので、組み合わせ誘導ボタン作業を片手で行う場合、以下のように２つの問題点が発生する。
【０１２６】
第一に、キーボードの左側に位置した組み合わせ誘導ボタンで組み合わせ誘導ボタン作業を行うときの問題点として、左手の親指で組み合わせ誘導ボタンを押した状態で左手の親指以外の指で他のキーを押すためには、手首などを無理な角度で右側に回すべきであり、右手の親指で組み合わせ誘導ボタンを押した状態で右手の親指以外の指で他のキーを押すと、右手の親指で組み合わせ誘導ボタンを押す瞬間にキーボードの左側部分が右手の甲によって隠れてしまい、左手の親指以外の指で組み合わせ誘導ボタンを押した状態で左手の親指で他のキーを押すことは事実上に不可能である。そのため、左手の親指以外の指のうち子指で組み合わせ誘導ボタンを押した状態または非常に不便な姿勢で左手の人差し指で他のキーを押すことができ、右手の親指以外の指で組み合わせ誘導ボタンを押した状態で右手の親指で他のキーを押すことは事実上に不可能である。
【０１２７】
第二に、キーボードの右側に位置した組み合わせ誘導ボタンで組み合わせ誘導ボタン作業を行うときの問題点は、上述した第一の問題点で言及した内容における右と左という単語を互いに変えると分かる。
【０１２８】
以下、上述したＢＢＢ部の問題点を解決するための方法を説明する。
【０１２９】
組み合わせ誘導ボタンをキーボードの１行または２行など、すなわち、キーボードの上側に配置し、組み合わせ誘導ボタンを親指以外（親指以外のうち特に子指）の指で押し、他のキーを親指で押す方法で、片手でも組み合わせ誘導ボタン作業を容易に行う方法である。
【０１３０】
また、図１２に示すように、従来のコンピューターのキーボードのうち、特にデスクトップ用に多く用いられるキーボードのボタン配列を、下記の説明のために‘Ａ’（文字ボタン部）、‘Ｂ’（方向ボタン部）、‘Ｃ’（補助数字ボタン部）と称して分けてみると、‘Ａ’部分の四角枠線内の中心側にある各文字ボタンが‘Ａ’部分のみにあるので、文字を入力した後、キーボードの右側に置いて使用するマウスまでの右手の移動距離が長い。これは、ほとんどの人が右利きであるためである。
【０１３１】
すなわち、従来のキーボードの配列は、マウスが存在しないときに考案された配列であり、今のようにマウスを使用する環境では左利き用であると見なすべきである。
【０１３２】
なぜなら、従来のキーボードの配列によると、右利きの場合、右手の作業負荷が左手の作業負荷に比べて遥かに大きい。左手は少数の組み合わせ誘導ボタン、機能ボタン及び左手が担当する文字ボタンのみを担当すればよいが、右手は、左手がする同じ種類の作業の他に、図１２の‘Ｂ’部分や‘Ｃ’部分にあるボタンとマウスまで担当している。
【０１３３】
そのため、各文字ボタンの位置が従来には‘Ａ’部分であったが、本出願では‘Ｂ’部分や‘Ｃ’部分を含む他の位置に分散し、右手と左手の作業負荷を同等にすることを提案する。実際に製品を生産するときには、文字ボタンのみを移すより、図１３のように‘Ａ’部分の四角枠内の全てのボタンと‘Ｂ’部分や‘Ｃ’部分の各ボタンとの相互の全面的な位置変えが美観的及び機能的な改善となることを提案する。すなわち、従来には、図１２に示すように‘ＡＢＣ’順序の配列であったが、本発明の方法を用いることで、‘ＢＡＣ’、‘ＣＡＢ’、‘ＢＣＡ’または‘ＣＢＡ’の順序にすることが可能となる。‘ＢＡＣ’または‘ＣＡＢ’より‘ＢＣＡ’または‘ＣＢＡ’の順序がさらに好ましい。その結果、‘Ｂ’部分や‘Ｃ’部分のボタン作業とマウス作業があるとき、左手では‘Ｂ’部分や‘Ｃ’部分のボタン作業を行い、右手でマウス作業を行うと非常に便利である。従来のキーボードでは、このような負荷の分配が容易でない。
【０１３４】
以下、上記のＣＣＣ部に対して具体的に説明する。
【０１３５】
コンピューター、電話機、携帯電話、ＰＤＡなどのキーボードのキーのうち、トグルキーの使用方式では従来のモード変更信号は同じである（短打に依存している）。そのため、自身がモード変更信号を与えたときにも、自身が所望のモードに変わったかどうかを確信できない場合が非常に多い。したがって、キーボードにＮＵＭ  ＬＯＣＫキー、ＣＡＰＳ  ＬＯＣＫキー、ＳＣＲＯＬＬ  ＬＯＣＫキーに対応するＮＵＭ  ＬＯＣＫランプ、ＣＡＰＳ  ＬＯＣＫランプ、ＳＣＲＯＬＬ  ＬＯＣＫランプという各ランプの点灯または消灯の可否によって現在如何なるモードであるかを確認する場合が多い。そして、韓英キーに対しては、モニター上に、現在の文字モードがハングルであると‘韓’などの文字モード表示を確認し、英文モードであると‘Ａ’などの文字モード表示を確認する場合が多い。このようなモード確認装置があるにもかかわらず、相変らず自分の望むモードと実際のモードとが異なり、誤作業を行う場合が多いので、所望のモードにモードを変えてから再び作業を行うべき場合が多い。なぜなら、現在のモード判断が正確でないにもかかわらず、自身は現在のモードを正確に判断したと錯覚し、モード確認装置による確認を行わず誤ったモードで作業を進めたり、特に短打で誤ったモードに変えて作業を進めることで、誤作業を行う場合が非常に多い。そのため、確認装置があるにもかかわらず、モード変更作業を１００％確実に行うことができない。作業ウィンドウを常に最大にするために、ウィンドウズ背景画面のタスクバーメニューで作業表示バーを自動的に隠すモードに設定し、活性のプログラムウインドウを最大化した状態ではタスクバーが消えてしまうので、タスクバーに表示される文字モードも当然に見えなくなり、タスクバーを自動的に隠すモードで作業ウィンドウを最大化した状態でインターネットサイトを開いて作業するときには、常に文字モードを知ることができなく、メモ帳などの一部のプログラムではプログラム自体で文字モードを表示しないので、文字モードを確認することができない。そのため、現在の文字モードが確実に判断できないにもかかわらず、マウスポインターをモニター画面の下側に移動させ、タスクバーにある文字モードを確認することが煩わしく、現在の文字モードが自分が望む文字モードである可能性を高く判断し、文字モードを確認せずに文字を入力したが、不幸にも自分が望む文字モードでなかった理由で誤作業になる場合も多い。また、インターネットサイトで会員登録をするときにＩＤやパスワードを入力すると、文字モードがハングルモードになっており、エラーメッセージが表れるので、英文モードに変えた後、再び入力する煩わしさがある。また、英文小文字で入力すべきであるが、現在の文字モードが英文の大文字モードになっており、エラーメッセージが表れるので、英文小文字モードに変えた後、 再び入力するという煩わしいこともある。英文大文字モードでも入力可能なサイトに会員加入するとき、自分は英文小文字でＩＤやパスワードを入力しようとしたが、そのときの文字モードが英文大文字モードであったため、英文大文字に誤って入力してしまい、後に英文小文字でログインしようとしたとき、ログインできない場合もある。ワ��ドプロセッサーなどの文書作業、インターネットでの検索語入力などのようにキーボードで作業を行う全ての場合には、上述した誤作業が頻繁に発生しており、コンピューター作業の時間が膨大に必要になるので、ストレスが加重される。
【０１３６】
以下、上述したＣＣＣ部の問題点を解決するための方法を説明する。
【０１３７】
上述した従来のエラーは、同じ信号（主に短打）によってモード変更信号が与えられることから発生する。これを解決するための方法として、モード別に異なるモード変更信号を与える方法を提案する。それで、自分の意志通りに確実にモード変更を行えるようになる。そのため、現在のモードに対する判断ができないと考えられると、まず、自分が望むモードの信号を与えてから作業を進めればよい。したがって、ランプなどのモード確認装置は、事実上に必要ないし、互いに異なるモード変更信号と特定のモードとのマッチングを確実に認識できない状態や、モード変更信号を与えた後に現在のモードを確認するときのみ必要である。
【０１３８】
以下、他の信号を与える方法に関して説明する。
【０１３９】
第一に、従来の１つのトグルキーの代わりに、モード別に異なるキーを割り当てる方法がある。
【０１４０】
この方法は、例えば、韓英トグルキーの代わりに、ハングルモードキーと英文モードキーを別途に置いて割り当てるように、文字モード転換トグルキーの代わりに文字種類ごとに別途に文字モードキーを置いて割り当てたり、ＣＡＰＳ  ＬＯＣＫトグルキーの代わりに、英文大文字モードキーと英文小文字モードキーを別途に置いて割り当てたり、ＮＵＭ  ＬＯＣＫトグルキーの代わりに、数字モードキーと方向モードキーを別途に置いて割り当てたり、ＳＣＲＯＬＬ  ＬＯＣＫトグルキーの代わりに、スクロール機能設定モードキーとスクロール機能解除モードキーを別途に置いて割り当てたり、ＩＮＳＥＲＴトグルキーの代わりに、挿入モードキーと修正モードキーを別途に置いて割り当てる方法である。
【０１４１】
第二に、従来のトグルキーをそのまま置いた状態でモード別に短打、ダブルクリック、トリプルクリック、長打などの互いに異なる押し方を割り当てた方法がある。
【０１４２】
この方法は、例えば、韓英トグルキーで、短打はハングルモード、ダブルクリックは英文モードに割り当てる場合のように、文字モード転換トグルキーで文字の種類ごとに別途に押し方を割り当てたり、ＣＡＰＳ  ＬＯＣＫトグルキーで短打は英文小文字モード、ダブルクリックは英文大文字モードに割り当てたり、ＮＵＭ  ＬＯＣＫトグルキーで短打は数字モード、ダブルクリックは方向モードに割り当てたり、ＳＣＲＯＬＬ  ＬＯＣＫトグルキーで短打はスクロール機能設定モード、ダブルクリックはスクロール機能解除モードに割り当てたり、ＩＮＳＥＲＴトグルキーで短打は挿入モード、ダブルクリックは修正モードに割り当てる方法である。
【０１４３】
第三に、従来のトグルキーをそのまま置いた状態でモード別にトグルキーと他のキーとの組み合わせを割り当てた方法がある。以下、例としてＡ、Ｂの２つの方法を説明する。
【０１４４】
Ａ．シフトキー、コントロールキー、オルトキーなどの組み合わせ誘導ボタンを先に押した状態でトグルキーを同時に押す方法。
【０１４５】
例えば、韓英トグルキーの単独短打はハングルモード、シフトキーと韓英トグルキーの同時押しは英文モードに割り当てる場合のように、文字転換トグルキーで文字の種類ごとに文字モード転換トグルキー単独短打または組み合わせ誘導ボタンと文字転換トグルキーとの同時押し方を割り当てたり、ＣＡＰＳ  ＬＯＣＫトグルキーの単独短打は英文小文字モード、シフトキーと韓英トグルキーとの同時押しは英文大文字モードに割り当てたり、ＮＵＭ  ＬＯＣＫトグルキーの単独短打は数字モード、シフトキーとＮＵＭ  ＬＯＣＫトグルキーとの同時押しは方向モードに割り当てたり、ＳＣＲＯＬＬ  ＬＯＣＫトグルキーの単独短打はスクロール機能設定モード、シフトキーとＳＣＲＯＬＬ  ＬＯＣＫトグルキーとの同時押しはスクロール機能解除モードに割り当てたり、ＩＮＳＥＲＴトグルキーの単独短打は挿入モード、シフトキーとＩＮＳＥＲＴトグルキーとの同時押しは修正モードに割り当てる方法。
【０１４６】
Ｂ．トグルキーと任意の全てのキー（または特定のキー）とを同時に押す方法。
【０１４７】
トグルキー単独で押す方法と、トグルキーと他の任意の全てのキー（または特定のキー）とを同時に押す方法。
【０１４８】
この場合、トグルキーによる信号は、トグルキーがオンになるときに確定される方式でなく、オフになるまでの他のキーとの組み合わせ状況によって決定される。
【０１４９】
例えば、韓英トグルキーの単独短打はハングルモード、韓英トグルキーと他の任意の全てのキー（または特定のキー）との同時押しは英文モードに割り当てる場合のように、文字モード転換トグルキーで文字の種類ごとに文字モード転換トグルキーの単独短打または文字モード転換トグルキーと他の任意の全てのキー（または特定のキー）とを同時に押す方法を割り当てたり、ＣＡＰＳ  ＬＯＣＫトグルキーの単独短打は英文小文字モード、ＣＡＰＳ  ＬＯＣＫトグルキーと他の任意の全てのキー（または特定のキー）との同時押しは英文大文字モードに割り当てたり、ＮＵＭ  ＬＯＣＫトグルキーの単独短打は数字モード、ＮＵＭ  ＬＯＣＫトグルキーと他の任意の全てのキー（または特定のキー）との同時押しは方向モードに割り当てたり、ＳＣＲＯＬＬ  ＬＯＣＫトグルキーの単独短打はスクロール機能設定モード、ＳＣＲＯＬＬ  ＬＯＣＫトグルキーと他の任意の全てのキー（または特定のキー）との同時押しはスクロール機能解除モードに割り当てたり、ＩＮＳＥＲＴトグルキーの単独短打は挿入モード、ＩＮＳＥＲＴトグルキーと他の任意の全てのキー（または特定のキー）との同時押しは修正モードに割り当てる方法。
【０１５０】
第四に、音声認識装置を通してモード別に異なる音声命令を割り当てる方法がある。
【０１５１】
第五に、動きをセンシングして動作を認識する動作認識装置を通して、モード別に異なる身体動作を割り当てる方法がある。
【０１５２】
例えば、舌を出す動作には自国語モードを割り当て、下唇を噛む動作には英文モードを割り当てる。
【０１５３】
第六に、表示ランプを置いて、点灯または消灯で各トグルキーのモードを表示する方法がある。
【０１５４】
以下、上記のＤＤＤ部に対して具体的に説明する。
【０１５５】
作業種類よりボタン数が少ないときの機器のボタン使用効率増大方法に関するものとして、片手でも操作が可能になるように、既存の方式である各ボタンを押し方（短押し、長押し、ダブルクリック、トリプルクリック等の押す回数など）をそのまま維持しながら本発明の方法によっても作業を行うことで、既存の製品にボタンなどのハードウェア的な部品を追加することなく、ほとんどプログラムのみを追加し、既存のボタン使用方法をそのまま使用しながら別途の方法を提供する。その結果、既存の作業を容易に行うこともでき、新しい作業を行えるようにすることで、ボタンの多機能化を増大し、作業時間を減少させ、利便性を向上させることができる。
【０１５６】
本発明の方法によって、組み合わせ誘導ボタンでない機能ボタンまたは文字ボタンであるとしても、本来の機能以外に組み合わせ誘導ボタンとしての機能を行うことができる。すなわち、何れのボタンであっても組み合わせ誘導ボタン化することができるので、組み合わせ誘導ボタン、機能ボタン及び文字ボタンの区分がなくなる。
【０１５７】
以下、その具体的な例を挙げて説明する。
【０１５８】
ここで、コンピューターも例で説明した理由は、本発明が現在のコンピューターにも適用可能な、すなわち、現在のコンピューターにもない独創的な方法であるが、現在のコンピューターにもその効果が大きいとは言いきれない。
【０１５９】
まず、コンピューターを見ると、従来には、ボタンが比較的に多いコンピューターのキーボードであっても、別途のシフト（Ｓｈｉｆｔ）、コントロール（Ｃｔｒｌ）、オルト（Ａｌｔ）のような組み合わせ誘導ボタンが最初にオンになるときのみ他のボタンとの組み合わせが行われ、次のような作業を行う。
【０１６０】
第一に、いずれかの作業を短縮キーで指定し、その作業を容易にする（例えば、コンピューター画面をそのまま複写するためには、オルトボタンとプリントスクリーンボタンとの組み合わせで、印刷命令はコントロールボタンと‘Ｐ’が割り当てられたボタンとの組み合わせで短縮キーを形成する）。
【０１６１】
以下では、予め特定の作業が指定された各ボタンの組み合わせとして、範囲がより大きい表現を使用している。
【０１６２】
第二に、組み合わせ誘導ボタンがオンになった状態で、その次にオンになるボタンとの組み合わせによって特定の作業が行われる（例えば、ハングル入力で
2010517159.tif 000002
を表すときには、シフトボタンと
2010517159.tif 000003
が割り当てられたボタンを押すべきである）。
【０１６３】
上記のような従来の問題点は、組み合わせ誘導のみを専ら行うボタンとの組み合わせによらない限り、機能ボタンまたは文字ボタンを押すと常に何らかの機能が行われたり、文字のみが表示される。すなわち、いずれかの機能ボタンまたは文字ボタンがオンになった後、オフになる前まで、他のボタンがオンになっても、その組み合わせで本来の機能または文字入力以外の新しい作業は行われない。
【０１６４】
以下、本発明を適用する。
【０１６５】
まず、‘ａ’過程として、‘Ｓ’が割り当てられたボタンに本来の機能以外にシフトボタンと同じ機能を追加し、‘Ｃ’が割り当てられたボタンに本来の機能以外にコントロールボタンと同じ機能を追加し、‘Ａ’が割り当てられたボタンに本来の機能以外にオルトボタンと同じ機能を追加することを予め指定したと仮定した状態で説明する。
【０１６６】
以下の説明では、‘ａ’過程条件のみで説明したが、上記の条件の、文字‘Ｓ’が割り当てられたボタンの代わりに図１２の‘Ａ’部分の全てのボタンを代入し、文字‘Ｃ’が割り当てられたボタンの代わりに図１２の‘Ｂ’部分の全てのボタンを代入し、文字‘Ａ’が割り当てられたボタンの代わりに図１２の‘Ｃ’部分の全てのボタンを代入することで、結果的には、従来の組み合わせ誘導のみを専ら行うコントロール、シフト、オルトボタンが要らなくなり、各組み合わせ誘導専用ボタンと同じ機能をするボタン数が多くなるので、キーボードを見ない状態で組み合わせ誘導専用ボタンを押すべきである作業を行うとき、誤作業の確率をほぼゼロにすることができる。
【０１６７】
上記の‘Ｓ’が割り当てられたボタンがオンになった後、オフになる前まで、他の文字ボタンがオンにならず、他の作業が指定された組み合わせをなすボタンでない別のボタンがオンになると、現在の文字モードに対応する、‘Ｓ’が割り当てられたボタンの文字を表示し、他の文字ボタンがオンになると、シフトと同じ機能を行うようにすることもできる。例えば、ハングルモードで‘Ｓ’が割り当てられたボタン（ハングルとしては
2010517159.tif 000004
が割り当てられている）をオンにし、オフにした後、‘Ｐ’が割り当てられたボタン（ハングルの下文字として
2010517159.tif 000005
、シフトに対応する文字として
2010517159.tif 000006
が割り当てられている）をオンにすると、
2010517159.tif 000007
が書かれる。また、‘Ｓ’が割り当てられたボタン（ハングルとしては
2010517159.tif 000008
が割り当てられている）をオンにした後、オフにする前に、‘Ｐ’が割り当てられたボタン（ハングルの下文字としては
2010517159.tif 000009
、シフトに対応する文字としては
2010517159.tif 000010
が割り当てられている）をオンにすると、完全な文字でない
2010517159.tif 000011
のみが表示される。組み合わせ誘導ボタンを組み合わせ対象ボタンの動作後に動作させる方式を適用すると、‘Ｐ’が割り当てられたボタン（ハングルの下文字としては
2010517159.tif 000012
、シフトに対応する文字としては
2010517159.tif 000013
が割り当てられている）をオンにした後、オフになる前まで、‘Ｓ’が割り当てられたボタン（ハングルとしては
2010517159.tif 000014
が割り当てられている）をオンにすると、
2010517159.tif 000015
が表示される。また、‘Ｐ’が割り当てられたボタンがオフになり、‘Ｓ’が割り当てられたボタンをオンにすると、
2010517159.tif 000016
（下文字）と
2010517159.tif 000017
が表示される。
【０１６８】
そして、‘ｂ’過程で上述した‘ａ’の仮定を拡大して適用すると、キーボードにボタンを追加することなく、現在の文字ボタンに新しい概念の組み合わせ誘導ボタン機能を追加することもできる。
【０１６９】
例えば、‘Ｓ’、‘Ｃ’または‘Ａ’が割り当てられたボタンがオンになった後、オフになる前まで、シフトボタン、コントロールボタンまたはオルトボタンと組み合わせられたとき、文字表示以外の予め指定された作業を行うように予め指定されたボタンがオンになると、予め指定された作業を行うようになる（組み合わせ誘導ボタンを組み合わせ対象ボタンの動作後に動作させる方式を適用すると、シフトボタン、コントロールボタンまたはオルトボタンと組み合わせられたとき、文字表示以外の予め指定された機能を行うように予め指定されたボタンがオンになった後、オフになるまで、‘Ｓ’、‘Ｃ’または‘Ａ’が割り当てられたボタンをオンにすると、予め指定された作業を行うこともできる）。
【０１７０】
‘Ｓ’、‘Ｃ’または‘Ａ’が割り当てられたボタンがオンになった後、オフになる前まで、シフトボタン、コントロールボタンまたはオルトボタンと組み合わせられたとき、予め指定された作業を行うように予め指定されたボタンがオンにならず、他の作業が指定された組み合わせをなすボタンでない別のボタンがオンになると、現在の文字モードに適した‘Ｓ’、‘Ｃ’または‘Ａ’が割り当てられたボタンの文字を入力しながら、次にオンになったボタンは、そのボタンがオフになる前までの他のボタンとの組み合わせ状況によって作業を定めることもできる。
【０１７１】
また、‘ｃ’過程で、本来のＥｓｃ機能以外に、Ｅｓｃボタンがオンになった後、オフになる前まで、ホームボタンがオンになると、直前の作業を取り消す作業をＥｓｃボタンに予め指定したとき、Ｅｓｃボタンがオンになった後、オフになる前まで、ホームボタンがオンになると、直前の作業を取り消す作業が行われる。また、Ｅｓｃボタンがオンになった後、オフになる前まで、ホームボタンがオンにならず、他の作業が指定された組み合わせをなすボタンでない別のボタンがオンになると、本来の作業であるＥｓｃ作業を行うようになる。次にオンになったボタンは、そのボタンがオフになる前までの他のボタンとの組み合わせ状況によってそのボタンによる作業を定めることもできる。
【０１７２】
このようにして、本来から、オンになるときに作業を行わないコントロールボタン、シフトボタンまたはオルトボタンを除いた、オンになるときに作業を行う機能ボタンまたは文字ボタンもオンになった後、オフになるまで、次にオンになる他のボタンとの組み合わせ状況で他の作業を行えるようにすることもできる。
【０１７３】
以下、‘携帯電話、ＰＤＡ、電話機などの通信端末機’の場合に対して説明する（場合によっては、通信端末機の範囲を逸脱して本発明の方法を用いることもできる）。
【０１７４】
通常、携帯電話には、約１３個の機器前面または側面にある機能ボタンと、前面のみにある３列４行の１２個のボタン（１０個の０〜９数字、文字及び記号が割り当てられた文字ボタン、‘＊’が割り当てられた１つのボタン、‘＃’が割り当てられた１つのボタン）などの総２５個のボタンがある。
【０１７５】
従来の方式において、機能ボタンは同じ位置のボタンであるとしても、現在のモードが何かによってその機能が異なることもある（例えば、右側方向ボタンは、初期画面では電話帳メニューに直ぐ移動するが、メニュー画面または手紙を書いている途中などではカーソルを移す機能をする）。
【０１７６】
現在のモードと関連した作業がないと、ボタンを押しても全く動作しない（例えば、インターネット連結ボタンは、初期状態ではインターネットに連結される作業を行い、ＭＰ３モードでは歌を選択する機能があるが、手紙入力モードでは押しても全く反応がない）。
【０１７７】
現在のモードと関係なしに同じ機能を行うこともある（例えば、終了ボタンは、現在のモードと関係なしに初期画面に変わるか、初期画面に変わるというメッセージを表示して受諾すると、初期画面に変わるようにする）。
【０１７８】
そして、コンピューターの場合と同様に、文字ボタンは、オンにすると直ぐに文字のみが表示され、いずれかの文字ボタンがオンになり、オフになる前まで、他のボタンがオンになっても、文字表示以外の作業は行われない。
【０１７９】
そして、１つのボタンに多数の文字が割り当てられている場合を説明する。
【０１８０】
通常、最初の文字は、該当のボタンを短く押すと表示されるが、２番目や３番目の文字は、その文字が表示されるときまでダブルクリック、トリプルクリックなどのように複数回押したり（複数回を押す方法では、複数回を押すだけで文字が決定されるのではなく、他の文字ボタンを押したり、既に表示されたその文字を選択するという意思を伝達するボタン（例えば、方向ボタン）を押したり、約２秒待つと、自らその文字が選択されながらカーソルが移動する）、長く押す方法を適用して表示する。
【０１８１】
また、本発明の方法と類似した形態で提示された方法としては、‘＊’が割り当てられたボタンをオン・オフにした後、または、オンになった状態で各文字が割り当てられたボタンをオンにすると、そのボタンに割り当てられた２番目の文字が表示され、‘＃’が割り当てられたボタンをオン・オフにした後、または、オンになった状態で各文字が割り当てられたボタンをオンにすると、そのボタンに割り当てられた３番目の文字が表示されるようにする方法も提案されているが、この方法は、いくつかの問題点がある。
【０１８２】
まず、‘＊’または‘＃’に文字が割り当てられていない場合のみに、‘＊’または‘＃’を、他のボタンに割り当てられた特定順番の文字を書く組み合わせ誘導ボタン化することができる（その理由の一例を説明すると、‘＊’ボタンに文字が割り当てられた状態で他のボタンに割り当てられた２番目の文字が書かれるようにする組み合わせ誘導ボタンとして作用するとき、‘＊’ボタンに割り当てられた２番目の文字が書かれるようにする組み合わせ誘導ボタンがないのである）。
【０１８３】
また、‘＊’が割り当てられたボタンを押した状態で‘７’が割り当てられたボタンを押すときと、‘＃’が割り当てられたボタンを押した状態で‘９’が割り当てられたボタンを押すときには、‘＊’が割り当てられたボタンと‘７’が割り当てられたボタン、そして、‘＃’が割り当てられたボタンと‘９’が割り当てられたボタン、各ペーアーの２つのボタンが縦方向に連続しているので、両側の親指どうしの接触及び干渉が生じ、文字入力が非常に不便である。
【０１８４】
特に、‘＊’が割り当てられたボタンを左手の親指で押した状態で‘７’が割り当てられたボタンを右手の親指で押すときと、‘＃’が割り当てられたボタンを右手の親指で押した状態で‘９’が割り当てられたボタンを左手の親指で押すときには、両側の親指どうしの接触及び干渉がさらに深化される。
【０１８５】
また、親指の移動範囲は、本発明による方法の場合が遥かに少ない。
【０１８６】
指の移動範囲に関して話す理由は、従来の場合、文字を入力する途中で、文字ボタン部を多少逸脱した矢印ボタンや取り消しボタンなどの機能ボタンを押すときにも、相当な不便さを感じる、次に説明される本発明の方法によると、文字ボタン部内のみで比較しても、従来の方法に比べて指の移動範囲を相当に減少できるためである。
【０１８７】
本発明の方法を用いると、矢印ボタンや取り消しボタンなどの文字入力際に頻繁に使用される機能ボタンの機能を文字ボタン部に追加的に割り当て、特殊文字も追加的に割り当てることで、文字モードの変更なしに２打以内で文字ボタン部でも機能ボタンの機能ができたり、特殊文字を入力できるためである。
【０１８８】
なぜなら、本発明の場合、組み合わせ誘導ボタンとして１列と３列にあるボタンのみを指定した場合、文字入力時に、左手の親指は１、２列のみ（または１列のみ）、右手の親指は３列のみ（または２、３列のみ）を担当してもよいが、＊または＃を組み合わせ誘導ボタンとして指定すると、文字入力時に、左手の親指、右手の親指が全て１、２、３列を担当しなければならない。
【０１８９】
そして、本発明の場合、組み合わせ誘導ボタンとして１〜３行に属しているボタンのみを指定し、４行に文字ボタンが０ボタンだけあると、親指は、ほぼ１行から３行のみに動くようになるが、＊または＃を組み合わせ誘導ボタンとして指定すると、文字ボタンを押すとき、左手の親指、右手の親指の全てが常に１、２、３、４行を動くようになる。
【０１９０】
そして、以下で説明するが、‘＊’または‘＃’では、２つの順番の文字を書けるようにする組み合わせボタンのみが指定可能であるので、完全には１番目と２番目の文字、不完全には２番目と３番目の文字を書けるようにする組み合わせ誘導ボタンとして指定可能で、完全には２０文字、不完全には３０文字まで２打以内で文字を入力できるが、本発明の方法では、文字が割り当てられた０〜９ボタンも組み合わせ誘導ボタンとして指定可能であるので、より多い文字を２打以内で入力することができる。３打以上または長く押すことになると、２打の場合に比べて不便である。
【０１９１】
上記の‘不完全’という用語は、下記のようなマルチタップ方式またはマルチタップ方式と組み合わせボタンを併用するとき、最初の文字を書けるようにする組み合わせ誘導ボタンを指定していないとき、不便を解消できないことを意味する。以下、英文とハングルを入力するときの例をみる。
【０１９２】
１．英文：連続したアルファベットが同一の文字ボタンに割り当てられている場合、確定するという意味で約２秒待ったり、右側の矢印を押してカーソルを移す。これは、最初の文字にも適用可能である。そうしない場合、‘ａａ’を書こうとしても‘ｂ’のみが書かれるようになる。
【０１９３】
２．ハングル：前文字に終声があるとき、前文字の終声と後文字の初声が同一のボタンに割り当てられている場合、前文字の終声を確定するという意味で約２秒待ったり、右側矢印を押してカーソルを移す。そうしない場合、
2010517159.tif 000018
という文字を書こうとしても
2010517159.tif 000019
に書かれるようになる。
【０１９４】
実際に、このようなハングルの現象も、１番の連続したアルファベットの場合に含まれているといえる。
【０１９５】
そして、書こうとする文字が割り当てられたボタンの隣の上側、下側、左側及び右側のボタンを組み合わせ誘導ボタン化する‘隣接キー入力方式’も開発されている。これには利点もあるが、書こうとする文字が割り当てられたボタンと直ぐ近くの‘＊’、‘＃’を含む組み合わせ誘導ボタン化された他の文字ボタンとを組み合わせるとき、上下に連続している場合が、‘＊’、‘＃’のみを組み合わせ誘導ボタンとして指定するときよりさらに頻繁に、両側の指の干渉が発生する場合が多い。
【０１９６】
また、隣接するボタンを両手の親指で押すことによって、キーボードが多く隠れてしまう問題が発生し、文字ボタンを押すとき、両手の親指の全てが１、２、３列を担当しなければならない。
【０１９７】
そして、隣接キー入力方式は、入力しようとする文字が割り当てられたボタンで所望の文字が何番目に割り当てられているかによって、いずれの組み合わせ誘導ボタンを選べるかが決定されるので、使用者が所望の文字を入力するために、如何なるボタンを組み合わせ誘導ボタンとして用いるかが混同されやすい。
【０１９８】
例えば、１つのボタンに３つの文字が割り当てられる場合、所望の文字が割り当てられたボタンは、短打で２番目（＝中間）に割り当てられる文字を入力し、所望の文字が割り当てられているボタンの左側のボタンは、所望の文字が割り当てられているボタンに割り当てられた最初の文字を入力する組み合わせ誘導ボタンになり、所望の文字が割り当てられているボタンの右側のボタンは、所望の文字が割り当てられているボタンに割り当てられた３番目の文字を入力する組み合わせ誘導ボタンになるように指定したとき、ボタン４に‘Ｇ、Ｈ、I’が割り当てられていると、‘Ｈ’を入力しようとする場合、ボタン４を短打で入力すればよく、‘I’を入力しようとする場合、右側のボタン５を組み合わせ誘導ボタンとしてボタン４との組み合わせで入力するが、‘Ｇ’を入力しようとする場合、左側のボタンを組み合わせ誘導ボタンとしてボタン４との組み合わせで入力しようとしても、左側にはボタンがないので、上側のボタン１を組み合わせ誘導ボタン化する方法しかないため、一貫性が低下してしまう（そのため、左側ボタンまたは上側ボタンを、最初の文字を入力する組み合わせ誘導ボタンとする一般的な規定が生じる）。
【０１９９】
すなわち、１列にあるボタン１、４、７には、上記のような問題が生じる。
【０２００】
また、３列にあるボタン３、６、９は、右側のボタンがないので、下側のボタンを３番目の文字が書かれる組み合わせ誘導ボタンとして使用する方法しかなく、一貫性が低下してしまう（そのため、右側ボタンまたは下側ボタンを、３番目の文字を入力する組み合わせ誘導ボタンとする一般的な規定が生じる）。
【０２０１】
すなわち、１列のボタンに割り当てられた最初の文字を入力するときと、３列のボタンに割り当てられた３番目の文字を入力するときには、組み合わせ誘導ボタンとしていずれのボタンを用いるかが熟達者でないと混同されやすい。
【０２０２】
さらに、ボタン１のような場合には、左側ボタンもなく、上側ボタンもないことから、左側文字（＝１番目の文字）を書ける方法がないので、ボタン１には２つの文字だけが割り当て可能である。
【０２０３】
そのため、いずれかのボタンが組み合わせ誘導ボタンとして作用するとき、文字が割り当てられたボタンで何番目にある文字を入力するかによって、所望の文字が割り当てられたボタンと組み合わせ誘導ボタンとの空間的位置関係を考慮して組み合わせ誘導ボタンを選定しなければならなく、同一のボタンが組み合わせ誘導ボタンとして作用するときの組み合わせ誘導機能が変わるようになり、一貫性がなくなる問題点も発生する。
【０２０４】
例えば、ボタン２は、ボタン１の右側にあるので、ボタン１に割り当てられた３番目の文字が書かれるようにする組み合わせ誘導ボタンとしての機能を行うが、ボタン３の左側にもあるので、ボタン３に割り当てられた最初の文字が書かれるようにする組み合わせ誘導ボタンとしての機能もある、たから、所望の文字が割り当てられたボタンの何番目の文字であるかをよく確認し、組み合わせ誘導ボタンを定めるべきである。
【０２０５】
そして、スライド型の携帯電話では、左手の親指でボタン４を押している状態で右手の親指でボタン１を押すとき、液晶のある上側スライドに右手の親指が塞がれてボタン１を押すことが難しく、右手の親指でボタン６を押している状態で左手の親指でボタン３を押すとき、液晶のある上側スライドに左手の親指が塞がれてボタン３を押すことが難しい。
【０２０６】
しかしながら、本発明の場合、組み合わせ誘導ボタンが所望の文字が割り当てられたボタンとの空間的な位置関係によって選ばれるのではなく、従来のボタン＊及びボタン＃を１番目（または２番目）と３番目の文字が書かれる組み合わせ誘導ボタンとして確定する場合のように、ボタン１、３は２番目（または１番目）の文字が書かれる組み合わせ誘導ボタンとして指定し、ボタン４、６は３番目（または２番目）の文字が書かれる組み合わせ誘導ボタンとして指定し、ボタン７、９は４番目（または３番目）の文字が書かれる組み合わせ誘導ボタンとして指定し、ボタン＊、＃は５番目（または４番目）の文字が書かれる組み合わせ誘導ボタンとして指定し、ボタン２、８は６番目（または５番目）の文字が書かれる組み合わせ誘導ボタンとして指定し、ボタン５、０は７番目（または６番目）の文字が書かれる組み合わせ誘導ボタンとして指定できるので、各ボタンに割り当てられた文字数（特殊文字を含む）を大幅に増加できるとともに、全ての文字を２打以内に入力することができ、組み合わせ誘導ボタンの機能も一貫性を持たす。
【０２０７】
もちろん、上記で、ボタン＊、＃に文字が割り当てられておらず、指の移動範囲が広くなり、指の干渉が生じることを考慮すると、ボタン＊及びボタン＃を互いに異なる機能を行う組み合わせ誘導ボタンに設定できるので、ボタン＃は、８番目（または７番目）の文字が書かれる組み合わせ誘導ボタンとして指定することもできる。
【０２０８】
また、ボタン＊、ボタン＃は、組み合わせ誘導ボタンとしての機能が文字ボタンに先行または後行するので、ボタン＊は、文字ボタンに後行して９番目（または８番目）の文字が書かれる組み合わせ誘導ボタンとして指定し、ボタン＃は、文字ボタンに後行して１０番目（または９番目）の文字が書かれる組み合わせ誘導ボタンとして指定することができる。
【０２０９】
上述した例をより一般的な状況で特許請求の範囲に記載された内容をサポートして記述すると、下記の通りである。
【０２１０】
いずれかのボタンが、そのボタンと別のボタンとが組み合わされる場合に、特殊な作用（例えば、別のボタンに付与された第２の文字をタイピング可能とする作用）をもたらす組み合わせ誘導ボタンに指定されも、それでもやはりその特殊な作用と同じ作用を引き起こすその他のボタンが上述の別のボタンと組み合わされる場合にも、同じ作用が行われることができる。すなわち、同じ作用をもたらす２つ以上の組み合わせ誘導ボタンを製造者または非製造者が指定でき、その方法は1通り以上指定できる。
【０２１１】
ここで、いずれかのボタンが組み合わせ誘導ボタンとして作用するときもたらす作業の種類が、他のボタンとの空間的位置関係によって変わらず、空間的な位置とは関係なしに常に同一に指定する方法である。
【０２１２】
以下、具体的な例で説明する。
【０２１３】
文字ボタンに０〜９、＊、＃及びその他の文字（０〜９、＊、＃を代表文字とする）が割り当てられた通常の電話機類のボタンと類似したボタンにおいて、各文字ボタンがオンになった後、オフになるまで、他の文字ボタンがオンになると、先にオンになった文字ボタンが、後でオンになった文字ボタンに割り当てられた１番目の文字を書けるようにする組み合わせ誘導ボタンとして作用したり、後でオンになった文字ボタンが、先にオンになった文字ボタンに割り当てられた１番目の文字を書けるようにする組み合わせ誘導ボタンとして作用する、任意の２つのボタン（第１ボタン及び第２ボタン）を指定する。
【０２１４】
また、先にオンになった文字ボタンが、後でオンになった文字ボタンに割り当てられた２番目の文字を書けるようにする組み合わせ誘導ボタンとして作用したり、後でオンになった文字ボタンが、先にオンになった文字ボタンに割り当てられた２番目の文字を書けるようにする組み合わせ誘導ボタンとして作用する、第１ボタン及び第２ボタンを除いた任意の２つのボタン（第３ボタン及び第４ボタン）を指定する。
【０２１５】
また、先にオンになった文字ボタンが、後でオンになった文字ボタンに割り当てられた３番目の文字を書けるようにする組み合わせ誘導ボタンとして作用したり、後でオンになった文字ボタンが、先にオンになった文字ボタンに割り当てられた３番目の文字を書けるようにする組み合わせ誘導ボタンとして作用する、第１ボタン乃至第４ボタンを除いた任意の２つのボタン（第５ボタン及び第６ボタン）を指定する。
【０２１６】
また、先にオンになった文字ボタンが、後でオンになった文字ボタンに割り当てられた４番目の文字を書けるようにする組み合わせ誘導ボタンとして作用したり、後でオンになった文字ボタンが、先にオンになった文字ボタンに割り当てられた４番目の文字を書けるようにする組み合わせ誘導ボタンとして作用する、第１ボタン乃至第６ボタンを除いた任意の２つのボタン（第７ボタン及び第８ボタン）を指定する。
【０２１７】
また、先にオンになった文字ボタンが、後でオンになった文字ボタンに割り当てられた５番目の文字を書けるようにする組み合わせ誘導ボタンとして作用したり、後でオンになった文字ボタンが、先にオンになった文字ボタンに割り当てられた５番目の文字を書けるようにする組み合わせ誘導ボタンとして作用する、第１ボタン乃至第８ボタンを除いた任意の２つのボタン（第９ボタン及び第１０ボタン）を指定する。
【０２１８】
また、先にオンになった文字ボタンが、後でオンになった文字ボタンに割り当てられた６番目の文字を書けるようにする組み合わせ誘導ボタンとして作用したり、後でオンになった文字ボタンが、先にオンになった文字ボタンに割り当てられた６番目の文字を書けるようにする組み合わせ誘導ボタンとして作用する、第１ボタン乃至第１０ボタンを除いた任意の２つのボタン（第１１ボタン及び第１２ボタン）を製造者または非製造者が任意に指定する方法を含む、同じ作用をもたらす２つ以上の組み合わせ誘導ボタンを指定できる全ての方法を用いることができる。
【０２１９】
以下、上記の方法の具体的な実施例であるいくつかの表を示す。
【０２２０】
図２と図３は、第１ボタン乃至第４ボタンになり得る多くの組み合わせのうちいくつかの組み合わせ表で、図４と図５は、第１ボタン乃至第６ボタンになり得る多くの組み合わせのうちいくつかの組み合わせ表で、図６と図７は、第１ボタン乃至第８ボタンになり得る多くの組み合わせのうちいくつかの組み合わせ表で、それ以上のボタン組み合わせは、本発明の内容が理解できれば、表で開示しなくても当業者であれば分かる。
【０２２１】
図２乃至図７の表では、０〜９、＊、＃及びその他の文字のうち０〜９、＊、＃を代表文字とし、代表文字は、図１のような一般的な４行３列キーボードでの位置を意味するもので、文字自体を意味するものでないことが分かる。そのため、４行３列が９０度回転したような３行４列キーボードで、ボタンの割り当て位置は、表の‘利用行列’欄の‘行’という単語を‘列’という単語に変えて、‘列’という単語を‘行’という単語に変えて用いればよい。もちろん、この場合にも、代表文字は、３行４列の位置を意味するもので、文字自体を意味するものではない。
【０２２２】
このように、本発明の方法を用いると、オンにしたボタンの任意の順番の文字が書かれるようにする組み合わせ誘導ボタンを２つ以上ずつ文字ボタンにも設定できるので、指どうしの接触・干渉が生じないようにし、指の移動範囲も狭くし、全てのボタンに同じ個数の文字を割り当てながら、＊ボタンと＃ボタンを文字を書く組み合わせ誘導ボタンとして指定していないときには、他の機能（従来のモード別に行っていた別途の機能を含む）を行うボタンとして使用できるという利点がある。後述する例で詳細に説明する。
【０２２３】
一方、既存の携帯電話の場合、ボタンがオンになると、直ぐに何らかの作業を行う。ここで、本発明の方法を用いると、ボタンがオンになった後、オフになるまで、予め特定の作業が指定された組み合わせのボタンがオンになると、予め指定された特定の作業を行い、それ以外はボタンの本来の作業を行うこともできる。
【０２２４】
ａ．具体的な例をみると、既存には、メニューボタンをオンにすると同時にメニュー画面が開けるが、本発明の方法を用いて、メニューボタンがオンになった後、オフになるまで、右側方向のボタンがオンになると、保留メッセージの画面が表示されるようにし、限定された空間に限定された数のボタンという環境だから、１つの機能ボタンのみでは、直ぐに使用頻度が少ない保留メッセージを表示できないが、各ボタンの組み合わせによって保留メッセージの画面に変わるようにし、メニューボタンがオンになった後、オフになるまで、右側方向ボタンもオンにならず、他の作業が指定された組み合わせをなすボタンでもない、他のボタンがオンになると、メニュー画面を表示する。その次に、オンになったボタンは、そのボタンがオフになるまで、オンになった他のボタンとの組み合わせ状況によってそのボタンによる作業が決定できる。
【０２２５】
このように、文字が割り当てられたボタンを組み合わせ誘導ボタン化することもできる。
【０２２６】
ｂ．‘１’が割り当てられたボタンと‘３’が割り当てられたボタンを、そのボタンに割り当てられた文字が書かれる本来の機能とは別に、‘１’が割り当てられたボタンまたは‘３’が割り当てられたボタンがオンになった後、オフになるまで、別の文字ボタンがオンになると、別の文字ボタンの２番目の文字が書かれるように組み合わせ誘導ボタンとして予め指定したとき、‘１’が割り当てられたボタンまたは‘３’が割り当てられたボタンがオンになった後、オフになるまで、別の文字ボタンがオンになると、別の文字ボタンの２番目の文字が書かれるようにし、‘１’が割り当てられたボタンまたは‘３’が割り当てられたボタンがオンになった後、オフになるまで、別の文字ボタンもオンにならず、別の作業が指定された組み合わせをなすボタンでもない、他のボタンがオンになると、本来の作業である現在の文字モードに対した‘１’が割り当てられたボタンまたは‘３’が割り当てられたボタンの最初の文字が書かれながら、次にオンになったボタンは、そのボタンがオフになるまで、オンになった他のボタンとの組み合わせ状況によってそのボタンによる作業が決まる。
【０２２７】
ｃ．‘１’が割り当てられたボタンを、そのボタンに割り当てられた文字が書かれる本来の機能とは別に、‘１’が割り当てられたボタンがオンになった後、オフになるまで、メニューボタンがオンになると、保留メッセージの画面が表示されるように予め指定したとき、‘１’が割り当てられたボタンがオンになった後、オフになるまで、メニューボタンがオンになると、保留メッセージの画面が表示されるようになり、‘１’が割り当てられたボタンがオンになった後、オフになるまで、メニューボタンもオンにならず、別の作業が指定された組み合わせをなすボタンでもない、他のボタンがオンになると、本来の作業である現在の文字モードに対した‘１’が割り当てられたボタンの最初の文字が書かれながら、次にオンになったボタンは、そのボタンがオフになるまで、オンになった別のボタンとの組み合わせ状況によってそのボタンによる作業が決まる。
【０２２８】
ｄ．また、‘４’が割り当てられたボタンと‘６’が割り当てられたボタンを、そのボタンに割り当てられた文字が書かれる本来の機能とは別に、‘４’が割り当てられたボタンまたは‘６’が割り当てられたボタンがオンになった後、別の文字ボタンがオンになると、別の文字ボタンの３番目の文字が書かれるようにもたらす組み合わせ誘導ボタンに予め指定したとき、‘４’が割り当てられたボタンまたは‘６’が割り当てられたボタンがオンになった後、オフになるまで、他の文字ボタンがオンになると、他の文字ボタンの３番目の文字が書かれるようにし、‘４’が割り当てられたボタンまたは‘６’が割り当てられたボタンがオンになった後、オフになるまで、別の文字ボタンもオンにならず、別の作業が指定された組み合わせをなすボタンでもない、他のボタンがオンになると、本来の作業である現在の文字モードに対する‘４’が割り当てられたボタンまたは‘６’が割り当てられたボタンの最初の文字が書かれながら、次にオンになったボタンは、そのボタンがオフになるまで、オンになった他のボタンとの組み合わせ状況によってそのボタンによる作業が決まる。
【０２２９】
ｅ．‘７’が割り当てられたボタンと‘９’が割り当てられたボタンを、そのボタンに割り当てられた文字が書かれる本来の機能とは別に、‘７’が割り当てられたボタンまたは‘９’が割り当てられたボタンがオンになった後、別の文字ボタンがオンになると、別の文字ボタンを長く押したときの作業（そのボタンに割り当てられた数字が書かれると仮定する）をもたらす組み合わせ誘導ボタンとして予め指定したとき、‘７’が割り当てられたボタンまたは‘９’が割り当てられたボタンがオンになった後、オフになるまで、別の文字ボタンがオンになると、別の文字ボタンに割り当てられた数字が書かれるようにし、‘７’が割り当てられたボタンまたは‘９’が割り当てられたボタンがオンになった後、オフになるまで、別の文字ボタンもオンにならず、別の作業が指定された組み合わせをなすボタンでもない、他のボタンがオンになると、現在の文字モードに対する‘７’が割り当てられたボタンまたは‘９’が割り当てられたボタンの最初の文字が書かれながら、次にオンになったボタンは、そのボタンがオフになるまで、オンになった他のボタンとの組み合わせ状況によってそのボタンによる作業が決まる。
【０２３０】
ｆ．文字入力モードで各文字ボタンが文字を書く機能とは別に、各文字ボタンがオンになった後、オフになるまで、方向ボタンがオンになると、その文字ボタンに割り当てられた数字の回数分、方向ボタンを押した作業を行うように予め指定したとき、各文字ボタンがオンになった後、オフになるまで、方向ボタンがオンになると、その文字ボタンに割り当てられた数字の回数分、方向ボタンを押した作業を行えばよく、各文字ボタンがオンになった後、オフになるまで方向ボタンもオンにならず、別の作業が指定された組み合わせをなすボタンでもない、他のボタンがオンになると、その文字ボタンの本来の作業である現在の文字モードに対する文字ボタンの最初の文字が書かれながら、次にオンになったボタンは、そのボタンがオフになるまで、オンになった他のボタンとの組み合わせ状況によってそのボタンによる作業が決まる。
【０２３１】
ｇ．文字入力モードで‘７’が割り当てられたボタンを、そのボタンに割り当てられた文字が書かれる機能とは別に、‘７’が割り当てられたボタンがオンになった後、オフになるまで、通話ボタンがオンになると、現在のカーソルに書かれる特定の特殊文字グループ画面が表示されるように予め指定したとき、‘７’が割り当てられたボタンがオンになった後、オフになるまで、通話ボタンがオンになると、特定の特殊文字グループの画面が表示されるようになり、‘７’が割り当てられたボタンがオンになった後、オフになるまで、通話ボタンもオンにならず、別の作業が指定された組み合わせをなすボタンでもない、他のボタンがオンになると、その文字ボタンの本来の作業である現在の文字モードに対する‘７’が割り当てられたボタンの最初の文字が書かれながら、次にオンになったボタンは、そのボタンがオフになるまで、オンになった他のボタンとの組み合わせ状況によってそのボタンによる作業が決まる。
【０２３２】
ｈ．文字入力モードで‘７’が割り当てられたボタンを、そのボタンに割り当てられた文字が書かれる本来の機能とは別に、‘７’が割り当てられたボタンがオンになった後、オフになるまで、通話ボタンがオンになると、現在のカーソルに書かれる特定の特殊文字が書かれるように予め指定したとき、‘７’が割り当てられたボタンがオンになった後、オフになるまで、通話ボタンがオンになると、特定の特殊文字が書かれ、‘７’が割り当てられたボタンがオンになった後、オフになるまで、通話ボタンもオンにならず、別の作業が指定された組み合わせをなすボタンでもない、他のボタンがオンになると、その文字ボタンの本来の作業である現在の文字モードに対する‘７’が割り当てられたボタンの最初の文字が書かれながら、次にオンになったボタンは、そのボタンがオフになるまで、オンになった他のボタンとの組み合わせ状況によってそのボタンによる作業が決まる。
【０２３３】
ｉ．また、予め指定した作業を名前または番号としても保存できるようにし、文字入力モードで‘７’が割り当てられたボタンを、そのボタンに割り当てられた文字が書かれる本来の機能とは別に、‘７’が割り当てられたボタンがオンになった後、オフになるまで、確認ボタンがオンになると、予め指定した作業名または作業番号の入力を指示するメッセージが出て、その作業名または作業番号を入力すると、予め指定した作業を行うように予め指定したとき、‘７’が割り当てられたボタンがオンになった後、オフになるまで、確認ボタンがオンになると、予め指定した作業名または作業番号の入力を指示するメッセージが出て、その作業名または作業番号を入力すると、予め指定した作業を行い、‘７’が割り当てられたボタンがオンになった後、オフになるまで、確認ボタンもオンにならず、他の作業が指定された組み合わせをなすボタンでもない、他のボタンがオンになると、その文字ボタンの本来の作業である現在の文字モードに対する‘７’が割り当てられたボタンの最初の文字が書かれながら、次にオンになったボタンは、そのボタンがオフになるまで、オンになった他のボタンとの組み合わせ状況によってそのボタンによる作業が決まる。
【０２３４】
以下、携帯電話において、既存方式と本発明を用いた方法の例を比べながら説明する。
【０２３５】
携帯電話で‘Ｉ  ＬＯＶＥ  ＹＯＵ  ＦＯＲ  ＥＶＥＲ  赤いハート記号’という文字メッセージを送る場合、図１のような既存の携帯電話方式（製造社：サムスン電子）では、文字送り画面に入って英文大文字モードに変換した後、下記のように行う。
【０２３６】
１．ボタン４：Ｇをディスプレイ（確定されていない状態でカーソルのみを点滅させる）。
【０２３７】
２．ボタン４：Ｈをディスプレイ（確定されていない状態でカーソルのみを点滅させる）。
【０２３８】
３．ボタン４：Iをディスプレイ（確定されていない状態でカーソルのみを点滅させる）。
【０２３９】
４．右側方向ボタンまたは２秒待つ：Iを選択するようになる。
【０２４０】
５．右側方向ボタン：スペースを置く。
【０２４１】
６．ボタン５：Ｊをディスプレイ（確定されていない状態でカーソルのみを点滅させる）。
【０２４２】
７．ボタン５：Ｋをディスプレイ（確定されていない状態でカーソルのみを点滅させる）。
【０２４３】
８．ボタン５：Ｌをディスプレイ（確定されていない状態でカーソルのみを点滅させながら、次のボタンがオンになるときに確定される）。
【０２４４】
９．ボタン６：Ｍをディスプレイ（確定されていない状態でカーソルのみを点滅させる）。
【０２４５】
１０．ボタン６：Ｎをディスプレイ（確定されていない状態でカーソルのみを点滅させる）。
【０２４６】
１１．ボタン６：Ｏをディスプレイ（確定されていない状態でカーソルのみを点滅させながら、次のボタンがオンになるときに確定される）。
【０２４７】
１２．ボタン８：Ｔをディスプレイ（確定されていない状態でカーソルのみを点滅させる）。
【０２４８】
１３．ボタン８：Ｕをディスプレイ（確定されていない状態でカーソルのみを点滅させる）。
【０２４９】
１４．ボタン８：Ｖをディスプレイ（確定されていない状態でカーソルのみを点滅させながら、次のボタンがオンになるときに確定される）。
【０２５０】
１５．ボタン３：Ｄをディスプレイ（確定されていない状態でカーソルのみを点滅させる）。
【０２５１】
１６．ボタン３：Ｅをディスプレイ（確定されていない状態でカーソルのみを点滅させる）。
【０２５２】
１７．右側方向ボタンまたは２秒待つ：Ｅを選択するようになる。
【０２５３】
１８．右側方向ボタン：スペースを置く。
【０２５４】
１９．ボタン９：Ｗをディスプレイ（確定されていない状態でカーソルのみを点滅させる）。
【０２５５】
２０．ボタン９：Ｘをディスプレイ（確定されていない状態でカーソルのみを点滅させる）。
【０２５６】
２１．ボタン９：Ｙをディスプレイ（確定されていない状態でカーソルのみを点滅させながら、次のボタンがオンになるときに確定される）。
【０２５７】
２２．ボタン６：Ｍをディスプレイ（確定されていない状態でカーソルのみを点滅させる）。
【０２５８】
２３．ボタン６：Ｎをディスプレイ（確定されていない状態でカーソルのみを点滅させる）。
【０２５９】
２４．ボタン６：Ｏをディスプレイ（確定されていない状態でカーソルのみを点滅させながら、次のボタンがオンになるときに確定される）。
【０２６０】
２５．ボタン８：Ｔをディスプレイ（確定されていない状態でカーソルのみを点滅させる）。
【０２６１】
２６．ボタン８：Ｕをディスプレイ（確定されていない状態でカーソルのみを点滅させる）。
【０２６２】
２７．右側方向ボタンまたは２秒待つ：Ｕを選択するようになる。
【０２６３】
２８．右側方向ボタン：スペースを置く。
【０２６４】
２９．ボタン３：Ｄをディスプレイ（確定されていない状態でカーソルのみを点滅させる）。
【０２６５】
３０．ボタン３：Ｅをディスプレイ（確定されていない状態でカーソルのみを点滅させる）。
【０２６６】
３１．ボタン３：Ｆをディスプレイ（確定されていない状態でカーソルのみを点滅させながら、次のボタンがオンになるときに確定される）。
【０２６７】
３２．ボタン６：Ｍをディスプレイ（確定されていない状態でカーソルのみを点滅させる）。
【０２６８】
３３．ボタン６：Ｎをディスプレイ（確定されていない状態でカーソルのみを点滅させる）。
【０２６９】
３４．ボタン６：Ｏをディスプレイ（確定されていない状態でカーソルのみを点滅させながら、次のボタンがオンになるときに確定される）。
【０２７０】
３５．ボタン７：Ｐをディスプレイ（確定されていない状態でカーソルのみを点滅させる）。
【０２７１】
３６．ボタン７：Ｒをディスプレイ（確定されていない状態でカーソルのみを点滅させる）。
【０２７２】
３７．右側方向ボタンまたは２秒待つ：Ｒを選択するようになる。
【０２７３】
３８．右側方向ボタン：スペースを置く。
【０２７４】
３９．ボタン３：Ｄをディスプレイ（確定されていない状態でカーソルのみを点滅させる）。
【０２７５】
４０．ボタン３：Ｅをディスプレイ（確定されていない状態でカーソルのみを点滅させながら、次のボタンがオンになるときに確定される）。
【０２７６】
４１．ボタン８：Ｔをディスプレイ（確定されていない状態でカーソルのみを点滅させる）。
【０２７７】
４２．ボタン８：Ｕをディスプレイ（確定されていない状態でカーソルのみを点滅させる）。
【０２７８】
４３．ボタン８：Ｖをディスプレイ（確定されていない状態でカーソルのみを点滅させながら、次のボタンがオンになるときに確定される）。
【０２７９】
４４．ボタン３：Ｄをディスプレイ（確定されていない状態でカーソルのみを点滅させる）。
【０２８０】
４５．ボタン３：Ｅをディスプレイ（確定されていない状態でカーソルのみを点滅させながら、次のボタンがオンになるときに確定される）。
【０２８１】
４６．ボタン７：Ｐをディスプレイ（確定されていない状態でカーソルのみを点滅させる）。
【０２８２】
４７．ボタン７：Ｒをディスプレイ（確定されていない状態でカーソルのみを点滅させる）。
【０２８３】
４８．右側方向ボタンまたは２秒待つ：Ｒを選択するようになる。
【０２８４】
４９．右側方向ボタン：スペースを置く。
【０２８５】
５０．ボタン＊：英文大文字から特殊文字にモード変更。
【０２８６】
５１．下側方向ボタンの１２回押し：赤いハート記号が属したグループに移動。
【０２８７】
６３．（＝５１＋１２）ボタン５：赤いハート記号選択（赤いハート記号が属したグループが表示される画面でボタン５を押すと、赤いハート記号が選択されるシステムである）。
【０２８８】
その反面、本発明の方法を用いた場合の一例を説明する際に、以下は、先行条件を説明する。
【０２８９】
Ａ．
−‘１’が割り当てられたボタンと‘３’が割り当てられたボタンを、そのボタンに割り当てられた文字が書かれる本来の機能とは別に、‘１’が割り当てられたボタンまたは‘３’が割り当てられたボタンがオンになった後、別の文字ボタンがオンになると、別の文字ボタンの２番目の文字が書かれるようにもたらす組み合わせ誘導ボタンとして予め指定し、‘１’が割り当てられたボタンまたは‘３’が割り当てられたボタンがオンになった後、オフになるまで、別の文字ボタンがオンになると、他の文字ボタンの２番目の文字が書かれるようにし、‘１’が割り当てられたボタンまたは‘３’が割り当てられたボタンがオンになった後、オフになるまで、別の文字ボタンもオンにならず、別の作業が指定された組み合わせをなすボタンでもない、他のボタンがオンになると、本来の作業である現在の文字モードに対する‘１’が割り当てられたボタンまたは‘３’が割り当てられたボタンの最初の文字が書かれながら、次にオンになったボタンは、そのボタンがオフになるまで、オンになった他のボタンとの組み合わせ状況によってそのボタンによる作業が決まる。
【０２９０】
−‘４’が割り当てられたボタンと‘６’が割り当てられたボタンを、そのボタンに割り当てられた文字が書かれる本来の機能とは別に、‘４’が割り当てられたボタンまたは‘６’が割り当てられたボタンがオンになった後、別の文字ボタンがオンになると、別の文字ボタンの３番目の文字が書かれるようにもたらす組み合わせ誘導ボタンとして予め指定し、‘４’が割り当てられたボタンまたは‘６’が割り当てられたボタンがオンになった後、オフになるまで、別の文字ボタンがオンになると、別の文字ボタンの３番目の文字が書かれるようにし、‘４’が割り当てられたボタンまたは‘６’が割り当てられたボタンがオンになった後、オフになるまで、別の文字ボタンもオンにならず、別の作業が指定された組み合わせをなすボタンでもない、他のボタンがオンになると、本来の作業である現在の文字モードに対する‘４’が割り当てられたボタンまたは‘６’が割り当てられたボタンの最初の文字が書かれながら、次にオンになったボタンは、そのボタンがオフになるまで、オンになった他のボタンとの組み合わせ状況によってそのボタンによる作業が決まる。
【０２９１】
Ｂ．文字メッセージ送りモードで‘１’が割り当てられたボタンを、そのボタンに割り当てられた文字が書かれる本来の機能とは別に、‘１’が割り当てられたボタンがオンなり、オフになるまで、メニューボタンがオンになると、現在のカーソルに赤いハート記号を表示することをもたらす組み合わせ誘導ボタンとして予め指定し、‘１’が割り当てられたボタンがオンなり、オフになるまで、メニューボタンがオンになると、現在のカーソルに赤いハート記号を表示し、‘１’が割り当てられたボタンがオンなり、オフになるまで、メニューボタンもオンにならず、別の作業が指定された組み合わせをなすボタンでもない、他のボタンがオンになると、現在のモードに対する最初の文字が書かれながら、次にオンになったボタンは、そのボタンがオフになるまで、オンになった他のボタンとの組み合わせ状況によってそのボタンによる作業が決まる。
【０２９２】
Ｃ．文字メッセージ送りモードで‘１’が割り当てられたボタンを、そのボタンに割り当てられた文字が書かれる本来の機能とは別に、‘１’が割り当てられたボタンがオンなり、オフになるまで、取り消しボタンがオンになると、現在のカーソルに赤いハート記号が属した特殊文字グループを表示する作業をもたらす組み合わせ誘導ボタンとして予め指定し、‘１’が割り当てられたボタンがオンになり、オフになるまで、取り消しボタンがオンになると、現在のカーソルに赤いハート記号が属した特殊文字グループを表示し、‘１’が割り当てられたボタンがオンになり、オフになるまで、取り消しボタンもオンにならず、別の作業が指定された組み合わせをなすボタンでもない、他のボタンがオンになると、現在のモードに対する最初の文字が書かれながら、次にオンになったボタンは、そのボタンがオフになるまで、オンになった他のボタンとの組み合わせ状況によってそのボタンによる作業が決まる。
【０２９３】
Ｄ．いずれのモードの場合においても、数字が割り当てられたボタンがオンになり、オフになるに、方向ボタンがオンになると、その方向ボタンを数字が割り当てられたボタンに割り当てられた数字の回数分、方向ボタンを押した作業を行い、数字が割り当てられたボタンがオンになり、オフになる前に、方向ボタンもオンにならず、別の作業が指定された組み合わせをなすボタンでない他のボタンがオンになると、現在のモードに対する最初の文字を入力しながら、次にオンになったボタンは、そのボタンがオフになるまで、オンになった他のボタンとの組み合わせ状況によってそのボタンによる作業が決まる。
【０２９４】
以下、本発明による方法として上述した先行条件を考慮しながら‘Ｉ  ＬＯＶＥ  ＹＯＵ  ＦＯＲ  ＥＶＥＲ  赤いハート記号’を記載する過程を説明するし、まず、英文大文字モードの場合を説明する。
【０２９５】
１．ボタン６：順序２でオンにするボタン４の３番目の文字が‘I’であるので、ボタン６を、次にオンになる文字ボタンに割り当てられた３番目の文字を選択する組み合わせ誘導ボタン化するために、順序２のボタン４がオンになるまでオン状態に維持する（ボタン４も、ボタン６の場合のように、次にオンになる文字ボタンの３番目の文字を選択する組み合わせ誘導ボタンとしての機能も行うが、ボタン４をオン状態に維持しながら順序２でボタン４を再びオンにすることができないので、ボタン６のみをオン状態に維持する）。
【０２９６】
２．ボタン４：Iが選択される（ボタン６は、そのままオン状態になっているので）。
【０２９７】
３．右側方向ボタン：スペースを置く。
【０２９８】
４．ボタン４：順序５でオンにするボタン５の３番目の文字が‘Ｌ’で、順序６でオンにするボタン６の３番目の文字が‘Ｏ’で、順序７でオンにするボタン８の３番目の文字が‘Ｖ’であるので、ボタン４を、次にオンになるボタンに割り当てられた３番目の文字が選択されるようにする組み合わせ誘導ボタン化し、順序５のボタン５、順序６のボタン６、順序７のボタン８がオンになるまでボタン４をオン状態に維持する。
【０２９９】
ボタン４のように、次にオンになるボタンに割り当てられた３番目の文字が選択されるようにする組み合わせ誘導ボタン化できるボタン６を組み合わせ誘導ボタンとして使用する場合、ボタン６をオン状態に維持しながら順序６でボタン６を再びオンにすることができないので、ボタン６を組み合わせ誘導ボタンとして使用すると、より増加する手順で‘ＯＶ’を書けるようになるので、この方法は勧めない。
【０３００】
５．ボタン５：Ｌが選択される（ボタン４はそのままオン状態になっているので）。
【０３０１】
６．ボタン６：Ｏが選択される（ボタン４はそのままオン状態になっているので）。
【０３０２】
７．ボタン８：Ｖが選択される（ボタン４はそのままオン状態になっているので）。
【０３０３】
８．ボタン１：順序９でオンにするボタン３の２番目の文字が‘Ｅ’であるので、ボタン１を、次にオンになる文字ボタンに割り当てられた２番目の文字を選択する組み合わせ誘導ボタン化するために、順序９のボタン３がオンになるまでオン状態に維持する（ボタン３も、ボタン１の場合のように、次にオンになる文字ボタンの２番目の文字を選択する組み合わせ誘導ボタンとしての機能も行うが、ボタン３をオン状態に維持しながら順序９でボタン３を再びオンにすることができないので、ボタン１のみをオン状態に維持する）。
【０３０４】
９．ボタン３：Ｅが選択される（ボタン１はそのままオン状態になっているので）。
【０３０５】
１０．右側方向ボタン：スペースを置く。
【０３０６】
１１．ボタン４：順序１２でオンにするボタン９の３番目の文字が‘Ｙ’で、順序１３でオンにするボタン６の３番目の文字が‘Ｏ’であるので、ボタン４を、次にオンになるボタンに割り当てられた３番目の文字が選択されるようにする組み合わせ誘導ボタン化し、順序１２のボタン９、順序１３のボタン６がオンになるまでボタン４をオン状態に維持する。
【０３０７】
ボタン４のように、次にオンになるボタンに割り当てられた３番目の文字が選択されるようにする組み合わせ誘導ボタン化できるボタン６を組み合わせ誘導ボタンとして使用する場合、ボタン６をオン状態に維持しながら順序１３でボタン６をオンにすることができないので、ボタン６を組み合わせ誘導ボタンとして使用すると、より増加する手順で‘Ｏ’を書けるようになるので、この方法は勧めない。
【０３０８】
１２．ボタン９：Ｙが選択される（ボタン４はそのままオン状態になっているので）。
【０３０９】
１３．ボタン６：Ｏが選択される（ボタン４はそのままオン状態になっているので）。
【０３１０】
１４．ボタン１またはボタン３：順序１５でオンにするボタン８の２番目の文字が‘Ｕ’であるので、ボタン１またはボタン３を、次にオンになるボタンに割り当てられた２番目の文字が選択されるようにする組み合わせ誘導ボタン化するために、順序１５のボタン８がオンになるまでオン状態に維持する。ボタン１とボタン３の機能は同じであるので、ボタン１またはボタン３をオンにする。
【０３１１】
１５．ボタン８：Ｕが選択される。
【０３１２】
１６．右側方向ボタン：スペースを置く。
【０３１３】
１７．ボタン４：順序１８でオンにするボタン３の３番目の文字が‘Ｆ’で、順序１９でオンにするボタン６の３番目の文字が‘Ｏ’であるので、ボタン４を、次にオンになるボタンに割り当てられた３番目の文字が選択されるようにする組み合わせ誘導ボタン化し、順序１８のボタン３、順序１９のボタン６がオンになるまでボタン４をオン状態に維持する。
【０３１４】
ボタン４のように、次にオンになるボタンに割り当てられた３番目の文字が選択されるようにする組み合わせ誘導ボタン化できるボタン６を組み合わせ誘導ボタンとして使用する場合、ボタン６をオン状態に維持しながら順序１９でボタン６を再びオンにすることができないので、ボタン６を組み合わせ誘導ボタンとして使用すると、より増加する手順で‘Ｏ’を書けるようになるので、この方法は勧めない。
【０３１５】
１８．ボタン３：Ｆが選択される（ボタン４はそのままオン状態になっているので）。
【０３１６】
１９．ボタン６：Ｏが選択される（ボタン４はそのままオン状態になっているので）。
【０３１７】
２０．ボタン３：順序２１でオンにするボタン７の２番目の文字が‘Ｒ’であるので、ボタン３を、次にオンになるボタンに割り当てられた２番目の文字が選択されるようにする組み合わせ誘導ボタン化するために、順序２１のボタン７がオンになるまでボタン３をオン状態に維持する。
【０３１８】
ボタン３のように、次にオンになるボタンに割り当てられた２番目の文字が選択されるようにする組み合わせ誘導ボタン化できるボタン１を組み合わせ誘導ボタンとして使用する場合、ボタン１をオン状態に維持しながら順序２１でボタン７をオンにするとき、ボタン１を押しているとボタン７がよく見えないという問題点が発生する。
【０３１９】
２１．ボタン７：Ｒが選択される（ボタン３はそのままオン状態になっているので）。
【０３２０】
２２．右側方向ボタン：スペースを置く。
【０３２１】
２３．ボタン１：順序２４でオンにするボタン３の２番目の文字が‘Ｅ’であるので、ボタン１を、次にオンになる文字ボタンに割り当てられた２番目の文字を選択する組み合わせ誘導ボタン化するために、順序２４のボタン３がオンになるまでボタン１をオン状態に維持する（ボタン３も、ボタン１の場合のように、次にオンになる文字ボタンの２番目の文字を選択する組み合わせ誘導ボタンとしての機能も行うが、順序２４でボタン３をオン状態に維持しながらボタン３を再びオンにすることができないので、ボタン１のみをオン状態に維持する）。
【０３２２】
２４．ボタン３：Ｅが選択される（ボタン１はそのままオン状態になっているので）。
【０３２３】
２５．ボタン４またはボタン６：順序２６でオンにするボタン８の３番目の文字が‘Ｖ’であるので、ボタン４またはボタン６を、次にオンになるボタンに割り当てられた３番目の文字が選択されるようにする組み合わせ誘導ボタン化するために、順序２６のボタン８がオンになるまでオン状態に維持する。ボタン４とボタン６の機能は同じであるので、ボタン４またはボタン６をオンにする。
【０３２４】
２６．ボタン８：Ｖが選択される（ボタン４またはボタン６はそのままオン状態になっているので）。
【０３２５】
２７．ボタン１：順序２８でオンにするボタン３の２番目の文字が‘Ｅ’であるので、ボタン１を、次にオンになる文字ボタンに割り当てられた２番目の文字を選択する組み合わせ誘導ボタン化するために、順序２８のボタン３がオンになるまでオン状態に維持する（ボタン３も、ボタン１の場合のように、次にオンになる文字ボタンの２番目の文字を選択する組み合わせ誘導ボタンとしての機能も行うが、順序２８でボタン３をオン状態に維持しながらボタン３を再びオンにすることができないので、ボタン１のみをオン状態に維持する）。
【０３２６】
２８．ボタン３：Ｅが選択される（ボタン１はそのままオン状態になっているので）。
【０３２７】
２９．ボタン３：順序３０でオンにするボタン７の２番目の文字が‘Ｒ’であるので、ボタン３を、次にオンになるボタンに割り当てられた２番目の文字が選択されるようにする組み合わせ誘導ボタン化するために、順序３０のボタン７がオンになるまでボタン３をオン状態に維持する。
【０３２８】
ボタン３のように、次にオンになるボタンに割り当てられた２番目の文字が選択されるようにする組み合わせ誘導ボタン化できるボタン１を組み合わせ誘導ボタンとして使用する場合、ボタン１をオン状態に維持しながら順序２１でボタン７をオンにするとき、ボタン１を押しているとボタン７がよく見えないという問題点が発生する。
【０３２９】
３０．ボタン７：Ｒが選択される（ボタン１またはボタン３はそのままオン状態になっているので）。
【０３３０】
３１．右側方向ボタン：スペースを置く。
【０３３１】
３２．ボタン１：ボタン１を、ボタン１が割り当てられたボタンがオンになり、オフになるまで、メニューボタンがオンになると、現在のカーソルに赤いハート記号を表示することをもたらす組み合わせ誘導ボタン化するために、順序３３のメニューボタンがオンになるまでオン状態に維持する。先行条件‘Ｂ’を用いた方法である。
【０３３２】
３３．メニューボタン：赤いハート記号が表示される（ボタン１はそのままオン状態になっているので）。
【０３３３】
上記の順序３３の作業は、次の２つの方法によって行うこともできる。
【０３３４】
まず、先行条件‘Ｃ’を用いた方法を説明すると、下記の通りである。
【０３３５】
ａ．ボタン１がオンになった状態で取り消しボタンをオンにする：赤いハート記号が属した特殊文字グループを表示する。
【０３３６】
ｂ．ボタン５：赤いハート記号選択（赤いハートが５番目に表示されているので）。
【０３３７】
また、先行条件‘Ｄ’を用いた方法を説明すると、下記の通りである。
【０３３８】
ａ．ボタン＊：英文大文字モードから特殊文字にモード変更。
【０３３９】
ｂ．ボタン９をオンにした状態で下側方向ボタンをオンにする：下側方向ボタンを９回押した効果がある。
【０３４０】
ｃ．ボタン３をオンにした状態で下側方向ボタンをオンにする：下側方向ボタンを３回押した効果がある（結局、下側方向ボタンを１２回押したことになるので、赤いハート記号が属した特殊文字グループを表示する）。
【０３４１】
ｄ．ボタン５：赤いハート記号選択（赤いハートが５番目に表示されているので）。
【０３４２】
例の結果をまとめると、‘I  ＬＯＶＥ  ＹＯＵ  ＦＯＲ  ＥＶＥＲ’という文字のみを書くとき、既存の方式ではボタンを４８回押したが、本発明の方法を用いた場合はボタンを３０回だけ押せばよいし、右手と左手のバランスも良くなる。また、組み合わせ誘導ボタンとの組み合わせは、両手を用いて２回押すので、操作にかかる時間がダブルクリックのように片手で２回押す時間より、短打のように短押し時間により近いので（理論的には、片手で１００回を押す時間や、両手でそれぞれ１００回ずつ、総２００回を押す時間は同じである。そのため、両手で組み合わせて押す方法は、２打というより、短打または１泊子と表現してもよい）、単純に３０／４８の時間でなく、より短い時間に文字入力作業を行うことができる。
【０３４３】
以上は英語のアルファベットに対する入力例であったが、日本語入力に適用すると、さらに高い効果を得ることができる。英語のアルファベットに適用するときには、下記のいくつかの単語で開示した効果を含むいくつかの利点があるが、特に３打以上のみで入力可能な文字を２打で入力できるのが最も大きいな効果である。
【０３４４】
日本文字は、５０文字として、１つのボタンに５文字ずつ割り当てられるが、４または５打でのみ入力可能であった文字も、本発明の方法を用いると２打で入力できるので、作業時間が英文のアルファベットの場合である３０／４８（６２．５％）程度の減少ではなく、約２０〜３０％になると予想される。
【０３４５】
４６個の文字からなるヒンディー語においても日本語と類似した効果があり、７６個の文字からなるタイ語においては日本語より遥かに大きな効果がある。
【０３４６】
すなわち、要素文字の個数が多い文字体系であるほど、大きな効果を得ることを意味する。
【０３４７】
そして、同一のボタンに割り当てられたアルファベットの連続を含む各単語を入力するときには、先に書かれたアルファベットを確定する行為として、右側矢印を押してカーソルを移したり、約２秒間待ってたりしなくても良いので、その効果がより高くなる。
【０３４８】
例えば、‘ＤＥＦＡＣＥ’という単語における‘ＤＥＦ’及び‘ＡＣ’、‘ＴＵＶＡＬＵ’という単語における‘ＴＵ’、‘ＳＰＲIＮＧ’という単語における‘ＳＰＲ’、‘ＣＡＢＢＡＧＥ’という単語における‘ＣＡＢＢＡ’、‘ＢＡＣＣＹ’という単語における‘ＢＡＣＣ’、‘ＢＡＢＯＯＮ’という単語における‘ＢＡＢ’及び‘ＯＯＮ’、‘ＡＦＴＥＲＮＯＯＮ’という単語における‘ＮＯＯＮ’は、同一のボタンに割り当てられたアルファベットの連続であるにもかかわらず、従来のマルチタップ方式の場合のように確定する行為が不必要になる（その理由は既に説明した）。
【０３４９】
このように、文字の入力速度を向上できるので、最近開発されたコンピューターのキーボードのように多くのボタンを有する携帯電話の文字の入力速度とほぼ同等の速度になると予想される。
【０３５０】
そして、タッチスクリーン方式では、キーボードが画面に表れるとき、ほとんどの画面を隠すタイプもあるが、本発明による方法は、ボタンに文字が割り当てられるので、そのような現象は当然発生しない。
【０３５１】
赤いハート記号を書く場合も、既存の方式ではボタンを１４回押したが、本発明の方法では最小の場合、ボタンを２回だけ押せばよい。すなわち、特殊文字を書く場合、組み合わせの指定方法によって、文字を書くときに比べ時間短縮の比率を大きくすることができる。
【０３５２】
‘＊’、‘＃’または他の機能ボタンより、文字ボタンを組み合わせ誘導ボタン化すると、指の移動範囲を狭くすることができ、また、文字を書くときに頻繁に使用する右側方向ボタン機能及び取り消しボタン（発音単位または音素単位取り消し）機能なども文字ボタンに割り当てておくと、指の移動範囲を狭くすることができる。
【０３５３】
以下、マルチタップ方式と比べたときの本発明の利点を整理する。
【０３５４】
第一に、全ての文字（略１００文字以内）を２打以内で入力することができる。
【０３５５】
第二に、同一のボタンに割り当てられた文字を連続的に入力するとき、先に書かれた文字を確定するための右側矢印を押してカーソルを移したり、約２秒待つ行為をなくすことができ、それにより指の移動範囲も減少する。
【０３５６】
第三に、別のボタンに割り当てられた、同一の順番（２番目以後でも）に割り当てられた文字を書くときには、１打で入力可能な場合もある（例えば、‘I  ＬＯＶＥ  ＦＯＲ  ＥＶＥＲ’の本発明の適用例の５、６、７番過程）。
【０３５７】
第四に、上述した‘携帯電話、ＰＤＡ及び電話機などの通信端末機’の書き出しで説明した利点などがある。
【０３５８】
ここで、より詳しく説明すると、例えば、文字ボタン間の組み合わせのみで特定の作業が行われる、組み合わせを予め指定しておくと、モードを変更せずに英文大文字及び英文小文字を表現することもでき、ハングルでの子音ボタンまたは母音ボタンの音素割り当ての変化、または、他の外国語ボタンでもボタンに割り当てられた文字を使用者が便利に書ける音素割り当ての変化を容易に行うことができる。
【０３５９】
また、既存の方式である長押し、ダブルクリック、トリプルクリックなどの押し方まで含ませて組み合わせをなすと、非常に多数の作業をメニュー画面を通さずに行うことができる。
【０３６０】
そして、‘Ｔ９など’の文字入力モードに本発明の方法を用いて、一部または全部のスペリングを確定して入力すると、機器がディスプレイする各候補単語の数字が少なくなり、使用者が単語をスピーディに入力することができる。
【０３６１】
以下で説明する本発明の方法は、日本語のひらがなまたはカタカナを含む表音文字の音素ではなく、日本の固有文字からなる検索語で、固有文字または漢字からなるデータを検索するときには、以下で使用されるスペリングまたはアルファベットという単語を固有文字に変えて適用すればよい。
【０３６２】
これは日本文字のみではなく、表音文字の中で音素ではない、他の固有文字または特殊文字などの文字を使用するときにも同じように考えてよい。
【０３６３】
実際には、以前の説明でも同じように適用できるのが容易に想到でき別途に説明してないが、想到できない場合もあるので、以下で説明する。
【０３６４】
例えば、‘Ｔ９など’の方式の場合、使用者が‘ＨＯＯＤ’を入力しようとするとき、従来には‘４６６３’ボタンを押すと、‘４’には‘ＧＨI’が割り当てられており、‘６’には‘ＭＮＯ’が割り当てられており、‘３’には‘ＤＥＦ’が割り当てられているので、それらの組み合わせを辞典データベースから機器が検索し、使用頻度が高い順に‘ＧＯＮＥ’、‘ＨＯＭＥ’、‘ＨＯＯＤ’、‘ＨＯＯＦ’、‘ＨＯＮＥ’、‘ＧＯＯＦ’を機器がディスプレイすると、使用者が‘ＨＯＯＤ’にカーソルを移して選択すべきであるが、本発明の方法を用いて‘ＨＯＯＤ’の‘Ｄ’を確定して入力すると、機器は‘ＨＯＯＤ’という１つの単語のみをディスプレイするので、使用者は、カーソルを移す必要なしに選択すればよい。従来の‘Ｔ９など’の方式を使用すると、経験上に何番目のスペリングを確定すると便利であることを会得できるためである。例えば、使用頻度の少ないアルファベットを確定するほど、各候補の数がより減少する。
【０３６５】
本発明の方法でスペリングを確定する方法の一例として、ボタン１またはボタン３を次にオンになるボタンに割り当てられた最初の文字を書くようにする組み合わせ誘導ボタンとして指定し、ボタン４またはボタン６を、次にオンになるボタンに割り当てられた２番目の文字を書くようにする組み合わせ誘導ボタンとして指定し、ボタン７またはボタン９を、次にオンになるボタンに割り当てられた３番目の文字を書くようにする組み合わせ誘導ボタンとして指定し、スペリングを‘Ｄ’に確定したくないときには、ボタン３を単独で押せばよく、スペリングを‘Ｄ’に確定したいときには、ボタン１を押した状態でボタン３を押せばよい。
【０３６６】
そして、一部のスペリングを確定して候補単語の数をより減少させることができるので、単語を完成するのに必要なスペリングの数だけの候補文字（スペリングが確定されていない状態、すなわち、押したボタンに割り当てられたいくつかの文字）、確定文字（スペリングが確定された状態）または未知文字（全くスペリングを予測できない状態、コンピューターでは、主に‘＊’または‘？’を使用して単語を検索する）を入力せずに単語の一部分のみを入力しても、機器がディスプレイする候補単語がそれほど多くならず、使用者も一部分のみを入力すればよいので便利になる。
【０３６７】
そして、以下で説明する英文、中国語などの文字入力改善方法に‘＊’、‘＃’、‘，’、‘％’などの特殊文字が多く用いられるので、文字ボタンに文字以外の特殊文字を割り当てておき、文字モードの変更なしに特殊文字も直ぐに入力できるようにすると好ましい。
【０３６８】
そして、文字メッセージ作成に頻繁に使用される他の特殊文字を割り当てておくと、さらに好ましい。
【０３６９】
通常、‘Ｔ９など’の方式では、文字が入力されると現在まで入力された文字数に当る、最も頻度数の多い単語を連続的にディスプレイしているので、単語の一部のスペリング（候補文字、確定文字または未知文字）のみを入力し、所望の単語が含まれた各候補単語がディスプレイされるようにする際に、使用者は一部のスペリングのみを入力したことを表す信号を機器に別途与えるべきである。
【０３７０】
一部のスペリングのみを入力したことを表す信号を与える理由は、何らの信号もない場合、使用者が望む単語のスペリング数と同じ数のスペリングを入力したと機器が自動的に判断するような論理を使用しているためであり、何らの信号もない場合、使用者が望む単語のスペリング数より少ない数のスペリングが入力されると機器が自動的に判断して、入力されたスペリングを含む全ての単語または句（＝単語の連続）を候補単語または候補句としてディスプレイするが、スペリング数が同じであるという信号を与えると各候補の数を減少させることができる。また、スペリング数が不足しているか、それとも同じ数であるかに対する全ての信号を与えることもできる。このようにスペリング数が少ないか、スペリング数が同じであるかを知らせる信号を与える方式を、製造者または使用者が任意に決定できることは、以下でも同じに適用できる。
【０３７１】
以上で説明した‘Ｔ９など’の方式では、通常の場合、文字が入力されると現在まで入力された文字の数に当る、最も頻度数の多い単語を連続的にディスプレイしている、例えば、使用者が‘ ＨＯＯＤ’という単語を書くためにボタン４を押すと、ボタン４に割り当てられた‘Ｇ、Ｈ、I’のうち最初の文字であり、最も頻度数の多い‘Ｇ’が初めにディスプレイされ、引き続いてボタン６を押すと、先に押したボタン４（Ｇ、Ｈ、I）とボタン６（Ｍ、Ｎ、Ｏ）との組み合わせで最も頻度の多い‘IＯ’が初めにディスプレイされ、引き続いてボタン６を押すと、ボタン４（Ｇ、Ｈ、I）、ボタン６（Ｍ、Ｎ、Ｏ）及びボタン６（Ｍ、Ｎ、Ｏ）の組み合わせで最も頻度の多い‘ＨＯＮ’が初めにディスプレイされ、引き続いてボタン３を押すと、ボタン４（Ｇ、Ｈ、I）、ボタン６（Ｍ、Ｎ、Ｏ）、ボタン６（Ｍ、Ｎ、Ｏ）及びボタン３（Ｄ、Ｅ、Ｆ）の組み合わせで最も頻度の多い‘ＧＯＮＥ’が初めにディスプレイされるが、使用頻度順によって、その後にディスプレイされる‘ＨＯＭＥ’、‘ＨＯＯＦ’の次にある‘ＨＯＯＤ’にカーソルを移して選択する（頻度またはディスプレイされる文字は任意に書いた）。
【０３７２】
単語の完成に必要なスペリング数の分だけの候補文字（スペリングが確定されていない状態、すなわち、押したボタンに割り当てられたいくつかの文字）、確定文字（スペリングが確定された状態）または未知文字（全くスペリングを予測できない状態、コンピューターでは、主に‘＊’または‘？’を使用して単語を検索する）を入力せずに、単語の一部のみを入力しても機器がディスプレイされることの一例は、次の通りである。
【０３７３】
使用者が‘ＨＯＭＥＰＯＲＴ’という単語を入力したいとき、既存の‘Ｔ９など’の方式では、ボタン４（Ｇ、Ｈ、I）、ボタン６（Ｍ、Ｎ、Ｏ）、ボタン６（Ｍ、Ｎ、Ｏ）、ボタン３（Ｄ、Ｅ、Ｆ）、ボタン７（Ｐ、Ｒ、Ｓ）、ボタン６（Ｍ、Ｎ、Ｏ）、ボタン７（Ｐ、Ｒ、Ｓ）、ボタン８（Ｔ、Ｕ、Ｖ）の全てを入力したときに、‘ＨＯＭＥＰＯＲＴ’が候補単語として含まれている候補単語グループがディスプレイされるが、本発明を用いると、使用者は、組み合わせ誘導ボタン＋ボタン４（‘Ｈ’に確定）、ボタン６（Ｍ、Ｎ、Ｏ）、組み合わせ誘導ボタン＋ボタン６（‘Ｍ’に確定）、ボタン３（Ｄ、Ｅ、Ｆ）、組み合わせ誘導ボタン＋ボタン７（‘Ｐ’に確定）で入力し、単語の一部のスペリングのみが入力されたことを表す信号を与えると、ボタン３までによって、４桁は‘ＨＯＭＥ’にほぼ確定され（もちろん、‘ＨＯＭＥ’という単語のそれぞれの文字を全て確定するとより確実である）、次に入力される‘Ｐ’によって、機器が使用者に候補単語として‘ＨＯＭＥＰＬＡＴＥ’と‘ＨＯＭＥＰＯＲＴ’をディスプレイし、使用者は所望の‘ＨＯＭＥＰＯＲＴ’を選択することができる。もちろん、‘Ｐ’まで入力する途中に未知文字の信号を与えることもできる（例えば、ボタン３に、‘＊’または他の記号で他の未知文字であることを表示することもできる）。
【０３７４】
‘Ｐ’を確定せずに、使用者が単語の一部のスペリングのみが入力されたことを表す信号を与えると、‘ＨＯＭＥ’が確定された状態のみでボタン７が‘Ｐ’であるか、‘Ｒ’であるか、‘Ｓ’であるかを分からないので、‘Ｐ’、‘Ｒ’、‘Ｓ’が含まれた多数の単語が候補単語になる、すなわち、ＨＯＭＥＰＬＡＴＥ、ＨＯＭＥＰＯＲＴ、ＨＯＭＥＲ、ＨＯＭＥＲＡＮＧＥ、ＨＯＭＥＲIＣ、ＨＯＭＥＲＵＬＥ、ＨＯＭＥＲＵＮ、ＨＯＭＥＳＣＨＯＯＬIＮＧ、ＨＯＭＥＳＣＲＥＥＮ、ＨＯＭＥＳＥＣＲＥＴＡＲＹ、ＨＯＭＥＳＥＬＬIＮＧ、ＨＯＭＥＳIＣＫ、ＨＯＭＥＳIＧＡＬ、ＨＯＭＥＳIＴＥ、ＨＯＭＥＳＰＵＮ、ＨＯＭＥＳＴＡＮＤ、ＨＯＭＥＳＴＡＹ、ＨＯＭＥＳＴＥＡＤ、ＨＯＭＥＳＴＥＡＤＥＲ、ＨＯＭＥＳＴＥＡＤIＮＧ、ＨＯＭＥＳＴＲＥＴＣＨ、ＨＯＭＥＳＴＵＤＹなどの非常に多くの単語が候補単語としてディスプレイされた状態で、使用者が所望の単語を選択しなければならない。
【０３７５】
以上説明した例は、必ずそのまま実現されることを意味するものでなく、概念のみを説明するために頻度数、ディスプレイされる候補単語などを任意に設定した。
【０３７６】
従来の‘Ｔ９など’の方法では、‘ＨＯＭＥ’も確定していないので、実際に候補単語が本発明に比べ遥かに多い。多数の候補単語がある場合、所望の単語がアルファベット順または頻度順によって後半部にあると、カーソル移動ボタンを複数回押さなければならない。
【０３７７】
そして、‘Ｔ９など’の入力方式モードであるにもかかわらず、‘Ｔ９など’の入力方式を使用しない場合のように、単語の全てのスペリングを確定して入力するときにも、それほど多くの時間が必要でない。２つのボタンを組み合わせてスペリングを入力するとき、両手を使用して、片手が1つのボタンを担当するので、慣れると、ほぼ１つのボタンのみを短打で押す速度とほぼ同じ時間で入力することができ、‘Ｔ９など’のスペリング入力方法において、必須的なディスプレイされた各候補単語のうち所望の単語にカーソルを移す行為は不必要であり、そのまま選択すればよいので、従来の‘Ｔ９など’と比べ、所望の単語を入力するまでにかかる時間が減少する。
【０３７８】
また、全てのスペリングが確定されて入力されると、選択を省略するようなプログラミングもできる。
【０３７９】
‘Ｔ９など’において、本発明の方法と従来の方法を並行して使用する方法を‘ＨＯＭＥＰＯＲＴ’という単語の入力を一例として説明する。‘Ｔ９など’の文字入力モードで何らかの単語を入力するとき、それぞれのスペリングを従来の方法、本発明による方法または本発明と類似した方法などの多様な方法をモードの変更なしに組み合わせることで入力できる。これを特徴とする方法も、本発明では新規性を有すると主張している（従来の‘Ｔ９など’では、入力しようとする単語がＤＢにない場合、マルチタップモードに転換し、所望の単語を完全に入力した後、再び‘Ｔ９など’のモードに復帰しなければならない不具合がある。特に、ＵＲＬ、固有名詞、電子メール住所、多様な人名、外国の単語、技術的な単語などを入力するときにそうである）。
【０３８０】
上述した各候補単語がディスプレイされるように文字を入力する多様な方法とは、下記の１と２の方法を組み合わせた方法である。
【０３８１】
１．文字の種類として、‘ＡＡ’（確定文字）、‘ＢＢ’（候補文字）または‘ＣＣ’（未知文字）。
【０３８２】
２．入力するスペリング数として、完全な単語を構成するのに必要な‘ＤＤ’（全のスペリング数）または‘ＥＥ’（不足したスペリング数）。
【０３８３】
１と２で組み合わせ可能な場合の数は、ＡＡ＋ＤＤ、ＡＡ＋ＥＥ、ＢＢ＋ＤＤ、ＢＢ＋ＥＥ、ＣＣ＋ＤＤ、ＣＣ＋ＥＥ、ＡＡ＋ＢＢ＋ＤＤ、ＡＡ＋ＢＢ＋ＥＥ、ＢＢ＋ＣＣ＋ＤＤ、ＢＢ＋ＣＣ＋ＥＥ、ＡＡ＋ＣＣ＋ＤＤ、ＡＡ＋ＣＣ＋ＥＥ、ＡＡ＋ＢＢ＋ＣＣ＋ＤＤ、ＡＡ＋ＢＢ＋ＣＣ＋ＥＥなど、多様な場合の数があるが、以下では、単純な文字メッセージを書くとき及び検索するときのうち、いくつかの例を挙げてみる。
【０３８４】
以下、文字メッセージを作成するときの具体的な例をいくつか挙げてみる（‘ＨＯＭＥＰＯＲＴ’を入力する例も説明する。英語のアルファベットは確定文字、数字は候補文字、‘＊’は未知文字とする）。
【０３８５】
第一に、従来の‘Ｔ９など’の方法である‘ＢＢ’と‘ＤＤ’の組み合わせで入力する方法がある。
【０３８６】
各候補単語がディスプレイされるように‘４６６３７６７８’を入力する。すなわち、ボタン４（Ｇ、Ｈ、I）、ボタン６（Ｍ、Ｎ、Ｏ）、ボタン６（Ｍ、Ｎ、Ｏ）、ボタン３（Ｄ、Ｅ、Ｆ）、ボタン７（Ｐ、Ｒ、Ｓ）、ボタン６（Ｍ、Ｎ、Ｏ）、ボタン７（Ｐ、Ｒ、Ｓ）、ボタン８（Ｔ、Ｕ、Ｖ）の形態で入力することを意味する。以下、このような詳しい説明は省略する。
【０３８７】
第二に、‘ＢＢ’と‘ＥＥ’の組み合わせで入力する方法がある。
【０３８８】
各候補単語がディスプレイされるように‘４６６３７’を入力した後、スペリング数が不足であることを表す信号を与える。上述した通り、入力したスペリング数に対して信号を与える場合と方式は、製造者または使用者が任意に決定することができ、電話帳などの少ないレコードを有するＤＢでは、入力したスペリングを含む各候補が多くないので、スペリング数が不足であるときには特別な信号を与えなく、スペリング数が同じであるときのみに同じであることを表す信号を与えることがより好ましい。以下の場合においても同様である。
【０３８９】
第三に、‘ＡＡ’と‘ＥＥ’の組み合わせで入力する方法がある。
【０３９０】
各候補単語がディスプレイされるように‘ＨＯＭＥＰ’のように確定して入力した後、スペリング数が不足であることを表す信号を与える。
【０３９１】
第四に、‘ＡＡ’と‘ＤＤ’の組み合わせで入力する方法がある。
【０３９２】
‘ＨＯＭＥＰＯＲＴ’として全てのスペリングを確定して入力するので、候補単語は１つだけ存在し、選択する必要もない。
【０３９３】
第五に、‘ＡＡ’と‘ＢＢ’と‘ＣＣ’と‘ＤＤ’の組み合わせで入力する方法がある。
【０３９４】
各候補単語がディスプレイされるように、‘Ｈ６＊ＥＰ６７Ｔ’に所望の単語のスペリング数を合わせて入力する。
【０３９５】
第六に、‘ＡＡ’と‘ＢＢ’と‘ＣＣ’と‘ＥＥ’の組み合わせで入力する方法がある。
【０３９６】
各候補単語がディスプレイされるように‘Ｈ６＊ＥＰ６’を入力した後、スペリング数が不足であることを表す信号を与えたり、‘＊ＥＰ６’を入力した後、スペリング数が不足であることを表す信号を与える。
【０３９７】
ここで、用語の定義において、１つの未知文字（以下では‘％’を例に挙げた）が２文字以上の連続した文字に取り替えられるように規定することもできることの例として、所望の単語の任意の部分を区切り文字で区分し、検索語を入力する方法を追加的に提案する。
【０３９８】
この方法が有用な理由を説明すると、下記の通りである。
【０３９９】
第一に、英語の場合、音のみでは、スペリングだけでなく、スペリング数も正確に分からないとき、自分がスペリングを正確に知っている部分のみを検索語として入力することもできる。
【０４００】
第二に、英語の場合、頭部分（＝主に語根）は同じで、語尾部のスペリング変化によって多様な品詞の単語に変わる傾向がある。このときには、第一の方法の1つの応用例として、単語を語尾部とそれ以外の部に区分し、‘ＡＡ’から‘ＥＥ’の方法を組み合わせてスペリングを入力することもできる。１つの未知文字が２文字以上の連続した文字に取り替えられるので、未知文字を所望の単語を語尾部とそれ以外の部に区分する区切り文字として用いる。すなわち、語尾部を入力する前後に、語尾部が入力されることを表す特殊記号など（例えば、％）の信号を与えて語尾部を入力すればよい。
【０４０１】
‘ＳＥＮＳ’が含まれた単語としては、ＳＥＮＳＥ、ＳＥＮＳＥＦＵＬ、ＳＥＮＳをＥＳＳ、ＳＥＮＳをＥＳＳＬＹ、ＳＥＮＳIＢIＬIＴＹ、ＳＥＮＳIＢＬＹ、ＳＥＮＳIＴIＶＥ、ＳＥＮＳIＴIＶIＴＹ、ＳＥＮＳIＴIＺＥ、ＳＥＮＳＯＲ、ＳＥＮＳＯＲIＡＬ、ＳＥＮＳＯＲＹ、ＳＥＮＳＵＡＬ、ＳＥＮＳＳＵＡＬIＴＹ、ＳＥＮＳＵＡＬＬＹ、ＳＥＮＳＵＯＵＳ、ＳＥＮＳＵＡＬIＳＴ、ＳＥＮＳＳＵＬIＳＭ、ＳＥＮＳＵＡＬIＺＥ、ＳＥＮＳＵＡＬIＴＹなどがある。
【０４０２】
これらをみると、語根‘ＳＥＮＳ’と語尾部のみを入力することによっても各候補単語を減少できることが分かる。これは、英語のような単語は、語尾部のスペリングによる変形が多いためである。
【０４０３】
以下、入力しようとする所望の単語が‘ＳＥＮＳＵＡＬIＳＴ’であるときの検索語入力方法の例をいくつかみる。
【０４０４】
第一の方法による検索語の例は、次の通りである。
【０４０５】
１．Ｓ％Ｎ％Ｕ％ＬIＳＴ
【０４０６】
２．ＳＥ％ＳＵ％＊７Ｔ
【０４０７】
３．ＮＳ％ＡＬなどに検索語を入力し、‘ＳＥＮＳＵＡＬIＳＴ’が含まれた各候補単語を生成することができる。
【０４０８】
第二の方法による検索語の例は、次の通りである。
【０４０９】
１．ＳＥＮＳ％IＳＴ
【０４１０】
２．７３６７％４７８
【０４１１】
３．Ｓ３＊７％＊７Ｔ
【０４１２】
４．Ｓ３＊７％７Ｔ
【０４１３】
５．Ｓ３＊７％Ｔ
【０４１４】
６．Ｓ３＊７％８
【０４１５】
７．３＊７％８などにも入力し、‘ＳＥＮＳＵＡＬIＳＴ’が含まれた各候補単語を生成することもできる。
【０４１６】
また、以上のように、上述した‘ＡＡ’から‘ＥＥ’を組み合わせてスペリングを入力する方法を用いるとき、携帯電話の電話帳のように言語辞典などに比べて著しく少ない数のレコード（ここで、レコードとは、２つ以上の単語からなる句であると考えば理解しやすい）を有するＤＢで所望の項目を検索する場合、文字入力時に非常に有効に活用することができる。レコードの数が少ないので、多様な単語で構成されたレコードを検索するときにも、候補レコードの数が少なくて有効である。この方法は、文字ボタンの多少とは関係なしに、レコードのみが少ないときに有効な場合があるので、コンピューターのキーボードのように多いボタンを有する機器においても有効である。もちろん、‘Ｔ９など’の改善方法にも適用することができる。以下では、適用方法を説明する。
【０４１７】
１．英語のように、１つの文字（またはカーソル）に１つのスペリングのみがある場合において、文字を入力する方法。
【０４１８】
‘ＶＯＬＦＧＡＮＧ  ＡＭＡＤＥＵＳ  ＶＯＮ  ＭＯＺＡＲＴ’を探すいくつかの例をみる。ここでも、英語のアルファベットは確定文字、数字は候補文字、‘＊’は未知文字として表現する。実際に数字であるものは、数字の前後にスラッシュ（／）を付けて表現する。分かち書きは実際に分かち書きで表現する。各文字間の区切り文字は、‘，’または‘＃’で表現する。実務に適用するときには、未知文字、実際の数字、分かち書きまたは文字間の区切り文字を他の記号に取り替えることができる。
【０４１９】
第一に、‘ＢＢ’と‘ＤＤ’の組み合わせで入力する方法がある。
【０４２０】
例えば、各候補レコードがディスプレイされるように、最終的に選択しようとするレコードの各単語のうち検索用単語を１つ以上選定し、選定した単語に対しては完全なスペリング数を合わせて候補文字を入力する（‘ＭＯＺＡＲＴ’という単語で検索するために‘６６１２７８’を入力したり、‘ＡＭＡＤＥＵＳ  ＶＯＮ’という単語で検索するために‘２６２３３８７  ８６６’を入力したりする。
【０４２１】
第二に、‘ＢＢ’と‘ＥＥ’の組み合わせで入力する方法がある。
【０４２２】
例えば、各単語の最初の文字のみを入力する（‘８  ２  ８  ６’を入力した後、スペリング数が不足した単語があることを表す信号を与える）。
【０４２３】
また、各単語の最初の文字以上を入力する（‘８６  ２６  ８  ６６１’を入力した後、スペリング数が不足した単語があることを表す信号を与える）。
【０４２４】
または、自分が望む単語の一部のみを入力する。ここでは、‘ＡＭＡＤＥＵＳ’の‘ＥＵＳ’という単語で検索するために‘３８７’を入力した後、スペリング数が不足した単語があることを表す信号を与える。
【０４２５】
第三に、‘ＡＡ’と‘ＥＥ’の組み合わせで入力する方法がある。
【０４２６】
例えば、各単語の最初の文字のみを確定して入力する（‘Ｖ  Ａ  Ｖ  Ｍ’を入力した後、スペリング数が不足した単語があることを表す信号を与える）。
【０４２７】
また、各単語の最初の文字以上を確定して入力する（‘ＶＯ  ＡＭ  Ｖ  ＭＯＺ’を入力した後、スペリング数が不足した単語があることを表す信号を与える）。
【０４２８】
また、各候補レコードがディスプレイされるように、最終的に選択しようとするレコードの各単語のうち検索用単語を１つ以上選定し、選定した単語に対しては不足したスペリング数で確定文字を入力する（‘ＭＯＺＡＲＴ’という単語のみで検索するために‘ＭＯＺ’のみを入力した後、スペリング数が不足した単語があることを表す信号を与える）。
【０４２９】
第四に、‘ＡＡ’と‘ＤＤ’の組み合わせで入力する方法がある。
【０４３０】
例えば、各候補レコードがディスプレイされるように、最終的に選択しようとするレコードの各単語のうち検索用単語を１つ以上選定し、選定した単語に対しては完全なスペリング数を合わせて確定文字を入力する（‘ＭＯＺＡＲＴ’という単語で検索するために‘ＭＯＺＡＲＴ’を入力したり、‘ＡＭＡＤＥＵＳ  ＶＯＮ’という単語で検索するために‘ＡＭＡＤＥＵＳ  ＶＯＮ’を入力する）。
【０４３１】
第五に、‘ＡＡ’と‘ＢＢ’と‘ＣＣ’と‘ＤＤ’の組み合わせで入力する方法がある。
【０４３２】
例えば、各候補レコードがディスプレイされるように、最終的に選択しようとするレコードの各単語のうち検索用単語を１つ以上選定し、選定した単語に対しては完全なスペリング数を合わせて確定文字、候補文字または未知文字を入力する（‘ＭＯＺＡＲＴ’という単語で検索するために‘Ｍ６＊２＊Ｔ’を入力したり、‘ＡＭＡＤＥＵＳ  ＶＯＮ’という単語で検索するために‘Ａ６＊３Ｅ８ＳＶ＊６’を入力する）。
【０４３３】
第六に、‘ＡＡ’と‘ＢＢ’と‘ＣＣ’と‘ＥＥ’の組み合わせで入力する方法がある。
【０４３４】
例えば、各候補レコードがディスプレイされるように、最終的に選択しようとするレコードの各単語のうち検索用単語を１つ以上選定し、選定した単語に対しては不足したスペリング数で確定文字、候補文字または未知文字を入力する（‘ＭＯＺＡＲＴ’という単語で検索するために‘Ｍ６＊２’を入力したり、‘ＡＭＡＤＥＵＳ  ＶＯＮ’という単語で検索するために‘Ａ６＊３Ｅ  Ｖ＊’を入力した後、スペリング数が不足した単語があることを表す信号を与える。また、‘ＥＵＳ  ＶＯＮ’という単語で検索するために‘＊８ＳＶ＊’を入力した後、スペリング数が不足した単語があることを表す信号を与える）。
【０４３５】
２．ハングル、中国語または日本語のように、文字（通常、１つのカーソルが割り当てられる。以下、文字は固有文字を意味する場合が多い）ごとに固有の音があり、その音を出すために１つ以上のアルファベットスペリングの組み合わせで表現する場合に文字を入力する方法。
【０４３６】
中国語や日本語などの場合、その国の固有の文字がレコードのフィールドの内容に含まれて入力されており、その固有の文字が自動的に英語のアルファベットと類似したピン音表記などで解析される場合に可能である。以下で説明する上記の例‘３’と類似した形態で、‘中華民国  大統領’としてＤＢにあるデータを英語のアルファベットと類似したピン音記号で検索する場合、機器の内部で自動的に‘ＪＵＮＧ，ＨＷＡ、ＭIＮ，ＧＵＫ  ＤＥ，ＴＯＮＧ，ＬIＯＮＧ’と解釈し検索されると仮定すれば可能である。ハングルは、ハングル音素アルファベットとしてピン音化されると考えて適用すればよい。
【０４３７】
検索語の入力において英語と異なるのは、１つの文字を入力するために多数のスペリングを入力する際、区切り文字で文字単位に分ける表示をすることにある。下記の説明では、検索語として入力されたスペリング数が所望の固有文字のスペリング数より少ないことを知らせる文字間の区切り文字として‘，’を用いて（ハングルの場合には、初声のみを入力すると、当然に文字が変わったことを知ることができるので、文字間の区切り文字を入力しないこともある）、スペリング数が所望の固有文字と同じであるとき、文字間の区切り文字として‘＃’を用いたが、これら２つの場合における文字間の区切り文字は、如何なる記号でも（区切り文字がない場合や空白も含む）可能である。単語間の区切り文字も一つの空白としたが、文字間の区切り文字を１つの空白とした場合、単語間の区切り文字を２つの空白とすることもでき、他の記号にすることもできる。
【０４３８】
2010517159.tif 000020
と‘中華民国  大統領’を探す例として、上述した英語の第三例と第六例のみをみる（ここでも、ハングル、アルファベットは確定文字、数字は候補文字、‘＊’は未知文字として表現する。実際に数字であるものは、数字の前後にスラッシュ（／）を付けて表現する。分かち書きは、実際に分かち書きで表現する。文字間の区切り文字は、‘，’または‘＃’で表現する。実際に適用するときには、未知文字、実際の数字、分かち書きまたは文字間の区切り文字を異なる記号に取り替えることができる）。
【０４３９】
第三に、‘ＡＡ’と‘ＥＥ’の組み合わせで入力する方法がある。
【０４４０】
例えば、各単語の最初の文字のみを確定して入力する。
【０４４１】
2010517159.tif 000021
を入力した後、スペリング数が不足した単語があることを表す信号を与える。‘Ｊ  Ｄ’を入力した後、スペリング数が不足した単語があることを表す信号を与える。
【０４４２】
また、各単語の最初の文字以上を確定して入力する。
【０４４３】
2010517159.tif 000022
または
2010517159.tif 000023
を入力した後、スペリング数が不足した単語があることを表す信号を与える。
【０４４４】
‘ＪＨＭＧ  ＤＴＬ’、‘Ｊ，Ｈ，Ｍ，Ｇ  Ｄ，Ｔ，Ｌ’または‘Ｊ，Ｈ  Ｄ，Ｔ，Ｌ’を入力した後、スペリング数が不足した単語があることを表す信号を与える。
【０４４５】
反対的な概念で、連続したスペリングの後に文字間の区切り文字である‘，’があると、所望の単語の固有文字のピン音化により、任意の文字単位の任意の位置から連続したスペリングが順序的に入力されたことを表す信号になり、‘，’がないと、所望の単語の固有文字のピン音化により、各固有文字に対応するアルファベットの最初のアルファベットのみが入力されたことを表す信号になる（ハングルと同じ方法である）という論理も可能である。
【０４４６】
例えば、‘ＪＨＭＧ，’または‘ＪＨ，’は、最後の部分に‘，’があるので、各アルファベットは、漢字をピン音化したもののアルファベットを順序的に入力したものと見なして、‘ＪＵＮＧ，ＨＷＡ、ＭIＮ，ＧＵＫ  ＤＥ，ＴＯＮＧ、ＬIＯＮＧ’の検索が可能でない。‘ＪＵＮ，、ＪＵＮ，Ｈ’または‘ＪＵＮ，Ｈ、ＭIＮ’として任意の位置から連続したアルファベットの後に‘，’を付けると検索可能である。
【０４４７】
‘ＪＨＭＧ’または‘ＪＨ’は、最後の部分に‘，’がないので、各アルファベットは、漢字をピン音化したものの任意の文字単位に対するアルファベットの最初のアルファベットであると見なして、‘ＪＵＮＧ，ＨＷＡ，ＭIＮ，ＧＵＫ  ＤＥ，ＴＯＮＧ，ＬIＯＮＧ’の検索が可能である。以下の場合も同様である。
【０４４８】
また、各候補レコードがディスプレイされるように、最終的に選択しようとするレコードの各単語のうち、検索用単語を１つ以上選定し、選定した単語に対しては不足したスペリング数で確定文字を入力する。
【０４４９】
2010517159.tif 000024
という単語のみで検索するために
2010517159.tif 000025
または
2010517159.tif 000026
のみを入力し、スペリング数が不足した単語があることを表す信号を与える。
【０４５０】
‘ＤＥ，ＴＯＮＧ，ＬIＯＮＧ’という単語のみで検索するために‘Ｄ，Ｔ’、‘Ｄ，Ｔ，Ｌ’または‘ＤＴＬ’のみを入力した後、スペリング数が不足した単語があることを表す信号を与える。
【０４５１】
また、
2010517159.tif 000027
を検索しようとしながら一部のみ（
2010517159.tif 000028
）を入力する場合、
2010517159.tif 000029
または
2010517159.tif 000030
を入力した後、スペリング数が不足した単語があることを表す信号を与えるか、
2010517159.tif 000031
または
2010517159.tif 000032
のみを入力した後、スペリングが不足した単語があることを表す信号を与える。
【０４５２】
また、‘ＴＯＮＧ’を検索しようとしながら一部のみ（‘ＴＯ’）を入力する場合、‘Ｄ，ＴＯ，Ｌ’を入力した後、スペリング数が不足した単語があることを表す信号を与える。
【０４５３】
もし
2010517159.tif 000033
による
2010517159.tif 000034
を検索してはならない場合には、
2010517159.tif 000035
のスペリング数と同じであることを表示する＃を区切り文字として使用し、
2010517159.tif 000036
または
2010517159.tif 000037
を入力した後、
2010517159.tif 000038
または
2010517159.tif 000039
のためにスペリングが不足した単語があることを表す信号を与える。この場合には、
2010517159.tif 000040
を検索することができなく、結果的に
2010517159.tif 000041
を検索することができない。
【０４５４】
もし‘ＴＯ’による‘ＴＯＮＧ’を検索してはならない場合には、‘ＴＯ’のスペリング数と同じであることを表示する＃を区切り文字として使用し、‘Ｄ，ＴＯ＃Ｌ’を入力した後、‘Ｄ’または‘Ｌ’のためにスペリングが不足した単語があることを表す信号を与える。この場合には、‘ＴＯＮＧ’を検索することができなく、結果的に、‘ＪＵＮＧ，ＨＷＡ，ＭIＮＧＵＫ  ＤＥ，ＴＯＮＧ，ＬIＯＮＧ’を検索することができない。
【０４５５】
第六に、‘ＡＡ’と‘ＢＢ’と‘ＣＣ’と‘ＥＥ’の組み合わせで入力する方法がある。
【０４５６】
例えば、各候補レコードがディスプレイされるように、最終的に選択しようとするレコードの各単語のうち検索用単語を１つ以上選定し、選定した単語に対しては不足したスペリングで数を合わせて確定文字、候補文字または未知文字を入力する（
2010517159.tif 000042
）という単語で検索するために
2010517159.tif 000043
または
2010517159.tif 000044
を入力した後、スペリング数が不足した単語があることを表す信号を与える。
【０４５７】
また、
2010517159.tif 000045
という単語で検索するために
2010517159.tif 000046
（‘／’は、’２‘が候補文字でなく、実際に数字であることを表す）を入力した後、スペリング数が不足した単語があることを表す信号を与える。
【０４５８】
‘ＤＥ，ＴＯＮＧ、ＬIＯＮＧ’という単語で検索するために‘Ｄ，＊，５’、‘ＤＥ，Ｔ＊Ｎ，５’、‘ＤＥ，ＴＯ＊４＃５’または‘＊Ｅ，ＴＯ＊Ｇ＃，Ｌ＊６’を入力した後、スペリング数が不足した単語があることを表す信号を与える。
【０４５９】
３．当初から単語の中に1つ以上の区切り文字を用いて入力し、検索するときに活用できる方法で、英語と類似した言語にも適用可能であるが、活用の利点は少なく、中国語のように固有の文字ごとに固有の音がある場合、その音を英語のアルファベットと類似したピン音などで入力するとき、その国の固有の文字単位または使用者が望む位置に区切り文字を用いて入力した後、検索時に入力した形式に合わせて検索語を入力する方法。
【０４６０】
例えば、中国語で‘中華民国  大統領’をどのように読むかは知らないが、‘中華民国  大統領’と読むと仮定し、使用者がＤＢに保存するとき、漢字で保存せずに、ピン音形式である‘ＪＵＮＧＨＷＡＭIＮＧＵＫ  ＤＥＴＯＮＧＬIＯＮＧ’に入力しようとしたが、後で検索しやすいように文字間の区切り文字である‘，’を使用して‘ＪＵＮＧ，ＨＷＡ、ＭIＮＧＵＫ  ＤＥ，ＴＯＮＧ，ＬIＯＮＧ’に入力したとする。このとき、‘ＪＵＮＧＨＷＡＭIＮＧＵＫ’の‘ＭIＮＧＵＫ’は、区切り文字なしに入力した。
【０４６１】
‘ＪＵＮＧ，ＨＷＡ、ＭIＮＧＵＫ  ＤＥ，ＴＯＮＧ，ＬIＯＮＧ’が、選択候補としてディスプレイされるようにする多様な検索語入力方法があるが、以下では、上述した例のうち英語の第三例と第六例のみを例として見る（ここでも、アルファベットは確定文字、数字は候補文字、‘＊’は未知文字で表現する。実際に数字であるものは、数字の前後にスラッシュ（／）を付けて表現する。分かち書きは、実際に分かち書きで表現する。文字間の区切り文字は、‘，’または‘＃’で表現する。実際に適用するときには、未知文字、実際の数字、分かち書きまたは文字間の区切り文字を他の記号に取り替えることができる）。
【０４６２】
第三に、‘ＡＡ’と‘ＥＥ’の組み合わせで入力する方法がある。
【０４６３】
例えば、各単語の最初の文字のみを確定して入力する（‘Ｊ  Ｄ’を入力した後、スペリング数が不足した単語があることを表す信号を与える）。
【０４６４】
また、各単語の最初の文字以上を確定して入力する（‘Ｊ，Ｈ，Ｍ  Ｄ，Ｔ，Ｌ’を入力した後、スペリング数が不足した単語があることを表す信号を与える）。
【０４６５】
また、各候補レコードがディスプレイされるように、最終的に選択しようとするレコードの各単語のうち検索用単語を１つ以上選定し、選定した単語に対しては不足したスペリング数で確定文字を入力する。
【０４６６】
‘ＪＵＮＧ，ＨＷＡ，ＭIＮＧＵＫ’という単語のみで検索するために、‘Ｊ，Ｈ’または‘Ｊ，Ｈ，Ｍ’のみを入力した後、スペリング数が不足した単語があることを表す信号を与える。
【０４６７】
また、‘ＭIＮＧＵＫ’を検索するようにしながら一部のみ（‘ＭIＮＧ’）を入力しようとする場合、‘Ｊ，Ｈ，ＭIＮＧ’に入力した後、スペリング数が不足した単語があることを表す信号を与えたり、‘Ｈ，ＭIＮＧ’または‘ＨＷ，ＭIＮＧ’に入力した後、スペリングが不足した単語があることを表す信号を与える。
【０４６８】
‘ＭIＮＧ’による‘ＭIＮＧＵＫ’を検索してはならない場合には、‘ＭIＮＧ’のスペリング数と同じであることを表示する＃を区切り文字として使用して、‘Ｊ，Ｈ，ＭIＮＧ＃’または‘ＪＵＮ，Ｈ，ＭIＮＧ＃’に入力した後、スペリングが不足した単語があることを表す信号を与える。
【０４６９】
この場合にも、‘ＭIＮＧＵＫ’を検索することができなく、結果的に‘ＪＵＮＧ，ＨＷＡ，ＭIＮＧＵＫ  ＤＥ，ＴＯＮＧ，ＬIＯＮＧ’を検索できなくなる。
【０４７０】
第六に、‘ＡＡ’と‘ＢＢ’と‘ＣＣ’と‘ＥＥ’の組み合わせで入力する方法がある。
【０４７１】
例えば、各候補レコードがディスプレイされるように、最終的に選択しようとするレコードの各単語のうち、検索用単語を１つ以上選定し、選定した単語に対しては不足したスペリング数で確定文字、候補文字または未知文字を入力する。
【０４７２】
‘ＪＵＮＧ，ＨＷＡ，ＭIＮＧＵＫ’という単語で検索するために‘Ｊ，＊，６’、‘ＪＵＮ，Ｈ＊Ａ，６’、‘ＪＵＮＧ，＊＊Ａ＃６’または‘ＪＵＮＧ，Ａ，６’などを入力した後、スペリング数が不足した単語があることを表す信号を与える。
【０４７３】
そして、組み合わせ誘導ボタン（同じ機能を行う組み合わせ誘導ボタンを２つ以上指定することもある）を活用して、短打または他のボタンとの組み合わせで発生できる信号の数を最大化させることもできる。
【０４７４】
ここで、信号とは、必ず文字を書くようにする機能だけでなく、他の機能も行うようにするものである。このとき、押すべきの２つのボタンが縦方向に連続しており、発生する指間の干渉は考慮しない。以下での説明は、文字ボタンが組み合わせ誘導ボタンと組み合わせられるときに、一般的な場合のように、組み合わせ誘導ボタンが文字ボタンより先行して１つのみがオンになる場合を言う。これは、それだけでも、充分な数の信号を発生できるためである。商品に適用するときには、互いに異なる機能を行う組み合わせ誘導ボタン（または組み合わせ誘導ボタン化したボタン）の２つ以上が文字ボタンより先あるいは後でオンになる状況を区分して活用したり、１つの組み合わせ誘導ボタンが文字ボタンより後でオンになるようにするとき、他の信号を発生させることもできる（特に、以下の説明で、文字が割り当てられていないボタンを組み合わせ誘導ボタン化するときにそうである）。
【０４７５】
最大化する最も大きな理由は、国家ごとにボタンに割り当てるべき文字が、英語の場合の２６個より多く、１つのボタンに３つ以上の文字を割り当てる場合、特定の文字を入力しようとすると、同一のボタンを何度も押す不具合、または入力方式を改善しても変わらず不便な点を解消するためである。
【０４７６】
ロシア語３３個、ブルガリア語３０個、ヒンディー語４６個、日本語５０個、ミャンマー語４４個、ヒンディー語４６個、タイ語７６個（実際には６２個のみが必要である）などのように国ごとに必要な文字数が異なるためである。次の表を理解するために、一例として英語のアルファベットのように９個のボタンのみに文字が割り当てられており、‘＊，０，＃’には文字が割り当てられていない場合を考慮する。
【０４７７】
このとき、短打は、各ボタンに割り当てられた最初の文字が書かれるようにし、‘＊’は、各ボタンに割り当てられた２番目の文字が書かれるようにする組み合わせ誘導ボタンとして使用し（もちろん、ダブルクリックしても表現可能である）、‘０’は、各ボタンに割り当てられた３番目の文字が書かれるようにする組み合わせ誘導ボタンとして使用し（もちろん、トリプルクリックしても表現可能である。）、‘＃’は、各ボタンに割り当てられた４番目の文字が書かれるようにする組み合わせ誘導ボタンとして使用し、１〜９までのボタンも組み合わせ誘導ボタン化しようとするが、既に文字が割り当てられているので、同じ機能、すなわち、そのボタンに割り当てられた特定の順序の文字が書かれるようにする機能を行う組み合わせ誘導ボタンを２つ以上ずつ指定しなければならない。そのため、１〜９までの９個のボタンを２で分けると４．５になり、切削すると４になる。このようにして、１〜９までのボタンのうち８個に各ボタンに割り当てられた５、６、７、８番目の文字が書かれるようにする組み合わせ誘導ボタンを２つずつ指定することができ、余分として１つが残る。そうすると、１つのボタン当たり８個の文字ずつ割り当てることができ、そのようなボタンが９個であるので、総７２個の文字を１〜９のボタンに割り当て、短打またはボタン２つの組み合わせで書けるようになる。既存の方式は、８番目の文字を書こうとする場合、同一のボタンを８回押す方式であった。
【０４７８】
以下、数学的に一般的な例をみる。
【０４７９】
‘Ａ'は、‘文字が割り当てられたボタンの個数'という（上記で説明した例では、Ａ＝９である）。
【０４８０】
‘Ｂ'は、‘文字が割り当てられていないボタンの個数'という（上記で説明した例では、Ｂ＝３である）。
【０４８１】
‘Ｄ'は、‘１つのボタンに割り当て可能な文字数'といい、Ｄ＝Ｂ＋切削（Ａ／２）＋１である（上記で説明した例では、Ｄ＝３＋切削（９／２）＋１＝８である）。
【０４８２】
‘Ｅ'は、‘割り当て可能な総文字数'といい、Ｅ＝Ａ＊Ｄである（上記で説明した例では、Ｅ＝９＊８＝７２である）。
【０４８３】
以下、Ａ、Ｂ、Ｄ、Ｅの場合の数を表に示している。
【０４８４】
【表１】
2010517159.tif 000047
【０４８５】
上記の表で、文字が割り当てられていないボタンを組み合わせ誘導ボタンとして使用するとき、書こうとする文字が、割り当てられたボタンより先にオンになるときと、後でオンになるときとを区分すると、Ｄ＝２Ｂ＋切削（Ａ／２）＋１になり、さらに大きい数のＤまたはＥが導出される。
【０４８６】
特に、英語のアルファベット２６個に順位２の方法を用いることもできる。なぜなら、３つのボタンにそれぞれ１１個の文字を割り当て、ボタンに割り当てられた最初の文字が書かれるようにすることを短打で行い、２番目から１０番目までの文字が書かれるようにする組み合わせ誘導ボタンとして文字が割り当てられていない９個のボタンを指定し、１１番目の文字が書かれるようにする組み合わせ誘導ボタンとして文字が割り当てられた３つのボタンのうち２つのボタンを指定できるためである。
【０４８７】
‘Ｔ９など’に比べると、このような点も利点である。なぜなら、‘Ｔ９など’の方法において、１つのボタンに割り当てられたスペリングの個数が多いほど、候補単語の数が幾何級数的に増加し、使用することが不可能になるためである。もちろん、他の言語などの信号においても同様である。
【０４８８】
ハングルも、３３個の文字と見なして、順位２方法を無理に適用することができる。ハングル３３個の文字とは、基本子音１４（
2010517159.tif 000048
）、硬音５個（
2010517159.tif 000049
）、基本母音１０個（
2010517159.tif 000050
）、拡張母音４個（
2010517159.tif 000051
）をいう（しかし、ハングルは、拡張母音の個数をさらに追加し、後述するように４０個ともいえる場合などのように、分類形式によってその個数が異なる）。
【０４８９】
タイ語６２個の文字は、上記の表の順位６番から１１番までの方法を用いて表現することができる。これは、順位６番から１１番までの‘Ｅ'値が６２以上であるためである。順位６番の方法を用いることは、７個のボタンに９文字ずつ割り当て、６３個の文字を短打または他の組み合わせ誘導ボタンとの組み合わせで書けることで、順位１１番の方法を用いることは、１２個のボタンに７文字ずつ割り当て、８４個の文字を短打または他の組み合わせ誘導ボタンとの組み合わせで書けることである。もちろん、１２個のボタンに５または６文字ずつ割り当て、６２個の文字を短打または他の組み合わせ誘導ボタンとの組み合わせで書くこともできる。
【０４９０】
また、英語の場合、モードの変更なしに、１つのボタンに大文字３つ、小文字３つ、数字１つを割り当てて入力したい場合、順位６番から１１番までの方法を用いてもよい。これは、大文字総２６個、小文字総２６個、数字総１０個を合わせた６２個で、タイ語の場合と同じであるためである。しかし、最も推薦する方法は、順位８である。なぜなら、順位８によって、一般的な英文キーボードをそのまま実現できるためである。
【０４９１】
まとめると、携帯電話において、本発明の方法を用いると、携帯電話製造社でも、文字の使用頻度、母音子音の関係、右手と左手の均等な使用を追求するなどの形態で、利便性と効率を極大化する方法でボタンを構成できるようになる。
【０４９２】
３．デジタルカメラ
【０４９３】
通常、デジタルカメラは、文字ボタンがなく、機能ボタンのみがある。
【０４９４】
機能ボタンは、同じ位置のボタンであっても、現在のモードが何かによってその機能が異なることもある（例えば、右側方向キーは、写真を撮影するモードではフラッシュのオン・オフ有無を判断するトグルーボタンになり、撮影した写真を液晶画面を通して見るモードでは次の写真に変える役割をする）。
【０４９５】
現在のモードと関連した作業がないと、ボタンを押しても全く動作しない（例えば、下方向ボタンは、メニューモードでは下方向にカーソルを移動させるが、写真を見るモードでは全く反応がない）。
【０４９６】
現在のモードと関係なしに、常に同じ作業を行うこともある（例えば、ＰＯＷＥＲボタンは、現在のモードと関係なしに、常に写真機をオン・オフにするトグルーボタンになる）。
【０４９７】
各ボタンがオンになるとき、直ぐに作業を行ってしまうので、ボタンとボタンとの組み合わせで新しい作業を指定できないという問題が生じる。
【０４９８】
コンピューターで本発明の適用例（ＥｓｃボタンとＨｏｍｅボタン）のように、いずれかの機能ボタンが、本来の作業以外に追加的に、その機能ボタンがオンになった後、オフになる前まで、他のボタンがオンになると、その組み合わせで更に他の作業を行うように予め指定された場合、その機能ボタンがオンになった後、オフになる前まで、他の作業が指定された組み合わせをなすボタンがオンになると、その組み合わせで更に他の作業を行えばよく、その機能ボタンがオンになった後、オフになる前まで、他の作業が指定された組み合わせをなすボタンがオンにならないと、本来の機能を行えるようにすればよい。そのようにすることで、1つのモードでは1つの機能のみを行っていたボタンが、各ボタン間の組み合わせで多様な作業を行うことができる。
【０４９９】
最後に、ボタンに文字を割り当てる実際の例を、ハングルと英文に対していくつかみる。
【０５００】
まず、ハングルと英語のアルファベットの使用頻度順位を説明する（統計を出すデータによって多少異なるが、ほぼ類似している）。
【０５０１】
頻度順位を説明する理由は、文字を割り当てるとき、使用頻度の高いものを各ボタンに割り当てる多数の文字のうち先の順位に割り当て、マルチタップ方式でも効果的に入力するためであり、本発明の方法によっても、初めに割り当てられた文字は、組み合わせ方式でない短打で入力され、２番目の文字からはボタン組み合わせで入力されるので、短打で入力されるものが多いことから、本発明の効果をより向上できるためである。
１．ハングルの使用頻度順（使用回数が多いものから少ないもの順）。
【０５０２】
子音（１９個）：
2010517159.tif 000052
【０５０３】
単母音（１０個）：
2010517159.tif 000053
（ところが、母音頻度順は重要でないこともある。これは、単母音が１０個なので、０〜９までの１０個のボタンに1つずつ割り当てるとよいためである）。
【０５０４】
複母音（１１個）：
2010517159.tif 000054
（単母音と類似した形状で、頻度順が重要でなく、頻度順に並べなかった）。
【０５０５】
２．英文のアルファベットの使用頻度順（使用回数が多いものから少ないもの順）。
【０５０６】
２６個：統計方法によりいくつかが存在する。
【０５０７】
Ｅ、Ｔ、Ａ、Ｏ、Ｓ、Ｎ、I、Ｒ、Ｈ、Ｄ、Ｌ、Ｃ、Ｍ、Ｕ、Ｐ、Ｆ、Ｇ、Ｗ、Ｙ、Ｂ、Ｖ、Ｋ、Ｘ、Ｊ、Ｑ、Ｚ。
【０５０８】
Ｅ、Ｔ、Ａ、Ｏ、I、Ｎ、Ｓ、Ｒ、Ｈ、Ｌ、Ｄ、Ｕ、Ｆ、Ｍ、Ｗ、Ｙ、Ｇ、Ｐ、Ｃ、Ｂ、Ｖ、Ｋ、Ｘ、Ｊ、Ｑ、Ｚ。
【０５０９】
Ｅ、Ｔ、Ｏ、Ａ、Ｎ、I、Ｒ、Ｓ、Ｈ、Ｄ、Ｌ、Ｕ、Ｃ、Ｍ、Ｐ、Ｆ、Ｙ、Ｗ、Ｇ、Ｂ、Ｖ、Ｋ、Ｊ、Ｘ、Ｚ、Ｑ。
【０５１０】
次に、ハングル割り当てに関して説明する。
【０５１１】
本発明の方法によって、１つのボタンに多数の文字が割り当てられる場合にも、２つのボタンの組み合わせによって両手で一拍子に入力できるので、子音１９個、単母音１０個、複母音１１個の総４０個を０〜９の各ボタンに４個ずつ割り当てるとしても、一拍子（＝組み合わせによる２打）に入力可能で、既存の文字入力速度より遥かに速く、天地人の母音入力方式で最も激しい複母音入力時のタイピングミス（例えば、
2010517159.tif 000055
を入力しようとしたが、
2010517159.tif 000056
を入力してしまう場合）がほぼ発生しない。
【０５１２】
また、各ボタンに最も多く使用する特殊文字を約２つずつ追加的に割り当てることもできる。
【０５１３】
以下、各ボタンに割り当てられた６個の文字（４つのハングル文字、２つの特殊文字）を入力する方法の例をみる（如何なる言語においても、文字と特殊文字の個数の合計が６である場合には、下記のように適用可能である）。
【０５１４】
最初の文字を入力することは、短打でできる。
【０５１５】
‘Ｔ９など’の入力モードでは、文字を確定して入力するとき、入力しようとする文字が、割り当てられたボタンより先にオンになる、すなわち、いずれかのボタンの最初の文字が入力されるようにする先行組み合わせ誘導ボタンとしてボタン１及びボタン３を定める。
【０５１６】
２番目の文字が入力されるようにする先行組み合わせ誘導ボタンとしてボタン４及びボタン６を定める。
【０５１７】
３番目の文字が入力されるようにする先行組み合わせ誘導ボタンとしてボタン７及びボタン９を定める。
【０５１８】
４番目の文字が入力されるようにする先行組み合わせ誘導ボタンとしてボタン＊及びボタン＃を定める（ボタン＊とボタン＃に文字が割り当てられていない場合、指の干渉または指の移動範囲が広くなることを気にしない場合、ボタン＊とボタン＃を互いに異なる機能を行う組み合わせ誘導ボタンとして定めることもできる）。
【０５１９】
５番目の文字である最初の特殊文字が入力されるようにする先行組み合わせ誘導ボタンとしてボタン２及びボタン８を定める（または、特殊文字は、文字を書く途中に使用度が低いので、指の干渉を考慮しない場合、組み合わせ誘導ボタンを1つだけ置いてもよいので、後行組み合わせ誘導ボタンとしてボタン＊を定めることもできる。これは、ボタン＊に文字が割り当てられていないときに可能である）。
【０５２０】
６番目の文字である２番目の特殊文字が入力されるようにする先行組み合わせ誘導ボタンとしてボタン５及びボタン０を定める（または、特殊文字は、文字を書く途中に使用度が低いので、指の干渉を考慮しない場合、組み合わせ誘導ボタンを1つだけ置いてもよいので、後行組み合わせ誘導ボタンとしてボタン＃を定めることもできる。これは、ボタン＃に文字が割り当てられていないときに可能である）。
【０５２１】
そして、最後に、いずれかのボタンに割り当てられた数字が入力されるようにする後行組み合わせ誘導ボタンとして、ボタン＊及びボタン＃を定めることもできる。これは、ボタン＊とボタン＃に文字が割り当てられていないときに可能である。
【０５２２】
もちろん、上記で、１〜６番目の文字を入力することは、マルチタップ方式、すなわち、連続して押す回数によって、数字を長く押して入力するなどの従来の方法も併行できることは自明である。
【０５２３】
ボタン＊とボタン＃の短打は、他の機能（従来の機能：例えば、文字モード変更、ハングル画順追加など）を行うようになる。
【０５２４】
＊または＃ボタンにも文字を割り当てる。従来の商用化された方法には、文字を入力するとき、組み合わせボタンで入力する方法がないので、０〜９までの１０個のボタンのみに文字を割り当てると、最大１０個の文字のみを短打で入力することができ、＊または＃を短打のみで操作するのは、文字モードを変えるための特殊機能キーとして使用するしかない。しかし、組み合わせボタンとしてその機能を行う場合、＊または＃にも文字を積極的に割り当て、０〜９、＊及び＃に文字を割り当てることで、最大１２個の文字を短打で入力できるようにした。
【０５２５】
従来に、機能ボタンとして、文字入力モードでは短打でいかなる機能を行っていた＊と＃は文字を書くときには使用頻度が文字ボタンより低いので、そのボタンにも文字を優先的に割り当て、短打で行っていた機能を組み合わせ誘導ボタン化し＊または＃ボタンとの組み合わせ、もしくは、複数回押すことで行うようにし、優先的に文字を書くと効率的である。
【０５２６】
このとき、文字を書くとき、両手を使用する組み合わせボタンで行いたくない場合、片手を使用するマルチタップ方式でも書くことができるが、従来の＊または＃の機能をマルチタップで行う場合、既に＊または＃ボタンに文字が優先的に割り当てられており、文字が先に書かれるので、組み合わせボタンとすることが効率的である。ところが、両手によっても従来の＊または＃ボタンの機能を行うためには、組み合わせ誘導ボタンとして何らかの文字ボタンを指定することもできるが、片手でも可能になるように、文字入力モードでは何らの応答もないボリューム調節ボタンやインターネット連結ボタンなどを同じ機能を行う追加的な組み合わせ誘導ボタンとして指定し、ボリューム調節ボタンやインターネット連結ボタンなどのような組み合わせ誘導ボタンがオンになり、オフになる前に、または、オンになり、オフになった後に、＊または＃ボタンがオンになると、従来の＊または＃ボタンの機能を行えるようにしたり、＊または＃ボタンがオンになった後、オフになる前に、または、オンになり、オフになった後に、ボリューム調節ボタンやインターネット連結ボタンなどのような組み合わせ誘導ボタンがオンになると、従来の＊または＃ボタンの機能を行えるようにすることもできる。さらに、そのままボリューム調節ボタンやインターネット連結ボタンなどが従来の＊または＃ボタンの機能を行うように指定することもできる。
【０５２７】
英文に対しては、アルファベット数が多くないし、母音がハングルに比べて少ないので、文字使用頻度を考慮して、マルチタップ方式で文字を入力するときに利便性を向上させ、本発明の方法によっても、最初に割り当てられた文字は組み合わせ方式でない短打で入力されることもあるので、下記のように考察してみる。
【０５２８】
１．頻度のみを考慮して、ボタンに1番目、２番目、３番目の文字を割り当てる。
【０５２９】
２．頻度のみを考慮すると、電話機類に認識されたボタン割り当て形式から大いに離れ、使用者が混同する恐れがあるので、既に商用化された割り当て組み合わせは可能であれば維持し、そのボタン内のみで頻度順に順序を割り当てる（各ボタンに割り当てられた文字のうち、アルファベット暗記歌に出てくる順位が先の文字の色を異ならせるなどの標識を行うと、使用者が、そのボタンに割り当てられたアルファベットが何から何までであるかが分かりやすくなり好ましい。下記の例では大文字で表示した）。
【０５３０】
３．同一のボタンに‘Ｎ’、‘Ｍ’及び‘Ｏ’が同時に割り当てられた場合には、‘Ｎ’と‘Ｏ’の使用頻度が非常に高いので、‘ＮＭ’と‘Ｏ’を別途に割り当ててみることにした（‘Ｏ’の使用頻度が‘Ｎ’より高く、‘Ｎ’の使用頻度は‘Ｍ’より高いためである）。
【０５３１】
同一のボタンに‘Ｐ’、‘Ｑ’、‘Ｒ’及び‘Ｓ’が同時に割り当てられた場合には、‘Ｒ’と‘Ｓ’の使用頻度が非常に高いので、‘ＰＱＲ’と‘Ｓ’を別途に割り当ててみることにした（‘Ｒ’の使用頻度は‘Ｓ’より低いときもあり、‘Ｓ’より高いときもあるが、‘Ｐ’や‘Ｑ’よりは高い）。
【０５３２】
４．以下で示す表３(f)または表５(e)のように、＊または＃ボタンにも文字を割り当ててみた。
【０５３３】
＊または＃ボタンに文字を割り当てる利点と、従来の不具合に対する解決案は、上記のハングルの例で記述したので、詳しい説明は省略する。
【０５３４】
表３(f)の割り当ても好ましい。なぜなら、各ボタンに割り当てられた最初の文字が、‘Ｗ’以外は使用頻度が最も高い１１個の文字であるためである。
【０５３５】
‘I’をボタンの最初に割り当てる場合にも大文字で書かない理由は、大文字‘I’は、小文字‘ｌ’と混同されやすいためである。事実上、ボタンに１つの文字のみが割り当てられた場合（表３(f)ではＤ、I、Ｏ、Ｓ）においては、大文字または小文字と関係なしに、使用者は、そのボタンに割り当てられた文字がどの文字であるかを混同しない。その理由は、１つの文字のみがあるためである。
【０５３６】
５．‘Ｐ、Ｑ、Ｒ、Ｓ、Ｔ’の頻度順位は、‘Ｔ、Ｓ、Ｒ、Ｐ、Ｑ’であるか、‘Ｔ、Ｒ、Ｓ、Ｐ、Ｑ’であり、‘Ｖ、Ｗ、Ｘ、Ｙ、Ｚ’の頻度順位は、‘Ｗ、Ｙ、Ｖ、Ｘ、Ｚ’であるか、‘Ｙ、Ｗ、Ｖ、Ｘ、Ｚ’であるので、下記の表で、‘Ｗｙｘ’の順で割り当てられたものを‘ｙＷｘ’に変えたり、‘ｓｒＰ’の順で割り当てられたものを‘ｒｓＰ’に変えたり、‘ｓｒＰｑ’の順で割り当てられたものを‘ｒｓＰｑ’に変えたり、‘Ｗｙｘｚ’の順で割り当てられたものを‘ｙＷｘｚ’に変えて割り当てることもできる。
【０５３７】
すなわち、どの国の文字であっても、頻度順で並べることを意味する。
【０５３８】
本発明による改善案に比べると非効率的ではあるが、製造者の意向により、ボタンに割り当てられた文字組み合わせは本発明による改善案に従い、各ボタンに割り当てられた文字順序はアルファベット暗記ソングの順に（例えば、本発明による改善案−ＬＫＪ、アルファベット暗記ソング順−ＪＫＬ）しても、従来のボタン割り当てに比べて好ましい。
【０５３９】
＊英文割り当ての従来の方式と本発明の比較例
＊従来のサムスン携帯電話
【表２】
2010517159.tif 000057
【０５４０】
＊サムスン携帯電話の改善案
【表３】
2010517159.tif 000058
【０５４１】
＊従来のＬＧ携帯電話
【表４】
2010517159.tif 000059
【０５４２】
＊ＬＧ携帯電話の改善案
【表５】
2010517159.tif 000060
【０５４３】
上述した全ての例は、例に過ぎないもので、本発明による方法の全てではないことを明らかにし、当業者であれば、記述した内容によって多様な変形、修正及び組み合わせが容易にできる。
【０５４４】
そして、本発明で開示した全ての方法は、製造者が任意に機器に設定することもできるが、製造者でない者が自分の利便性に基づいて任意に設定できるように機器を製造することもできる。
【０５４５】
一貫した内容のための特許請求の範囲の分類及び順序は、下記の通りである。
【０５４６】
１．主に電話機類に適用すると効果が大きい請求項
【０５４７】
８０、３８、５、６、７、６５、２０、２１、８、９、５２、１０、１１、１２、１３、１４、１５、１６、１７、１８、１９、８８、６０、２２、２３、２４、９４、８３、８４、２５、２６、２７、２８、２９、３０、３１、６１、６２、６３、６４、５３、７５、７６、７７、７８、８９、９０、９１、７９、８５、８６、８７、５４、５５、５６、５７、５８、５９、７４、５１、１、２、３、４、４０、４１、４２、４３、４８、４９、５０、６７
【０５４８】
２．主に電子計算機に適用すると効果が大きい請求項
【０５４９】
６６
【０５５０】
３．主にコンピューターのキーボードに適用すると効果が大きい請求項
【０５５１】
６８、８１、９２、８２、３７、８０、５
【０５５２】
４．主にトグルキーに適用すると効果が大きい請求項
【０５５３】
６９、７０、７１、７２、７３、９５
【図１】
2010517159.tif 000073
【図２】
2010517159.tif 000074
【図３】
2010517159.tif 000075
【図４】
2010517159.tif 000076
【図５】
2010517159.tif 000077
【図６】
2010517159.tif 000078
【図７】
2010517159.tif 000079
【図８】
2010517159.tif 000080
【図９】
2010517159.tif 000081
【図１０】
2010517159.tif 000082
【図１１】
2010517159.tif 000083
【図１２】
2010517159.tif 000084
【図１３】
2010517159.tif 000085
【国際調査報告】
2010517159.tif 000086
2010517159.tif 000087
2010517159.tif 000088
2010517159.tif 000089